(57)【要約】      （修正有）【課題】リール内から払出装置の貯留部への部品の落下による払出装置の破損を防止するスロットマシンを提供する。【解決手段】リール２Ｃ、２Ｒの右側端部の開口は、これらのリールが取り付けられるリール支持板３５０Ｃ、３５０Ｒによって閉塞され、左側端部の開口は、これらのリールの左側に隣接するリール支持板３５０Ｌ、３５０Ｒによって閉塞され、リール２Ｌの右側端部の開口は、当該リールが取り付けられるリール支持板３５０Ｌによって閉塞されるとともに、リール２Ｌの左側端部の開口には、全周にわたり中央に向けて突出する壁部４０１ｆが形成される。【選択図】図１６
2020058579.tif 000002
【特許請求の範囲】
【請求項１】
左右方向に並設される複数のリールを回動させることにより各々が識別可能な複数種類
の識別情報を変動表示可能な可変表示部を備え、
前記可変表示部の変動表示を停止することで表示結果を導出し、該表示結果に応じて入
賞が発生可能なスロットマシンにおいて、
複数の前記リールの下方に配置され、上方に開口部が形成されて外部から投入されたメ
ダルが貯留される貯留部を有し、前記貯留部に貯留されたメダルを払い出すことが可能な
払出装置と、
前記スロットマシンに設けられた遊技部品を電気的に接続するための束配線と、
を備え、
前記リールは、左右側に開口を有し、左右方向の一方側に配置される取付板に取り付け
られており、
複数の前記リールは、
左右方向の一方側の端部が前記貯留部の開口部の上方に位置せず、左右方向の他方側の
端部が前記貯留部の開口部の上方に位置するように配置される第１リールと、
左右方向の両側の端部が前記貯留部の開口部の上方に位置するように配置される第２リ
ールと、
左右方向の一方側の端部が前記貯留部の開口部の上方に位置し、左右方向の他方側の端
部が前記貯留部の開口部の上方に位置しないように配置される第３リールと、
を含み、
前記第１リール及び前記第２リールは、左右方向の一方側の開口が当該リールが取り付
けられた取付板により閉塞され、左右方向の他方側の開口が隣接するリールが取り付けら
れた取付板により閉塞され、
前記第３リールは、左右方向の一方側の開口が当該リールが取り付けられた取付板によ
り閉塞され、
前記第３リールにおける左右方向の他方側の開口には全周にわたり壁部が形成されてお
り、
前記束配線は、
複数の配線と、
前記複数の配線の一方の端に接続される第１接続部と、
前記複数の配線のうち一部の配線の他方の端に接続される第２接続部と、
前記複数の配線のうち前記第２接続部に接続されない配線の他方の端に接続される第３
接続部と、
を含み、
前記第２接続部に接続される配線は、少なくとも特定色の配線を含み、
前記第３接続部に接続される配線は、前記特定色の配線を含まない、スロットマシン。
【発明の詳細な説明】
【技術分野】
【０００１】
本発明は、各々が識別可能な複数種類の識別情報を変動表示可能な可変表示部の表示結
果に応じて所定の入賞が発生可能なスロットマシンに関する。
【背景技術】
【０００２】
この種のスロットマシンとしては、上部に貯留タンクを有し、貯留タンク内のメダルを
払い出す払出装置を備えるとともに、その上方に複数のリールを配置したものが提案され
ている（例えば、特許文献１参照）。
【先行技術文献】
【特許文献】
【０００３】
【特許文献１】特開２０１１−４８８７号公報
【発明の概要】
【発明が解決しようとする課題】
【０００４】
特許文献１に記載のスロットマシンのように、払出装置の上方にリールが配置された構
造においては、リールの取付に用いられるネジ等の部品がリール内に侵入した場合、その
ままリールの左右開口から飛び出すと払出装置の貯留タンク内に落下してしまい、払出装
置の破損の原因となる虞がある。
【０００５】
本発明は、リール内から払出装置の貯留部への部品の落下による払出装置の破損を防止
するスロットマシンを提供することを目的とする。
【課題を解決するための手段】
【０００６】
手段１のスロットマシンは、
左右方向に並設される複数のリール（２Ｌ、２Ｃ、２Ｒ）を回動させることにより各々
が識別可能な複数種類の識別情報を変動表示可能な可変表示部を備え、
前記可変表示部の変動表示を停止することで表示結果を導出し、該表示結果に応じて入
賞が発生可能なスロットマシン（スロットマシン１）において、
複数の前記リール（２Ｌ、２Ｃ、２Ｒ）の下方に配置され、上方に開口部が形成されて
外部から投入されたメダルが貯留される貯留部（ホッパータンク３４ａ）を有し、前記貯
留部に貯留されたメダルを払い出すことが可能な払出装置（ホッパーユニット３４）を備
え、
前記リール（２Ｌ、２Ｃ、２Ｒ）は、左右側に開口を有し、左右方向の一方側に配置さ
れる取付板（リール支持板３５０Ｌ、３５０Ｃ、３５０Ｒ）に取り付けられており、
複数の前記リールは、
左右方向の一方側（右側）の端部が前記貯留部（ホッパータンク３４ａ）の開口部の上
方に位置せず、左右方向の他方側（左側）の端部が前記貯留部（ホッパータンク３４ａ）
の開口部の上方に位置するように配置される第１リール（リール２Ｒ）と、
左右方向の両側（左右側）の端部が前記貯留部（ホッパータンク３４ａ）の開口部の上
方に位置するように配置される第２リール（リール２Ｃ）と、
左右方向の一方側（右側）の端部が前記貯留部（ホッパータンク３４ａ）の開口部の上
方に位置し、左右方向の他方側（左側）の端部が前記貯留部（ホッパータンク３４ａ）の
開口部の上方に位置しないように配置される第３リール（リール２Ｌ）と、
を含み、
前記第１リール（リール２Ｒ）及び前記第２リール（リール２Ｃ）は、左右方向の一方
側（右側）の開口が当該リールが取り付けられた取付板（リール支持板３５０Ｒ、リール
支持板３５０Ｃ）により閉塞され、左右方向の他方側（左側）の開口が隣接するリールが
取り付けられた取付板（リール支持板３５０Ｃ、３５０Ｌ）により閉塞され、
前記第３リール（左リール）は、左右方向の一方側（右側）の開口が当該リールが取り
付けられた取付板（リール支持板３５０Ｌ）により閉塞され、
前記第３リール（左リール）における左右方向の他方側（左側）の開口には全周にわた
り壁部（壁部４０１ｆ）が形成されている
ことを特徴としている。
この特徴によれば、左右側に開口を有し、左右方向の一方側の端部または他方側の端部
の少なくとも一方が払出装置が有する貯留部の開口部の上方に配置される第１〜第３リー
ルを備える構成において、第１リール及び第２リールは、左右方向の一方側の開口が当該
リールが取り付けられた取付板により閉塞され、左右方向の他方側の開口が隣接するリー
ルが取り付けられた取付板により閉塞され、第３リールは、左右方向の一方側の開口が当
該リールが取り付けられた取付板により閉塞され、第３リールにおける左右方向の他方側
の開口には全周にわたり壁部が形成されているので、第１リールまたは第２リール内に部
品が侵入しても当該リールの取付板と隣接リールの取付板とによって侵入した部品の貯留
部への落下が防止され、第３リール内に部品が侵入しても当該リールの取付板と当該リー
ルの開口に形成された壁部によって侵入した部品の貯留部への落下が防止されるので、貯
留部への部品の落下による払出装置の破損を防止することができる。
【０００７】
手段２のスロットマシンは、手段１に記載のスロットマシンであって、
前記取付板（リール支持板３５０Ｌ、３５０Ｃ、３５０Ｒ）には、当該取付板に取り付
けられたリール（リール２Ｌ、２Ｃ、２Ｒ）の内周に沿って当該リールと重なるように突
出する第１突条部（内周側突条部４２２ａ）または当該取付板に取り付けられたリールの
外周に沿って当該リールと重なるように突出する第２突条部（外周側突条部４２２ｂ）の
少なくとも一方が形成されている
ことを特徴としている。
この特徴によれば、取付板に取り付けられたリールの外周に沿って当該リールと重なる
ように突出する第１突条部または当該取付板に取り付けられたリールの内周に沿って当該
リールと重なるように突出する第２突条部によって、リール内に侵入した部品の貯留部へ
の落下が防止される。
【０００８】
手段３のスロットマシンは、手段１または２に記載のスロットマシンであって、
前記取付板（リール支持板３５０Ｌ、３５０Ｃ、３５０Ｒ）には、隣接するリールの内
周に沿って当該リールと重なるように突出する第３突条部（内周側突条部４２３ａ）また
は隣接するリールの外周に沿って当該リールと重なるように突出する第４突条部（外周側
突条部４２３ｂ）の少なくとも一方が形成されている
ことを特徴としている。
この特徴によれば、隣接するリールの外周に沿って当該リールと重なるように突出する
第３突条部または隣接するリールの内周に沿って当該リールと重なるように突出する第４
突条部によって、隣接するリール内に侵入した部品の貯留部への落下が防止される。
【０００９】
手段４のスロットマシンは、手段１〜３のいずれかに記載のスロットマシンであって、
複数の前記リール（リール２Ｌ、２Ｃ、２Ｒ）における左右側の開口それぞれに全周に
わたり壁部（４０１ｆ、４０１ｇ）が形成されている
ことを特徴としている。
この特徴によれば、リールにおける左右側の開口それぞれに全周にわたり形成された壁
部によってリール内に侵入した部品の貯留部への落下が防止される。
【００１０】
手段５のスロットマシンは、手段１〜４のいずれかに記載のスロットマシンであって、
前記リール内の空間に電気部品（リールモータ３２Ｌ、３２Ｃ、３２Ｒ、リールセンサ
３３Ｌ、３３Ｃ、３３Ｒ、ＬＥＤユニット５５Ｌ、５５Ｃ、５５Ｒ）が配置され、
前記取付板（リール支持板３５０Ｌ、３５０Ｃ、３５０Ｒ）には、前記電気部品に接続
される配線（Ｃａ、Ｃｂ）を案内する案内部（配線孔４２０）が前記取付板の上下方向に
おける中央よりも上側に設けられる
ことを特徴としている。
この特徴によれば、案内部は取付板の上下方向における中央よりも上側に設けられるの
で、案内部を介しての部品の貯留部への落下が防止される。
【００１１】
手段６のスロットマシンは、手段５に記載のスロットマシンであって、
前記電気部品（ＬＥＤユニット５５Ｌ、５５Ｃ、５５Ｒ）は、前記取付板に対して他の
取付部品（ネジ）を用いずに前記取付板に取り付けられる
ことを特徴としている。
この特徴によれば、ネジ等の取付部品を用いずに電気部品が取付板に対して取り付けら
れるので取付部品の貯留部への落下が防止される。
【００１２】
手段７のスロットマシンは、手段１〜６のいずれかに記載のスロットマシンであって、
前記リール（リール２Ｌ、２Ｃ、２Ｒ）は、一対の環状の枠体（左環状部４０１ｂ、右
環状部４０１ｄ）の間にリールテープ（リールテープ４００）を巻き回すことにより形成
されており、
前記枠体（左環状部４０１ｂ、右環状部４０１ｄ）は、光を透過する透過部材（光を透
過する合成樹脂材）により形成されている
ことを特徴としている。
この特徴によれば、リールテープに枠体の影が透けることが防止されるため、リールの
視認性を高めることができる。
【００１３】
手段８のスロットマシンは、手段１〜７のいずれかに記載のスロットマシンであって、
前記リール（リール２Ｌ、２Ｃ、２Ｒ）は、一対の環状の枠体（左環状部４０１ｂ、右
環状部４０１ｄ）の間にリールテープ（リールテープ４００）を巻き回すことにより形成
されており、
左右方向の一方側（右側）の枠体（右環状部４０１ｄ）と左右方向の他方側（左側）の
枠体（左環状部４０１ｂ）とは、連結部（連結部４０１ｅ）により連結されるとともに、
前記リールテープ（リールテープ４００）の内側の継ぎ目が前記連結部（連結部４０１ｅ
）により被覆される
ことを特徴としている。
この特徴によれば、左右方向の一方側の枠体と左右方向の他方側の枠体とは、連結部に
より連結されるとともに、リールテープの内側の継ぎ目が連結部により被覆されることで
、リール内に侵入した部品によってリールテープが剥がれることを防止できる。
【００１４】
手段９のスロットマシンは、手段８に記載のスロットマシンであって、
前記リールテープ（リールテープ４００）の一端（一端４００ａ）と他端（他端４００
ｂ）とは、識別情報（図柄）１つ分の幅にわたり重ねて接着される
ことを特徴としている。
この特徴によれば、リールテープの一端と他端とが重なって接着されるため、しっかり
接着できるとともに、継ぎ目が識別情報を跨ぐことがないため、継ぎ目を目立たなくでき
る。
【００１５】
手段１０のスロットマシンは、手段８または９に記載のスロットマシンであって、
前記リール（リール２Ｌ、２Ｃ、２Ｒ）は、遊技の進行に伴う変動表示中に特定方向へ
回動し、
前記リールテープ（リールテープ４００）の端部のうち特定方向と逆方向を向く一端（
一端４００ａ）を他端（他端４００ｂ）の外側に重ねて接着される
ことを特徴としている。
この特徴によれば、リールテープの外側に重なる端部が遊技の進行に伴うリールの回動
方向と逆向きとなるため、リールテープの端部をリール外の障害物に引っかかりにくくで
きる。
【００１６】
手段１１のスロットマシンは、手段８〜１０のいずれかに記載のスロットマシンであっ
て、
前記枠体（左環状部４０１ｂ）には、中央から放射状に延びるスポーク（スポーク４０
１ｃ）が形成されており、前記スポークは、当該スポークの中央部が前記連結部（連結部
４０１ｅ）の中央部と一致しないように配置される
この特徴によれば、枠体の重量が一部に偏らないため、リールを安定して回動させるこ
とができる。
【００１７】
手段１２のスロットマシンは、手段８〜１１のいずれかに記載のスロットマシンであっ
て、
前記連結部（連結部４０１ｅ）は、光を透過する透過部材（光を透過する合成樹脂材）
により形成されている
ことを特徴としている。
この特徴によれば、リールテープに連結部の影が透けることが防止されるため、リール
の視認性を高めることができる。
【００１８】
手段１３のスロットマシンは、手段１〜１２のいずれかに記載のスロットマシンであっ
て、
前記リール（リール２Ｌ、２Ｃ、２Ｒ）を回転駆動するモータ（リールモータ３２Ｌ、
３２Ｃ、３２Ｒ）を備え、
前記モータは、前記取付板（リール支持板３５０Ｌ、３５０Ｃ、３５０Ｒ）に取り付け
られ、
前記リール（リール２Ｌ、２Ｃ、２Ｒ）は、前記モータまたは前記モータに固定された
部品（リール取付盤４０５）を介して前記取付板（リール支持板３５０Ｌ、３５０Ｃ、３
５０Ｒ）に取り付けられ、
前記モータを前記取付板に取り付ける第１ネジ（ネジ４１５ａ）は、前記取付板側から
前記モータに向かって挿入され、
前記リールを前記モータまたは前記モータに固定された部品に取り付ける第２ネジ（ネ
ジ４０５ｃ）は、前記リール側から前記モータまたは前記モータに固定された部品に向か
って挿入される
ことを特徴としている。
この特徴によれば、取付板及びリールの双方がモータまたはモータに固定された部品と
ネジ頭に挟持されるため、取付板とモータ、モータとリールをそれぞれ強固に固定するこ
とができる。
【００１９】
手段１４のスロットマシンは、手段１３に記載のスロットマシンであって、
前記リール（リール２Ｌ、２Ｃ、２Ｒ）は、前記モータ（リールモータ３２Ｌ、３２Ｃ
、３２Ｒ）に対して３以上の前記第２ネジ（ネジ４０５ｃ）で取り付けられる
ことを特徴としている。
この特徴によれば、１の第２ネジが脱落しても２の第２ネジでリールがモータに取り付
けられた状態となるため、リールの離脱を防止できる。
【００２０】
手段１５のスロットマシンは、手段１３または１４に記載のスロットマシンであって、
複数の前記リールが設置された状態において、前記第２ネジが緩んでも前記リールの前
記モータからの離脱が規制される
ことを特徴としている。
この特徴によれば、第２ネジが緩んでもリールのモータからの離脱が規制されるので、
リールの離脱によって大きく破損することを防止できる。
【００２１】
手段１６のスロットマシンは、手段１３〜１５のいずれかに記載のスロットマシンであ
って、
前記モータ（リールモータ３２Ｌ、３２Ｃ、３２Ｒ）は、前記取付板に対して３以上の
前記第１ネジ（ネジ４１５ａ）で取り付けられる
ことを特徴としている。
この特徴によれば、１の第１ネジが脱落しても２の第１ネジでモータが取付板に取り付
けられた状態となるため、モータの離脱を防止できる。
【００２２】
手段１７のスロットマシンは、手段１３〜１６のいずれかに記載のスロットマシンであ
って、
複数の前記リールが設置された状態において、前記第１ネジが緩んでも前記モータの前
記取付板からの離脱が規制される
ことを特徴としている。
この特徴によれば、第１ネジが緩んでもモータの取付板からの離脱が規制されるので、
モータの離脱によって大きく破損することを防止できる。
【００２３】
手段１８のスロットマシンは、手段１〜１７のいずれかに記載のスロットマシンであっ
て、
複数の前記リール（リール２Ｌ、２Ｃ、２Ｒ）は、前面が開口するリールボックス（リ
ールボックス３５１）に収容された状態で設置され、
前記リールボックス内側の底面における前記リールに対応する箇所に隆起部（隆起部３
５６Ｌ、３５６Ｃ、３５６Ｒ）が形成されている
ことを特徴としている。
この特徴によれば、複数のリールが収容されるリールボックス内側の底面においてリー
ルに対応する箇所に隆起部が形成されることで、リールとリールボックス内側の底面との
隙間が狭くなるため、落下した部品がリールボックスの奥に侵入してしまうことを防止で
きる。
【００２４】
手段１９のスロットマシンは、手段１８に記載のスロットマシンであって、
複数の前記リール（リール２Ｌ、２Ｃ、２Ｒ）は、前記リールボックス（リールボック
ス３５１）内側の上面と前記リールとの隙間が、前記リールボックス（リールボックス３
５１）内側の底面と前記リールとの隙間よりも狭くなるように設置される
ことを特徴としている。
この特徴によれば、リールボックス内側の底面とリールとの隙間は、リールの重さによ
る若干の下降を考慮して広くとる一方で、リールボックス内側の上面とリールとの隙間は
それよりも狭くすることで、リールボックスのサイズを小型化することができる。
【００２５】
手段２０のスロットマシンは、手段１８または１９に記載のスロットマシンであって、
前記隆起部（隆起部３５６Ｌ、３５６Ｃ、３５６Ｒ）は、複数の前記リール（リール２
Ｌ、２Ｃ、２Ｒ）に対してそれぞれ形成されており、
隆起部同士の間隙が前記取付板（リール支持板３５０Ｌ、３５０Ｃ、３５０Ｒ）のガイ
ドとして用いられる
ことを特徴としている。
この特徴によれば、隆起部同士の間隙を利用して取付板がガイドされるため、取付板を
リールボックスに簡単に取り付けることができる。
【００２６】
手段２１のスロットマシンは、手段１８〜２０のいずれかに記載のスロットマシンであ
って、
前記隆起部（隆起部３５６Ｌ、３５６Ｃ、３５６Ｒ）は、前記リールボックス（リール
ボックス３５１）の開口部の端縁よりも所定距離奥まった位置に形成される
ことを特徴としている。
この特徴によれば、リールボックスの開口部が広くなるため、リールボックスへのリー
ルの収容が容易となる。
【００２７】
手段２２のスロットマシンは、手段１８〜２１のいずれかに記載のスロットマシンであ
って、
前記隆起部（隆起部３５６Ｌ、３５６Ｃ、３５６Ｒ）は、前記リールボックス（リール
ボックス３５１）の奥方から開口部に向かって下るように傾斜する
ことを特徴としている。
この特徴によれば、リールボックス内に落下した異物がリールボックスの奥方に侵入し
難くできる。
【００２８】
手段２３のスロットマシンは、手段１〜２２のいずれかに記載のスロットマシンであっ
て、
前記スロットマシンに設けられた遊技部品を電気的に接続するための束配線（配線ケー
ブルＣ１、Ｃ２）を備え、
前記束配線は、
複数の配線（配線４５０）と、
前記複数の配線の一方の端に接続される第１接続部（第１接続部７００）と、
前記複数の配線のうち一部の配線の他方の端に接続される第２接続部（第２接続部８０
０）と、
前記複数の配線のうち前記第２接続部に接続されない配線の他方の端に接続される第３
接続部（第３接続部９００）と、
を含み、
前記第２接続部に接続される配線は、少なくとも特定色（青色）の配線を含み、
前記第３接続部に接続される配線は、前記特定色（青色）の配線を含まない
ことを特徴としている。
この特徴によれば、第２接続部に接続される配線と、第３接続部に接続される配線の区
別を容易に行うことができるため、第２接続部と第３接続部の区別も容易に行うことがで
き、接続部をいずれの箇所に接続するか判別しやすくできる。
【００２９】
手段２４のスロットマシンは、手段１〜２３のいずれかに記載のスロットマシンであっ
て、
前記リールの内側に設置され、前記リールの視認領域のうちの第１領域（リールの上段
）を前記リールの内側から照射する第１発光部（ＬＥＤ５５Ａ）と、前記リールの視認領
域のうちの第２領域（リールの中段）を前記リールの内側から照射する第２発光部（ＬＥ
Ｄ５５Ｂ）と、が搭載される発光基板（ＬＥＤ基板４１６）と、
前記第１発光部と前記第２発光部とが搭載されている前記発光基板の搭載面（ＬＥＤ搭
載面４１６Ｘ）に取り付けられた取付状態で該第１発光部と該第２発光部との間を仕切る
仕切部材（リフレクタ４１７）と、
を備え、
前記搭載面（ＬＥＤ搭載面４１６Ｘ）は、前記第１発光部からの光及び前記第２発光部
からの光が反射可能に構成されるとともに、前記第１発光部の駆動と前記第２発光部の駆
動とに関する電子部品（チップ抵抗６０）が搭載され、
前記電子部品（チップ抵抗６０）は、前記取付状態で前記仕切部材（リフレクタ４１７
）が重畳する位置に搭載されている
ことを特徴としている。
この特徴によれば、第１発光部と第２発光部との反射効率を高めるためのレジストが塗
布されており、仕切部材が発光基板の搭載面に取付けられている取付状態において、電子
部品は仕切部材により隠蔽されることから、第１発光部と第２発光部の反射効率が電子部
品に基づいて損なわれることを防止できる。よって、発光基板の反射効率を高めることが
できる。
【００３０】
尚、本発明は、本発明の請求項に記載された発明特定事項のみを有するものであって良
いし、本発明の請求項に記載された発明特定事項とともに該発明特定事項以外の構成を有
するものであっても良い。
【図面の簡単な説明】
【００３１】
【図１】本発明が適用された遊技機の実施例であるスロットマシンの正面図及びスロットマシンの構成を示すブロック図である。
【図２】スロットマシンの内部構造図である。
【図３】リールの図柄配列を示す図である。
【図４】リールユニットを示す斜視図である。
【図５】リールユニットを示す分解斜視図である。
【図６】（ａ）は、リールユニットを筐体に設置した状態の断面図であり、（ｂ）は、（ａ）の拡大図である。
【図７】各リール体の構造を示す分解斜視図である。
【図８】（ａ）は、リールの分解斜視図であり、（ｂ）は、リールの要部断面図である。
【図９】（ａ）は、リールの左側面図であり、（ｂ）は、リールの右側面図であり、（ｃ）は、（ａ）のＡ−Ａ断面図であり、（ｄ）は、（ａ）のＢ−Ｂ断面図であり、（ｄ）は、（ｃ）の拡大図である。
【図１０】図７の要部を示す分解斜視図である。
【図１１】リール体を示す斜視図である。
【図１２】リール体の側面図である。
【図１３】（ａ）は、リール体の要部断面図であり、（ｂ）は、（ａ）の拡大図である。
【図１４】図１２のＣ−Ｃ断面図である。
【図１５】リールを筐体に設置した状況を示す図である。
【図１６】リールを筐体に設置した状況の断面図である。
【図１７】ＬＥＤ基板とリフレタクとの斜視図である。
【図１８】ＬＥＤ基板を示す図である。
【図１９】ＬＥＤ基板を示す図である。
【図２０】配線ケーブルＣ１を示す図である。
【図２１】配線ケーブルＣ１の色などを示す図である。
【図２２】配線ケーブルＣ２を示す図である。
【図２３】配線ケーブルＣ２の色などを示す図である。
【図２４】配線ケーブルＣ２の接続例を示す図である。
【図２５】配線ケーブルＣ２の色などを示す図である。
【図２６】出力ポートにおける出力内容を示す図である。
【図２７】メイン制御部が行う起動時設定処理の制御内容を示すフロー図である。
【図２８】メイン制御部が行う電断処理（メイン）の制御内容を示すフロー図である。
【図２９】小役及び再遊技役について説明するための図である。
【図３０】抽選対象役について説明するための図である。
【図３１】押し順役当選時のリール制御を説明するための図である。
【図３２】遊技状態の遷移を説明するための図である。
【図３３】リールＬＥＤ、表示領域について説明するための図である。
【図３４】導出された表示結果に応じて視認性を変化させる領域が異なるリール演出を示す図である。
【図３５】導出された表示結果に応じて視認性を変化させる回数が異なるリール演出を示す図である。
【図３６】リールユニットの変形例を示す断面図である。
【図３７】他の表示結果に対するリール演出を示す図である。
【図３８】有利状態への移行抽選に当選している確率に応じてリール演出の態様を変化させる例を示す図である。
【図３９】演出態様決定テーブルの一例を示す図である。
【図４０】有利状態への移行抽選に当選している確率に応じてリール演出の態様を変化させる例を示す図である。
【図４１】演出態様決定テーブルの一例を示す図である。
【発明を実施するための形態】
【００３２】
本発明に係る遊技機の一例であるスロットマシンを実施するための形態を実施例に基づ
いて以下に説明する。
【実施例】
【００３３】
［スロットマシンの構成］
図１（ａ）は、本実施例に係るスロットマシン１の正面図であり、図１（ｂ）は、スロ
ットマシン１の構成の一例を示すブロック図である。図２は、スロットマシンの内部構造
図である。図３は、リールの図柄配列を示す図である。
【００３４】
図１（ａ）及び図２に示すように、本実施例のスロットマシン１は、前面が開口する筐
体１ａと、この筐体１ａの側端に回動自在に枢支された前面扉１ｂと、から構成されてい
る。
【００３５】
図１（ａ）に示すように、スロットマシン１は、前面扉１ｂに液晶表示器５１が設けら
れている。前面扉１ｂにおける液晶表示器５１の下方に位置する化粧パネル１ｃには、透
視窓３が形成されている。遊技者は、この透視窓３を介して筐体１ａ内部に左右方向に並
設されているリール２Ｌ、２Ｃ、２Ｒが視認可能である。図２に示すように、各リールに
は、各々が識別可能な複数種類の図柄が所定の順序で配列されている。透視窓３を介して
表示される表示結果の視認性を変化させる変化手段の一例として、リール２Ｌ、２Ｃ、２
Ｒの内側には、リール２Ｌ、２Ｃ、２Ｒを背面から照射するリールＬＥＤ５５（図１７（
ａ）参照）、が設けられている。また、リールＬＥＤ５５は、リール２Ｌ、２Ｃ、２Ｒの
連続する３つの図柄に対応する９つのＬＥＤからなり、各図柄をそれぞれ独立して照射可
能とされている。
【００３６】
図１（ａ）に示すように、前面扉１ｂには、遊技媒体（メダル）が投入されるメダル投
入部４と、遊技者所有の遊技用価値（メダル数）として記憶されているクレジットの範囲
内において遊技状態に応じて定められた規定数の賭数を設定する際に操作されるＭＡＸＢ
ＥＴスイッチ６と、ゲームを開始する際に操作されるスタートスイッチ７と、リールの回
転をそれぞれ停止する際に操作されるストップスイッチ８Ｌ、８Ｃ、８Ｒなどが設けられ
ている。
【００３７】
ＭＡＸＢＥＴスイッチ６、スタートスイッチ７、ストップスイッチ８Ｌ、８Ｃ、８Ｒ、
及び精算スイッチ１０が操作されると、当該操作されたことを検出するための検出信号が
メイン制御部４１に入力される。メイン制御部４１は、これら各種スイッチからの検出信
号に基づき、これら各種スイッチへの操作を検出する。
【００３８】
前面扉１ｂには、遊技に関する情報を報知する遊技用表示部１３が設けられている。遊
技用表示部１３には、メダルの払出枚数やストップスイッチ８Ｌ、８Ｃ、８Ｒの操作態様
に対応する情報などが表示される遊技補助表示器１２、及びランプを点灯することで有利
区間と呼ばれる有利な状態中である旨を示唆する有利区間ランプ１９などが設けられてい
る。遊技補助表示器１２は、小役が入賞したときに払出されるメダルの枚数を表示するペ
イアウト表示器としても機能する。
【００３９】
遊技補助表示器１２は、押し順に対応する数字を７セグメント表示することで、ストッ
プスイッチ８Ｌ、８Ｃ、８Ｒの操作態様に対応する情報を表示する。有利区間ランプ１９
は、有利区間中であるときには点灯し、有利区間中でないときには消灯する。これにより
、有利区間ランプ１９は、有利区間中であるか否かを遊技者に示唆することができる。
【００４０】
筐体１ａ内部には、図２に示すように、リール２Ｌ、２Ｃ、２Ｒ、各リール２Ｌ、２Ｃ
、２Ｒをそれぞれ駆動するリールモータ３２Ｌ、３２Ｃ、３２Ｒ（図７参照）、各リール
２Ｌ、２Ｃ、２Ｒのリール基準位置をそれぞれ検出可能なリールセンサ３３Ｌ、３３Ｃ、
３３Ｒ（図７参照）からなるリールユニット２が設けられており、その下方には、メダル
投入部４から投入されたメダルを貯留するホッパータンク３４ａ、ホッパータンク３４ａ
に貯留されたメダルをメダル払出口９より払い出すためのホッパーモータ３４ｂからなる
ホッパーユニット３４が設けられている。また、ホッパーユニット３４の側部には、ホッ
パータンク３４ａから溢れたメダルが貯留されるオーバーフロータンク３５が設けられて
いる。
【００４１】
図１（ｂ）に示すように、スロットマシン１の内部には、遊技の進行を制御する（遊技
を制御するともいえる）とともに遊技の進行に応じて各種コマンドを出力するメイン制御
部４１が設けられている。メイン制御部４１は、各種処理を実行するメインＣＰＵ４１ａ
と、各種データを記憶するＲＡＭ４１ｃなどを備える。
【００４２】
メイン制御部４１は、ＭＡＸＢＥＴスイッチ６、スタートスイッチ７、またはストップ
スイッチ８Ｌ、８Ｃ、８Ｒなどに対する操作を検出する。メイン制御部４１は、遊技用表
示部１３に含まれる遊技補助表示器１２の７セグメント表示、及び有利区間ランプ１９の
点灯または消灯を制御する。
【００４３】
スロットマシン１の内部には、メイン制御部４１からのコマンドに応じて演出を制御す
るサブ制御部９１が設けられている。サブ制御部９１は、各種処理を実行するメインＣＰ
Ｕ９１ａと、各種データを記憶するＲＡＭ９１ｃなどを備える。サブ制御部９１は、演出
用スイッチ５６に対する操作を検出する。サブ制御部９１は、液晶表示器５１の画像表示
、スピーカ５３、５４の音出力、リールＬＥＤ５５の点灯を制御する。
【００４４】
尚、図１（ｂ）は、あくまで一例であり、スロットマシン１の内部にはその他の構成も
設けられている。
【００４５】
［スロットマシンにおけるゲームの概要］
次に、スロットマシン１におけるゲームの概要を説明する。ここで、本実施例ではリー
ル２Ｌ、２Ｃ、２Ｒを回転させるためにスタートスイッチ７を操作することをレバーオン
ともいう。また、スタートスイッチ７の操作によってリール２Ｌ、２Ｃ、２Ｒが回転して
いる場合において、ストップスイッチ８Ｌ、８Ｃ、８Ｒのうち、第１の操作（最初の操作
）によって第１のリールを停止させることを第１停止操作、第２の操作（２番目の操作）
によって第２のリールを停止させることを第２停止操作、第３の操作（最後の操作）によ
って第３のリールを停止させることを第３停止操作あるいは最終停止操作ともいう。
【００４６】
スロットマシン１においてゲームを行う場合には、まず、メダルをメダル投入部４に投
入するかＭＡＸＢＥＴスイッチ６の操作などにより規定数の賭数（本実施例においては、
最大３）を設定する。これにより、入賞ラインＬＮが有効となり、かつスタートスイッチ
７への操作が有効となり、ゲームが開始可能な状態となる。また、入賞を構成する図柄の
組合せが入賞ラインＬＮに揃ったことを認識しやすくする無効ラインＬＭ１〜ＬＭ４（図
１参照）が設けられている。無効ラインＬＭ１〜ＬＭ４は、入賞判定されるラインではな
く、入賞ラインＬＮに特定の入賞図柄の組合せ（いわゆるばらけ目）が揃った際に、無効
ラインＬＭ１〜ＬＭ４のいずれかに所定の図柄の組合せ（例えば、スイカ−スイカ−スイ
カ）を揃えることで、入賞ラインＬＮに特定の入賞を構成する図柄の組合せが揃ったこと
を認識しやすくするものである。
【００４７】
ゲームが開始可能な状態でスタートスイッチ７が操作されると、メイン制御部４１は、
導出を許容する表示結果を決定する。また、スタートスイッチ７が操作されると、メイン
制御部４１は、リール２Ｌ、２Ｃ、２Ｒを回転させて図柄を変動表示させる。ストップス
イッチ８Ｌ、８Ｃ、８Ｒが操作されると、メイン制御部４１は、対応するリールの回転を
停止する。リールの回転が停止することで、透視窓３の上中下段に３つの図柄が表示結果
として導出表示される。メイン制御部４１は、導出を許容した表示結果、ならびに、遊技
者の導出操作である、ストップスイッチ８Ｌ、８Ｃ、８Ｒを操作したタイミングと、スト
ップスイッチ８Ｌ、８Ｃ、８Ｒを操作した順序とに基づいてリール２Ｌ、２Ｃ、２Ｒの回
転を停止するためのリール制御を行う。ここで、遊技者の導出操作とは、リール２Ｌ、２
Ｃ、２Ｒを停止させて表示結果を導出させるために、遊技者がストップスイッチ８Ｌ、８
Ｃ、８Ｒを操作することである。
【００４８】
入賞ラインＬＮ上に入賞図柄の組合せが停止し入賞が発生したときには、メイン制御部
４１は、入賞に応じた処理を実行する。入賞に応じた処理には、例えば、特典を付与する
処理が含まれる。ここで、遊技機であるスロットマシン１においては、１ゲームを実行す
るために規定数の賭数を設定する必要があるため、１ゲームを行う度に遊技用価値である
メダルが消費される。特典には、遊技用価値の付与、遊技用価値を消費することなくゲー
ムを実行するための権利、後述する有利区間などの有利な状態に制御するための権利など
が含まれる。
【００４９】
ここで、スロットマシン１における“ゲーム（単位遊技ともいう。）”とは、狭義には
、スタートスイッチ７が操作されてから全てのリールが停止するまでをいうが、ゲームを
行う際にスタートスイッチ７の操作前の賭数設定や、全てのリールの停止後にメダルの払
い出しや遊技状態の移行も行われるので、これらの付随的な処理も広義には“ゲーム”に
含まれる。
【００５０】
［リールユニットについて］
次に、リールユニット２の詳細な構造について、図４〜図１６に基づいて説明する。尚
、以下の説明においては、スロットマシンを正面から見たときの上下左右方向を基準とし
て説明する。図４は、リールユニットを示す斜視図である。図５は、リールユニットを示
す分解斜視図である。図６（ａ）は、リールユニットを筐体に設置した状態の断面図であ
り、図６（ｂ）は、図６（ａ）の拡大図である。図７は、各リール体の構造を示す分解斜
視図である。図８（ａ）は、リールの分解斜視図であり、図８（ｂ）は、リールの要部断
面図である。図９（ａ）は、リールの左側面図であり、図９（ｂ）は、リールの右側面図
であり、図９（ｃ）は、図９（ａ）のＡ−Ａ断面図であり、図９（ｄ）は、図９（ａ）の
Ｂ−Ｂ断面図であり、図９（ｄ）は、図９（ｃ）の拡大図である。図１０は、図７の要部
を示す分解斜視図である。図１１は、リール体を示す斜視図である。図１２は、リール体
の側面図である。図１３（ａ）は、リール体の要部断面図であり、図１３（ｂ）は、図１
３（ａ）の拡大図である。図１４は、図１２のＣ−Ｃ断面図である。図１５は、リールを
筐体に設置した状況を示す図である。図１６は、リールを筐体に設置した状況の断面図で
ある。
【００５１】
図４及び図５に示すように、リールユニット２は、リール体２００Ｌ、２００Ｃ、２０
０Ｒと、リール２Ｌ、２Ｃ、２Ｒを左右方向に並設した状態で保持するリールボックス３
５１と、から主に構成され、リールボックス３５１の上面にはリール中継基板ケース３７
０が取り付けられている。
【００５２】
リール体２００Ｌ、２００Ｃ、２００Ｒは、外周面に複数種類の図柄が配列された円筒
状のリール２Ｌ、２Ｃ、２Ｒと、リール２Ｌ、２Ｃ、２Ｒを回転駆動するリールモータ３
２Ｌ、３２Ｃ、３２Ｒと、基準位置を検出するリールセンサ３３Ｌ、３３Ｃ、３３Ｒと、
これらリール２Ｌ、２Ｃ、２Ｒ、リールモータ３２Ｌ、３２Ｃ、３２Ｒ、リールセンサ３
３Ｌ、３３Ｃ、３３Ｒを支持するリール支持板３５０Ｌ、３５０Ｃ、３５０Ｒと、リール
２Ｌ、２Ｃ、２Ｒの可変表示領域（透視窓３に対応する領域）を背面側から照射するＬＥ
Ｄユニット５５Ｌと、から主に構成される。
【００５３】
［リールボックスについて］
図４及び図５に示すように、リールボックス３５１は、合成樹脂材により前面が開口す
る箱状に形成されている。上板の前後幅寸法は下板の前後幅寸法よりも短寸に形成され、
前面開口は上方に向けて背面側に傾斜しているとともに、上板の左右幅寸法は下板の左右
幅寸法よりも若干短寸に形成され、前面開口は正面視台形状をなし、上側に向けて背面側
に傾倒するように形成されている。また、前面開口の左右側辺は、組み付けられたリール
２Ｌ、２Ｃ、２Ｒの略回転中心位置を通過するように形成されており、組み付けられたリ
ール２Ｌ、２Ｃ、２Ｒの前上部が前下部よりも大きく露呈するようになっている。
【００５４】
さらに、左右側板の前辺は後辺よりも長寸に形成されているため、前面開口は背板の面
積よりも大きく形成されている。上下幅寸法はリール２Ｌ、２Ｃ、２Ｒの直径よりもやや
長寸で、各リール２Ｌ、２Ｃ、２Ｒの後半部を収容可能な大きさを有している。
【００５５】
図５に示すように、リールボックス３５１の前面開口周囲には外向きに突出するフラン
ジ片３５２が形成されており、該フランジ片３５２における上辺部前面にはリール支持板
３５０Ｌ、３５０Ｃ、３５０Ｒを取り付けるネジ３５３ａのネジ穴を有する取付凹部３５
３Ｌ、３５３Ｃ、３５３Ｒが各リール２Ｌ、２Ｃ、２Ｒに対応して形成されているととも
に、下辺部前面にはリール支持板３５０Ｌ、３５０Ｃ、３５０Ｒを取り付けるネジ３５４
ａのネジ穴を有する取付凹部３５４Ｌ、３５４Ｃ、３５４Ｒが各リール２Ｌ、２Ｃ、２Ｒ
に対応して形成されている。また、取付凹部３５３Ｌ、３５３Ｒの左側には、リール中継
基板ケース３７０を係止する係止穴３５５ａ、３５５ｂが形成されている。
【００５６】
図５に示すように、リールボックス３５１の底板の上面には、各リール２Ｌ、２Ｃ、２
Ｒに対応して上方に隆起する隆起部３５６Ｌ、３５６Ｃ、３５６Ｒが形成されており、隆
起部３５６Ｌの右端と隆起部３５６Ｃの左端、隆起部３５６Ｃの右端と隆起部３５６Ｒの
左端、隆起部３５６Ｒの右端とリールボックス３５１の右側内面によって形成される凹溝
３５１ａ、３５１ｂ、３５１ｃによって各リール支持板３５０Ｌ、３５０Ｃ、３５０Ｒが
前後方向にスライド移動案内されるようになっている。
【００５７】
隆起部３５６Ｌ、３５６Ｃ、３５６Ｒは、図６（ａ）（ｂ）に示すように、リールボッ
クス３５１の開口端部よりも奥方の位置からリールボックス３５１の背板の内面にかけて
形成されるとともに、リールユニット２を筐体１ａに設置した状態において、リールボッ
クス３５１の背板の内面から開口側にかけて下方に傾斜するように形成されている。
【００５８】
図６（ａ）に示すように、リールボックス３５１は、リール支持板３５０Ｌ、３５０Ｃ
、３５０Ｒを介してリール２Ｌ、２Ｃ、２Ｒを設置した状態において、リールボックス３
５１の内側上面とリール２Ｌとの隙間Ｌ１０が、リールボックス３５１の内側底面（隆起
部３５６Ｌ、３５６Ｃ、３５６Ｒの上面）とリール２Ｌとの隙間Ｌ１１よりも狭くなるよ
うに形成されている。
【００５９】
また、リールボックス３５１の背板の内面における各リール支持板３５０Ｌ、３５０Ｃ
、３５０Ｒに対応する位置には、該リール支持板３５０Ｌ、３５０Ｃ、３５０Ｒの後端部
が嵌合可能な凹溝３５８が上下方向に延設されているとともに、各凹溝３５８の上下方向
の中央よりもやや下方位置には、各リール支持板３５０Ｌ、３５０Ｃ、３５０Ｒを支持す
る差込片３５９が各凹溝３５８を横切るように前向きに突設されている。
【００６０】
図５に示すように、背板の背面上部左右側には、上向きに延設される上係止片３６０ａ
、３６０ｂがネジによりそれぞれ取り付けられているとともに、これらの内側には、リー
ル中継基板ケース３７０が取り付けられるネジ穴３６３ｃを有する取付凹部３６３ａ、３
６３ｂが形成されている。また、上下方向の略中央位置には、下リール支持金具３１４（
図６参照）に係止される下係止片３６１がネジ（図示略）により水平に取り付けられてい
るとともに、下係止片３６１の下方位置には、筐体１ａの背板１ｇ（図６参照）の内面に
当接する凸条３６２が左右方向に突設されている。
【００６１】
図４に示すように、リール中継基板ケース３７０は、各リール２Ｌ、２Ｃ、２Ｒのリー
ルモータ３２Ｌ、３２Ｃ、３２Ｒ及びリールセンサ３３Ｌ、３３Ｃ、３３Ｒとメイン制御
部４１が搭載される遊技制御基板とを中継するリール中継基板と、各リール２Ｌ、２Ｃ、
２ＲのリールＬＥＤ５５とサブ制御部９１が搭載される演出制御基板とを中継するリール
ＬＥＤ中継基板と、を収納する透明な合成樹脂材からなる基板ベース４４０及び基板カバ
ー４４１から構成されている。
【００６２】
［リール体について］
次に、リール体２００Ｌについて説明する。尚、リール体２００Ｃ、２００Ｒはリール
体２００Ｃと同様の構造であるため、ここではリール体２００Ｌについてのみ説明してリ
ール体２００Ｃ、２００Ｒの説明は省略する。
【００６３】
（リールについて）
図７及び図８に示すように、リール２Ｌは、一面に複数種類の図柄が所定の順番で配列
された帯状のリールテープ４０２と、リールテープ４０２を保持する円環状の保持枠４０
１と、から構成されている。保持枠４０１は、リール２Ｌの左側端部を保持する左環状部
４０１ｂと、リール２Ｌの右側端部を保持する右環状部４０１ｄと、左環状部４０１ｂと
右環状部４０１ｄとを左右方向に連結する複数の連結部４０１ｅと、リール取付盤４０５
に４本のネジ４０５ｃ（図７では一部を省略している）により相対回動不能に取り付けら
れる円形状の取付板４０１ａと、取付板４０１ａから左環状部４０１ｂに向かって放射状
に延設される複数のスポーク４０１ｃと、から構成されている。保持枠４０１を構成する
左環状部４０１ｂ、右環状部４０１ｄ、連結部４０１ｅ、取付板４０１ａ、スポーク４０
１ｃは、光を透過する合成樹脂材により形成されている。
【００６４】
図８（ａ）（ｂ）に示すように、リールテープ４０２は、保持枠４０１に巻き回すよう
に取り付けられるとともに、遊技の進行に伴うリール２Ｌの回転方向と逆方向を向くリー
ルテープ４０２の一方の端部４０２ａを、遊技の進行に伴うリール２Ｌの回転方向を向く
リールテープ４０２の他方の端部４０２ｂの外側に重ねて接着されるようになっている。
この際、図８（ｂ）に示すように、リールテープ４０２の一方の端部４０２ａと他方の端
部４０２ｂとは、１図柄分の幅にわたり重ねて接着される。また、図８（ｂ）に示すよう
に、リールテープ４０２の内側の継ぎ目となる他方の端部４０２ｂが連結部４０１ｅと重
なる位置となるようにリールテープ４０２は、保持枠４０１に対して取り付けられ、リー
ルテープ４０２の内側の継ぎ目が連結部４０１ｅにより被覆されるようになっている。
【００６５】
図９（ａ）に示すように、保持枠４０１には、連結部４０１ｅが均等な間隔で７本設け
られているとともに、スポーク４０１ｃが均等な間隔で６本設けられている。また、スポ
ーク４０１ｃは、その中央部が連結部４０１ｅの中央部と一致しない位置に配置されてい
る。
【００６６】
図９（ａ）（ｂ）に示すように、リール２Ｌの左側部には、取付板４０１ａ及びスポー
ク４０１ｃを除く領域に開口が形成され、リール２Ｌの右側部には、ほぼ全域にわたり開
口が形成されている。図９（ａ）（ｃ）に示すように、左環状部４０１ｂには、その内周
に全周にわたり中央に向けて壁部４０１ｆが形成されているとともに、図９（ｂ）〜（ｄ
）に示すように、右環状部４０１ｄにも、その内周に全周にわたり中央に向けて突出する
壁部４０１ｇが形成されている。これにより、リール２Ｌの両側に形成される開口に全周
にわたり中央に向けて突出する壁部４０１ｆ、４０１ｇが形成されるようになっている。
【００６７】
図９（ｄ）に示すように、壁部４０１ｆ、４０１ｇの高さＬ１は、取付板４０１ａをリ
ール取付盤４０５に取り付けるネジ４０５ｃ、リールモータ３２Ｌをリール支持板３５０
Ｌに取り付けるネジ４１５ａ、後述する配線押え４２１をリール支持板３５０Ｌに取り付
けるネジ４２１ａ、後述するリフレクタ４１７にＬＥＤ基板４１６を取り付けるネジ４１
６ａ等、リール２Ｌ内に落下する可能性のあるネジのネジ頭の高さ、すなわちこれらのネ
ジが傾倒した状態の最大高の１／２の高さＬ２よりも高くなるように壁部４０１ｆ、４０
１ｇが形成されている。
【００６８】
（リール支持板について）
図１０及び図１１に示すように、リール支持板３５０Ｌは、合成樹脂材により板状に形
成され、前端辺部には、リール支持板３５０Ｌに取り付けられたリール２Ｌの内周に沿っ
て当該リール２Ｌの右側端縁の一部と重なり、右側に隣接するリール支持板３５０Ｃに取
り付けられたリール２Ｃの左側端縁の一部と重なることにより各リール２Ｌ、２Ｃ、２Ｒ
間に形成される隙間を隠蔽する帯状のリール間隠蔽片４１０が、板状部の前端辺の長手方
向にわたり該板状部に対し直交するように形成されている。
【００６９】
また、リール支持板３５０Ｌは、リール２Ｌ、２Ｃ、２Ｒの左右側部に形成された開口
よりも大きく形成されており、リール２Ｌ、２Ｃ、２Ｒを取り付けた際に、リール支持板
３５０Ｌによってリール２Ｌの右側部に形成された開口が閉塞されるとともに、隣接する
リール２Ｃの左側部に形成された開口が閉塞されるようになっている。また、リール２Ｌ
、２Ｃ、２Ｒを取り付けた際に、リール支持板３５０Ｃによってリール２Ｃの右側部に形
成された開口が閉塞されるとともに、隣接するリール２Ｒの左側部に形成された開口が閉
塞されるようになっている。また、リール２Ｌ、２Ｃ、２Ｒを取り付けた際に、リール支
持板３５０Ｒによってリール２Ｒの右側部に形成された開口が閉塞されるようになってい
る。
【００７０】
図１０、図１２及び図１３に示すように、リール支持板３５０Ｌの左側面３５０ａには
、リール支持板３５０Ｌに取り付けられたリール２Ｌの内周に沿って当該リール２Ｌの右
側端縁の一部と重なるように突出する内周側突条部４２２ａが前方下部から後方上部にわ
たり形成されているとともに、リール支持板３５０Ｌに取り付けられたリール２Ｌの外周
に沿って当該リール２Ｌの右側端縁の一部と重なるように突出する外周側突条部４２２ｂ
が前方下部から後方上部にわたり形成されている。
【００７１】
また、図１１及び図１３（ａ）に示すように、リール支持板３５０Ｌの右側面３５０ｂ
には、右側に隣接するリール支持板３５０Ｃに取り付けられたリール２Ｃの内周に沿って
当該リール２Ｃの左側端縁の一部と重なるように突出する内周側突条部４２３ａが前方下
部から後方上部にわたり形成されているとともに、右側に隣接するリール支持板３５０Ｃ
に取り付けられたリール２Ｃの外周に沿って当該リール２Ｃの右側端縁が重なるように突
出する外周側突条部４２３ｂが前方下部から後方上部にわたり形成されている。
【００７２】
尚、リール支持板３５０Ｒは、右側に隣接するリール支持板を備えないこととなるが、
リール支持板３５０Ｌ、３５０Ｃと同一形状であり、リール支持板３５０Ｒの前端辺部に
は同形状のリール間隠蔽片４１０が形成され、リール支持板３５０Ｒの右側面には同形状
の内周側突条部４２３ａ及び外周側突条部４２３ｂが形成されている。
【００７３】
このような構成により、図１３（ａ）（ｂ）に示すように、リール支持板３５０Ｌに取
り付けられたリール２Ｌの右側端縁が内周側突条部４２２ａ、外周側突条部４２２ｂの間
に配置されるとともに、隣接するリール支持板３５０Ｃに取り付けられたリール２Ｃの左
側端縁が内周側突条部４２３ａ、外周側突条部４２３ｂの間に配置されるようになってい
る。同様に、リール支持板３５０Ｃに取り付けられたリール２Ｃの右側端縁がリール支持
板３５０Ｃの内周側突条部４２２ａ、外周側突条部４２２ｂの間に配置されるとともに、
隣接するリール支持板３５０Ｒに取り付けられたリール２Ｒの左側端縁がリール支持板３
５０Ｃの内周側突条部４２３ａ、外周側突条部４２３ｂの間に配置されるようになってい
る。また、特に図示しないが、リール支持板３５０Ｒに取り付けられたリール２Ｒの右側
端縁がリール支持板３５０Ｒの内周側突条部４２２ａ、外周側突条部４２２ｂの間に配置
されるようになっている。また、図１３（ｂ）に示すように、リール２Ｌ、２Ｃ、２Ｒを
設置した状態では、リール２Ｌ、２Ｃ、２Ｒと内周側突条部４２２ａ、外周側突条部４２
２ｂ、内周側突条部４２３ａ、外周側突条部４２３ｂとの隙間が、リール２Ｌ、２Ｃ、２
Ｒ内に落下する可能性のあるネジの大きさよりも狭くなるように配置される。
【００７４】
また、特に図示しないが、リール支持板３５０Ｌに取り付けられたリール２Ｌ、２Ｃ、
２Ｒの右側端縁の内側、リール２Ｃ、２Ｒの左側端縁の内側にリール間隠蔽片４１０が配
置されるようになっている。また、リール２Ｌ、２Ｃ、２Ｒを設置した状態では、リール
２Ｌ、２Ｃ、２Ｒとリール間隠蔽片４１０との隙間が、リール２Ｌ、２Ｃ、２Ｒ内に落下
する可能性のあるネジの大きさよりも狭くなるように配置される。
【００７５】
リール支持板３５０Ｌの上辺部におけるリール間隠蔽片４１０の後端から後側に離れた
位置には、リールボックス３５１に取り付けるネジ３５３ａの取付穴４１１ａを有する取
付片４１１が上向きに突設されているとともに、下部には、リールボックス３５１に取り
付けるネジ３５４ａの取付穴４１２ａを有する取付片４１２が突設されている。また、後
端面には、リールボックス３５１の凹溝３５８に嵌合される凸部４１３が後向きに突設さ
れているとともに、該凸部４１３の後端中央位置には、差込片３５９が差し込まれる水平
なスリット４１４が形成されている。
【００７６】
リール支持板３５０Ｌの左側面略中央位置には、リールモータ３２Ｌが取り付けられる
直方形状をなすモータ取付凸部４１５が、リール支持板３５０Ｌの左側面３５０ａに突設
されており、このモータ取付凸部４１５の取付面４１５ｂには、リールモータ３２Ｌが、
ロータ３２ａが左側を向くように右側方から挿入される４本のネジ４１５ａにより取り付
けられている。
【００７７】
モータ取付凸部４１５の前方には、ＬＥＤユニット５５Ｌが取り付けられるＬＥＤユニ
ット取付凸部４１８が、リール支持板３５０Ｌの左側面３５０ａに突設されており、この
ＬＥＤユニット取付凸部４１８の取付面４１８ｂには、ＬＥＤユニット５５Ｌが取り付け
られる。ＬＥＤユニット５５Ｌは、ＬＥＤユニット５５Ｌの上下端から左方向に突設され
た係止爪４１８ａを、ＬＥＤユニット取付凸部４１８の上下端に形成された係止孔４１８
ｃに係合させることによりネジ等の取付部品を用いることなく、リール支持板３５０Ｌの
ＬＥＤユニット取付凸部４１８に対して取り付けられる。
【００７８】
また、これらモータ取付凸部４１５及びＬＥＤユニット取付凸部４１８は、左側面３５
０ａにおけるリール２Ｌにより囲まれる領域に形成されている。つまり、リールモータ３
２Ｌ及びＬＥＤユニット５５Ｌは、環状のリール２Ｌ内に納まるように配設される。
【００７９】
図１０及び図１４に示すように、リールモータ３２Ｌの本体におけるリール取付盤４０
５との対向面には、ロータ３２ａが突出されているとともに、リールセンサ３３Ｌを取り
付けるための金属製のセンサ取付板４８０がネジ４８１により取りけられている。
【００８０】
センサ取付板４８０には、一対の取付孔４８３が、ロータ３２ａを通過する仮想線に対
して平行に形成されており、これら取付孔４８３にリールセンサ３３Ｌの係止爪を係止す
ることで、配線Ｃａが外向き、つまり、ロータ３２ａと反対側に延出されるように取り付
けできるようになっている。一対の取付孔４８３は、リールセンサ３３Ｌの投光部及び受
光部に対応する箇所に形成される。
【００８１】
取付孔４８３の側方には、リールセンサ３３Ｌから外向きに延出される配線Ｃａをロー
タ３２ａ側に向けた状態で抑える配線フック４８５と、該配線フック４８５により抑えら
れた配線Ｃａをリール支持板３５０Ｌ側（右側）に挿通するための配線孔４８４が形成さ
れている。
【００８２】
リール取付盤４０５は、金属製であり、円盤状をなすリール取付部４０５ａと、リール
取付部４０５ａの周縁からリールモータ３２Ｌ側に屈曲された円環状の屈曲片部４０５ｂ
と、から構成される。リール取付部４０５ａの中心位置には、貫通孔部４０６が右側に向
けて延設され、該貫通孔部４０６には、ロータ３２ａが相対回動不能に圧入により固定さ
れている。
【００８３】
屈曲片部４０５ｂの所定箇所には、リールセンサ３３Ｌにより検出される切欠部４０８
が形成されている。よって、ロータ３２ａにリール取付盤４０５が圧入により固定した後
、センサ取付板４８０を対向面３２ｃに取り付けることで、リールセンサ３３Ｌの投光部
と受光部との間に屈曲片部４０５ｂが入り込む。よって、リール取付盤４０５の回動によ
り切欠部４０８が周回することで、リールセンサ３３Ｌにより被検出部としての切欠部４
０８が検出される。これにより、リール２Ｌの基準位置を検出できるようになっている。
【００８４】
リールモータ３２Ｌのロータ３２ａに固定されたリール取付盤４０５には、左側からリ
ール２Ｌの取付板４０１ａの右側面を当接させた状態で、右側方から挿入される４本のネ
ジ４０５ｃにより取り付けられる。これにより、リール２Ｌがリールモータ３２Ｌのロー
タ３２ａに対して相対回動不能に取り付けられる。
【００８５】
このように、リールモータ３２Ｌは、リール支持板３５０Ｌに取り付けられるとともに
、リールモータ３２Ｌをリール支持板３５０Ｌに取り付けるネジ４１５ａは、リール支持
板３５０Ｌ側からリールモータ３２Ｌに向かって右方向から挿入される。一方、リール２
Ｌは、リールモータ３２Ｌのロータ３２ａに固定されたリール取付盤４０５を介してリー
ル支持板３５０Ｌに取り付けられるとともに、リール２Ｌをリール取付盤４０５に取り付
けるネジ４０５ｃは、リール２Ｌ側からリールモータ３２Ｌに向かって左方向から挿入さ
れる。リールモータ３２Ｌは、外郭が金属製であり、ネジ４１５ａは、金属製の外郭に形
成されたネジ穴に螺入されることによりリールモータ３２Ｌは、リール支持板３５０Ｌに
取り付けられる。また、リール取付盤４０５も金属製であり、ネジ４０５ｃは、金属製の
リール取付盤４０５に形成されたネジ穴に螺入されることによりリール２Ｌは、リールモ
ータ３２Ｌを介してリール支持板３５０Ｌに取り付けられる。このため、樹脂製のリール
支持板３５０Ｌにリールモータ３２Ｌを取り付ける場合にも、樹脂製のリール２Ｌをリー
ルモータ３２Ｌを介してリール支持板３５０Ｌに取り付ける場合にも、ネジの頭と金属製
の部材に挟持された状態で取り付けられるようになっている。
【００８６】
図７及び図１０に示すように、リール支持板３５０Ｌの左側面３５０ａにおけるモータ
取付凸部４１５の上方位置には、ＬＥＤ基板４１６に接続される配線Ｃｂを係止するため
の配線フック４１９が形成されているとともに、その後側には、ＬＥＤ基板４１６に接続
される配線Ｃｂと、リールモータ３２Ｌ及びリールセンサ３３Ｌそれぞれに接続される配
線が収束された配線Ｃａと、をまとめて右側に挿通するための配線孔４２０が形成されて
いる。配線孔４２０は、リール支持板３５０Ｌの上下方向における中央よりも上側の位置
に形成されている。
【００８７】
また、図４に示すように、配線孔４２０からリール支持板３５０Ｌの右側に挿通された
配線Ｃａ、Ｃｂは、取付片４１１とリール間隠蔽片４１０の後端との間から上方に向けて
送出された状態で、右側面３５０ｂにネジ４２１ａにより取り付けられる配線押え４２１
により保持される。つまり、配線Ｃａ、Ｃｂは、リール支持板３５０Ｌの右側面３５０ｂ
側から上方に挿通して、リールボックス３５１のフランジ片３５２の近傍位置に上下方向
に配線され、リールボックス３５１の前面開口の上辺よりも前側位置から上方に送出され
、リールボックス３５１の上面に取り付けられたリール中継基板４３０に接続される。
【００８８】
［リールの配置について］
図１５に示すように、スロットマシン１が備える複数のリール２Ｌ、２Ｃ、２Ｒは、筐
体１ａの内部に、左右方向に並設される。また、リール２Ｌ、２Ｃ、２Ｒの下方には、ホ
ッパーユニット３４が配置されており、さらにホッパーユニットの上部には、メダルを貯
留するホッパータンク３４ａが設けられ、その上部全体が開口部となっている。そして、
複数のリール２Ｌ、２Ｃ、２Ｒのうちリール２Ｌは、左側端部がホッパータンク３４ａの
開口部の上方に位置せず、右側端部がホッパータンク３４ａの開口部の上方に位置するよ
うに配置され、リール２Ｃは、左側端部、右側端部がともにホッパータンク３４ａの開口
部の上方に位置するように配置され、リール２Ｒは、左側端部がホッパータンク３４ａの
開口部の上方に位置し、右側端部がホッパータンク３４ａの開口部の上方に位置しないよ
うに配置されている。
【００８９】
前述のようにリール２Ｌ、２Ｃ、２Ｒの両側端部には開口が形成されているが、図１６
に示すように、リール２Ｃ、２Ｒの右側端部の開口は、これらのリールが取り付けられる
リール支持板３５０Ｃ、３５０Ｒによって閉塞され、左側端部の開口は、これらのリール
の左側に隣接するリール支持板３５０Ｌ、３５０Ｒによって閉塞されるようになっており
、リール内に進入した異物のホッパータンク３４ａへの落下が防止されるようになってい
る。また、リール２Ｌの右側端部の開口は、当該リールが取り付けられるリール支持板３
５０Ｌによって閉塞されるとともに、リール２Ｌの左側端部の開口には、全周にわたり中
央に向けて突出する壁部４０１ｆが形成されており、リール内に進入した異物のホッパー
タンク３４ａへの落下が防止されるようになっている。
【００９０】
［リールＬＥＤ基板とリフレクタについて］
次に、図１７を用いて、ＬＥＤ基板４１６とリフレクタ４１７とについて説明する。図
１７（Ａ）は、リフレクタ４１７をＬＥＤ基板４１６に取付ける前の状態での斜視図であ
り、図１７（Ｂ）は、リフレクタ４１７をＬＥＤ基板４１６に取付けた状態（以下、「取
付状態」ともいう。）での斜視図である。
【００９１】
図１７（Ａ）に示すように、リフレクタ４１７は、側壁４１７４と、２つの仕切板４１
７２と、係合部４１７８とを含む。リフレクタ４１７は、側壁４１７４と、２つの仕切板
４１７２とにより、上段の３つのリールＬＥＤ５５を前方に臨ませる上穴４２０２、中段
の３つのリールＬＥＤ５５を前方に臨ませる中穴４２０４、下段の３つのリールＬＥＤ５
５を前方に臨ませる下穴４２０６がそれぞれ形成される。
【００９２】
上穴４２０２から臨む（露出された）３つのリールＬＥＤ５５が、１つのリール（例え
ば、左リール２Ｌ）の上段の図柄を発光させる。中穴４２０４から臨む（露出された）３
つのリールＬＥＤ５５が、１つのリール（例えば、左リール２Ｌ）の中段の図柄を発光さ
せる。下穴４２０６から臨む（露出された）３つのリールＬＥＤ５５が、１つのリール（
例えば、左リール２Ｌ）の下段の図柄を発光させる。
【００９３】
換言すれば、上穴４２０２から臨まれた（露出された）３つのリールＬＥＤ５５が、１
つのリール（例えば、左リール２Ｌ）の上段に対応する。中穴４２０４から臨まれた（露
出された）３つのリールＬＥＤ５５が、１つのリール（例えば、左リール２Ｌ）の中段に
対応する。下穴４２０６から臨まれた（露出された）３つのリールＬＥＤ５５が、１つの
リール（例えば、左リール２Ｌ）の下段に対応する。
【００９４】
このように、２つの仕切板４１７２は、各穴間を仕切することにより上段・中段・下段
に仕切られており、リール２Ｌにおける可変表示領域における上段の図柄、中段の図柄、
下段の図柄それぞれを、リール２Ｌの内側、つまり、リールテープ４０２の背面側から前
方に向けて個別に照射できるようになっている。
【００９５】
また、１のリールの上段を、第１装飾部という場合もあり、１のリールの中段を、第２
装飾部という場合もある。
【００９６】
尚、上段・中段・下段それぞれのリールＬＥＤの数は、３個に限られず、他の個数とし
ても良い。例えば、他の個数は、２個であっても良く、１個であっても良く、４個以上と
しても良い。
【００９７】
また、図１７（Ａ）に示すように、リフレクタ４１７とＬＥＤ基板４１６とは、所定の
取付手段により取付けられる。
【００９８】
所定の取付手段は、リフレクタ４１７の係合部４１７８と、該係合部４１７８が係合す
る切欠部７０を含む。また、所定の取付手段は、リフレクタ４１７のネジ穴４１７６と、
ＬＥＤ基板４１６の貫通穴６４と、ネジ４１６ａとを含む。
【００９９】
リフレクタ４１７がＬＥＤ基板４１６に取付けられる際には、係合部４１７８が切欠部
７０に係合される。これとともに、ネジ４１６ａは、貫通穴６４を貫通して、ネジ穴４１
７６に係合される。所定の取付手段はこれに限られず、他の手段としても良い。
【０１００】
また、ＬＥＤ基板４１６には、チップ抵抗６０も搭載されている。チップ抵抗６０は、
スロットマシン１（ＬＥＤ基板４１６）に供給される電圧の電圧値を、ＬＥＤ５５が発光
するのに最適な電圧値とするためのものである。したがって、チップ抵抗６０は、ＬＥＤ
５５の駆動に関する電子部品（ＬＥＤ５５を発光させることに関する電子部品）である。
【０１０１】
以下では、リールの上段に対応した３つのＬＥＤ５５を「ＬＥＤ５５Ａ」とし、リール
の中段に対応した３つのＬＥＤ５５を「ＬＥＤ５５Ｂ」とし、リールの下段に対応した３
つのＬＥＤ５５を「ＬＥＤ５５Ｃ」とする。また、ＬＥＤ５５Ａ、ＬＥＤ５５Ｂ、及びＬ
ＥＤ５５Ｃをまとめて、「ＬＥＤ５５」という場合もあり、１つのＬＥＤを「ＬＥＤ５５
」という場合もある。
【０１０２】
図１７（Ｂ）は、リフレクタ４１７をＬＥＤ基板４１６に取付けた取付状態におけるリ
フレクタ４１７とＬＥＤ基板４１６とを正面から見た図である。図１７（Ｂ）に示すよう
に、取付状態において、ＬＥＤ５５Ａ（リールの上段に対応した３つのＬＥＤ５５）が、
上穴４２０２から露出し、ＬＥＤ５５Ｂ（リールの中段に対応した３つのＬＥＤ５５）が
、中穴４２０４から露出し、ＬＥＤ５５Ｃ（リールの下段に対応した３つのＬＥＤ５５）
が、下穴４２０６から露出する。
【０１０３】
一方、取付状態において、破線で示す全てのチップ抵抗６０は、リフレクタ４１７によ
り隠蔽される。
【０１０４】
このように、全てのＬＥＤ（ＬＥＤ５５Ａ、ＬＥＤ５５Ｂ、ＬＥＤ５５Ｃ）は、ＬＥＤ
基板４１６において、取付状態で、リフレクタ４１７と重畳しない位置（リフレクタ４１
７と重畳する位置とは異なる位置）に搭載される。一方、全てのチップ抵抗６０は、ＬＥ
Ｄ基板４１６において、取付状態で、リフレクタ４１７と重畳する位置に搭載される。
【０１０５】
［ＬＥＤ基板について］
次に、ＬＥＤ基板４１６の製造方法の一例を簡単に説明する。以下では該製造方法で作
業する者を「作業者」という。ＬＥＤ基板４１６を製造するために、Ｎ個（Ｎは２以上の
整数）の接合層を用いる。接合層は、１の樹脂層と１の金属層とが接合された層である。
本実施例では、Ｎ＝２である。樹脂層は、例えば、エポキシ樹脂であり、金属層は、例え
ば、銅である。
【０１０６】
まず、積層工程において、積層プレス機などで、Ｎ個の接合層が積層されて、該積層さ
れたＮ個の接合層に対して加熱及び加圧されることにより、多層基板が製造される。その
後、エッチング工程において、ＬＥＤ５５及びチップ抵抗６０に電源を供給するためのプ
リント配線、及び第１情報（数字、文字などの銅箔文字）を多層基板に形成するために、
エッチング処理が施される。第１情報は、例えば、後述のＬＥＤ識別情報７６、電極情報
７５、抵抗識別情報６８、抵抗位置情報６１、及び基板識別情報６２を含む。
【０１０７】
その後、レジスト工程において、多層基板の主表面（図１８のＬＥＤ搭載面に対応）及
び主裏面（図１８の裏面に対応）に対してレジスト処理が施される。その後、印刷工程に
おいて、多層基板の主表面及び主裏面の少なくとも一方に対して、第２情報（数字、文字
などの印刷文字）を多層基板に形成するために、印刷処理が施される。この印刷処理は、
例えば、シルク印刷である。第２情報は、例えば、後述のＬＥＤ位置情報８２、裏面ＬＥ
Ｄ識別情報８０、裏面抵抗位置情報８６、及び裏面抵抗識別情報８４を含む。
【０１０８】
その後、搭載工程において、搭載装置または作業者の手作業などにより、ＬＥＤ５５、
チップ抵抗６０などはんだ付け等により搭載される。以下では、エッチング処理で形成さ
れる情報を「エッチング文字」ともいう。また、印刷処理で形成される情報を「印刷文字
」ともいう。
【０１０９】
次に、図１８を用いて、ＬＥＤ基板４１６の詳細を説明する。図１８（Ａ）は、ＬＥＤ
基板４１６のＬＥＤ５５が搭載されている面（以下、「ＬＥＤ搭載面４１６Ｘ」という。
）の一例を示したものであり、図１８（Ｂ）は、ＬＥＤ基板４１６のＬＥＤ搭載面４１６
Ｘとは反対側の面（以下、「裏面４１６Ｙ」という。）の一例を示したものである。
【０１１０】
また、図１８において、３つのリール２Ｌ、２Ｃ、２Ｒの配列方向（図３の左右方向）
に対応する軸をＸ軸とする。また、１のリールの上段、中段、及び下段を経由する方向（
スロットマシン１の上下方向）に対応する軸をＹ軸とする。また、ＬＥＤ基板４１６には
、ＬＥＤ５５とチップ抵抗６０とを結ぶプリント配線が形成されるが、図１８では、該プ
リント配線の一部を省略して記載している。また、図１８では、スルーホール、ビアなど
の記載も省略している。
【０１１１】
まず、図１８（Ａ）から説明する。ＬＥＤ搭載面４１６Ｘには、Ｙ軸方向に沿ってＬＥ
Ｄ５５Ａ、ＬＥＤ５５Ｂ、ＬＥＤ５５Ｃが搭載される。また、ＬＥＤ５５Ａ、ＬＥＤ５５
Ｂ、及びＬＥＤ５５Ｃのそれぞれは、Ｘ軸方向に沿って配列された３つのＬＥＤから構成
される。このように、１つのＬＥＤ搭載面４１６Ｘには、９つのＬＥＤ５５が搭載される
。
【０１１２】
また、９つのＬＥＤ５５それぞれに対応付けて、該９つのＬＥＤ５５を識別するための
ＬＥＤ識別情報７６が形成（記載）される。ＬＥＤ識別情報７６は、９つのＬＥＤ５５を
識別するものであれば、如何なる情報（文字、数字、記号など）であっても良い。図１８
の例では、ＬＥＤ５５Ａを構成する３つのＬＥＤそれぞれには、ＬＥＤ７、ＬＥＤ８、Ｌ
ＥＤ９というＬＥＤ識別情報７６が対応付けて形成されている。ＬＥＤ５５Ｂを構成する
３つのＬＥＤそれぞれには、ＬＥＤ４、ＬＥＤ５、ＬＥＤ６というＬＥＤ識別情報７６が
対応付けて記載されている。ＬＥＤ５５Ｃを構成する３つのＬＥＤそれぞれには、ＬＥＤ
３、ＬＥＤ２、ＬＥＤ１というＬＥＤ識別情報７６が対応付けて記載されている。
【０１１３】
このように、９つのＬＥＤ５５を識別するためのＬＥＤ識別情報７６が形成されること
により、例えば、９つのＬＥＤ５５のいずれかが故障した場合であっても、該故障したＬ
ＥＤをＬＥＤ識別情報で、修理者（故障を修理する者）は特定することができる。したが
って、故障したＬＥＤの付け替え作業などの負担を軽減できる。
【０１１４】
また、９つのＬＥＤ５５それぞれには、電極を示す電極情報７５も形成される。図１８
の例では、電極情報７５として、ＬＥＤ５５のアノードを示す「＋」という文字が形成さ
れる。このように、電極情報７５が形成されることにより、例えば、搭載工程において、
搭載装置または作業者は、ＬＥＤの搭載位置、及びＬＥＤのアノード（ＬＥＤの向き）を
特定することができる。したがって、搭載工程での処理の効率を向上させることができる
。尚、変形例として、電極情報７５は、他の情報として、カソードを示す情報（例えば、
「−」という文字）としても良い。
【０１１５】
また、ＬＥＤ搭載面４１６Ｘには、６つのチップ抵抗６０が搭載される。６つのチップ
抵抗６０それぞれに対応付けて、該６つのチップ抵抗６０を識別するための抵抗識別情報
６８が形成（記載）される。抵抗識別情報６８は、６つのチップ抵抗６０を識別するもの
であれば、如何なる情報（文字、数字、記号など）であっても良い。図１８の例では、６
つチップ抵抗それぞれには、Ｒ１〜Ｒ６という抵抗識別情報が対応付けて形成されている
。
【０１１６】
このように、６つのチップ抵抗６０を識別するための抵抗識別情報６８が形成されるこ
とにより、例えば、６つのチップ抵抗６０のいずれかが故障した場合であっても、該故障
した抵抗を抵抗識別情報で、修理者（故障を修理する者）は特定することができる。した
がって、故障したチップ抵抗の付け替え作業などの負担を軽減できる。
【０１１７】
また、ＬＥＤ搭載面４１６Ｘには、６つのチップ抵抗６０それぞれの搭載位置を特定す
るための抵抗位置情報６１が形成される。図１８の例では、抵抗位置情報６１として、チ
ップ抵抗６０が搭載される位置を囲む囲み線が形成される。このように、抵抗位置情報６
１が形成されることにより、例えば、搭載工程において、搭載装置または作業者は、チッ
プ抵抗６０を搭載させる位置を特定することができる。したがって、搭載工程での処理の
効率を向上させることができる。
【０１１８】
また、ＬＥＤ搭載面４１６Ｘには、基板識別情報６２が形成される。基板識別情報６２
は、ＬＥＤ基板４１６を識別するものであれば、如何なる情報（文字、数字、記号など）
であっても良い。図１８の例では、基板識別情報６２として、「ＡＢＣ１２３Ｌ」という
文字が形成されている。このように、基板識別情報６２が形成されることにより、例えば
、ＬＥＤ基板４１６を製造する工程において、製造しているＬＥＤ基板４１６の識別情報
を製造者等は認識することができる。また、ＬＥＤ基板４１６が故障した場合（例えば、
９つのＬＥＤ５５のいずれかが故障した場合）であっても、該故障したＬＥＤ基板４１６
をＬＥＤ識別情報で、修理者（故障を修理する者）は特定することができる。したがって
、故障したＬＥＤ基板４１６の修理作業などの負担を軽減できる。
【０１１９】
また、本実施例では、ＬＥＤ識別情報７６、電極情報７５、抵抗識別情報６８、抵抗位
置情報６１、及び基板識別情報６２は、全て、エッチング文字（銅箔文字）で形成される
。つまり、ＬＥＤ識別情報７６、電極情報７５、抵抗識別情報６８、抵抗位置情報６１、
及び基板識別情報６２は、エッチング工程で形成される。このように、本実施例では、Ｌ
ＥＤ搭載面４１６Ｘの全ての情報は、エッチング文字で形成される。
【０１２０】
尚、変形例として、ＬＥＤ識別情報７６、電極情報７５、抵抗識別情報６８、抵抗位置
情報６１、及び基板識別情報６２のうちの少なくとも１つは、印刷文字で形成されるよう
にしても良い。つまり、ＬＥＤ識別情報７６、電極情報７５、抵抗識別情報６８、抵抗位
置情報６１、及び基板識別情報６２のうちの少なくとも１つは、印刷工程で形成されるよ
うにしても良い。
【０１２１】
また、図１７（Ｂ）のＬＥＤ基板４１６の裏面４１６Ｙには、コネクタ挿入口８８が形
成される。このコネクタ挿入口８８には、配線Ｃ３（図３参照）の先に形成されたコネク
タが挿入される。この配線Ｃ３は、電源を供給するための電源線などを含む。この電源線
からの電圧が、ＬＥＤ５５などに供給される。
【０１２２】
また、該コネクタ挿入口８８を裏面４１６Ｙで維持するためのはんだ部６５が、ＬＥＤ
基板４１６のＬＥＤ搭載面４１６Ｘに形成される。はんだ部６５は、ＬＥＤ５５に電圧を
供給させるためのコネクタ挿入口８８を裏面４１６Ｙで維持するためのものである。した
がって、はんだ部６５は、ＬＥＤ５５の駆動に関する電子部品（ＬＥＤ５５を発光させる
ことに関する電子部品）である。
【０１２３】
図１８（Ａ）の破線は、リフレクタ４１７をＬＥＤ基板４１６に取付けた取付状態にお
いて、リフレクタ４１７が重畳する重畳領域Ｐ（つまり、リフレクタ４１７により隠蔽さ
れる領域）を示す。また、重畳領域Ｐ以外の領域（重畳領域Ｐとは異なる領域）を「非重
畳領」という。
【０１２４】
図１８（Ａ）の例では、９つのＬＥＤ５５は、非重畳領域に搭載される。また、ＬＥＤ
識別情報７６、基板識別情報６２、及び電極情報７５は、非重畳領域に形成される。例え
ば、基板識別情報６２は、取付状態において、中穴４２０４（図１７（Ｂ）など参照）か
ら露出する。一方、電子部品（チップ抵抗６０、及びはんだ部６５）は重畳領域Ｐに搭載
または形成され、抵抗位置情報６１、及び抵抗識別情報６８は重畳領域Ｐに形成される。
【０１２５】
また、本実施例では、レジスト工程において、多層基板の状態におけるＬＥＤ搭載面４
１６Ｘにレジストが塗布される。このレジストは、該レジスト工程の前でのエッチング工
程で形成されたプリント配線、及び第１情報（銅箔文字）を保護するためのものであると
ともに、搭載されるＬＥＤ５５の反射効率を高めるためのものである。ここで、レジスト
の色は、搭載されるＬＥＤ５５の反射効率を高めるものであれば、如何なるものであって
も良く、例えば、白色である。
【０１２６】
尚、変形例として、ＬＥＤ搭載面４１６Ｘは、ＬＥＤ５５Ａと、ＬＥＤ５５Ｂとを含む
９つのＬＥＤ５５それぞれからの光が反射可能に構成されていれば（ＬＥＤ５５Ａと、Ｌ
ＥＤ５５Ｂとを含む９つのＬＥＤ５５それぞれからの光の反射効率を高めるように構成さ
れていれば）、どのような構成であっても良い。例えば、ＬＥＤ搭載面４１６Ｘに他の加
工を施すようにしても良い。他の加工は、ＬＥＤ搭載面４１６Ｘにメッキを塗布するメッ
キ加工と、ＬＥＤ搭載面４１６Ｘにラミネートを積層させるラミネート加工と、ＬＥＤ搭
載面４１６Ｘにフィルムを貼り付けるフィルム加工などのうち少なくとも１つの加工を含
む。また、ＬＥＤ搭載面４１６Ｘの加工前の状態が、９つのＬＥＤ５５それぞれからの光
が反射可能に構成されていれば、９つのＬＥＤ５５それぞれからの光が反射可能にするた
めの加工をしないようにしても良い。例えば、ＬＥＤ基板４１６を構成する樹脂層の素材
が、ＬＥＤ５５Ａと、ＬＥＤ５５Ｂとを含む９つのＬＥＤ５５それぞれからの光が反射可
能となる素材である場合には、ＬＥＤ搭載面４１６Ｘに、９つのＬＥＤ５５それぞれから
の光が反射可能にするための加工をしないようにしても良い。
【０１２７】
また、リフレクタ４１７の色も、搭載されるＬＥＤ５５の反射効率を高めるための色と
される。リフレクタ４１７の色は、搭載されるＬＥＤ５５の反射効率を高めるものであれ
ば、如何なるものであっても良く、例えば、白色である。尚、レジストの色、及びリフレ
クタ４１７の色の少なくとも一方は、搭載されるＬＥＤ５５の反射効率を高める色であれ
ば、他の色であっても良い。
【０１２８】
また、リフレクタ４１７は、ＬＥＤ５５Ａと、ＬＥＤ５５Ｂとを含む９つのＬＥＤ５５
それぞれからの光が反射可能に構成されていれば、リフレクタ４１７（リフレクタ４１７
の表面）は、どのような構成であっても良い。例えば、リフレクタ４１７（リフレクタ４
１７の表面）に所定の加工が施されるようにしても良い。所定の加工は、９つのＬＥＤ５
５それぞれからの光が反射可能となるための（反射効率を高めるための）加工である。所
定の加工は、例えば、９つのＬＥＤ５５それぞれからの光が反射可能に（反射効率を高め
るための）塗布剤をリフレクタ４１７の表面に塗布する塗布剤加工と、リフレクタ４１７
の表面にメッキを塗布するメッキ加工と、リフレクタ４１７の表面にラミネートを積層さ
せるラミネート加工と、リフレクタ４１７の表面にフィルムを貼り付けるフィルム加工な
どのうち少なくとも１つの加工を含む。また、リフレクタ４１７の表面の加工前の状態が
、ＬＥＤ５５Ａと、ＬＥＤ５５Ｂとを含む９つのＬＥＤ５５それぞれからの光が反射可能
に構成されていれば、何ら加工をしないようにしても良い。
【０１２９】
次に、図１８（Ｂ）を用いて、ＬＥＤ基板４１６の裏面４１６Ｙを説明する。裏面４１
６Ｙには、ＬＥＤ搭載面４１６Ｘにおいて９つのＬＥＤ５５が搭載される位置に対向する
対向位置に、９つのＬＥＤ５５の搭載位置を特定するためのＬＥＤ位置情報８２が形成さ
れる。
【０１３０】
対向位置とは、例えば、ＬＥＤ搭載面４１６Ｘと、裏面４１６Ｙにおいて、Ｘ軸及びＹ
軸のうちいずれか一方の軸（図１８の例では、Ｙ軸）の座標が同一である一方、他方の軸
（図１８の例では、Ｘ軸）の座標が異なることをいう。また、「他方の軸の座標が異なる
」とは、「他方の軸（図１８の例では、Ｘ軸）の中点を通り、一方の軸に平行な線（図１
８の例では、一転鎖線で示す線Ｌ）」を中心にして、線対称となる関係をいう。
【０１３１】
図１８の例では、ＬＥＤ位置情報８２として、ＬＥＤ５５が搭載される位置を囲む囲み
線が破線で形成される。このように、裏面４１６ＹにＬＥＤ位置情報８２が形成されるこ
とにより、例えば、搭載工程において、搭載装置または作業者は、ＬＥＤ５５を搭載させ
る位置を裏面４１６Ｙからでも特定することができる。したがって、搭載工程での処理の
効率を向上させることができる。
【０１３２】
また、ＬＥＤ搭載面４１６Ｘに形成された９つのＬＥＤ識別情報７６に対応して、裏面
４１６Ｙにも９つのＬＥＤ識別情報（以下、「裏面ＬＥＤ識別情報８０」という。）が形
成される。９つの裏面ＬＥＤ識別情報８０のそれぞれは、９つのＬＥＤ識別情報７６それ
ぞれと同様に、「ＬＥＤ１〜ＬＥＤ９」である。９つの裏面ＬＥＤ識別情報８０それぞれ
は、ＬＥＤ搭載面４１６Ｘと、裏面４１６Ｙにおいて、９つのＬＥＤ識別情報７６それぞ
れに対向する対向位置、または該対向位置からずれた位置に形成される。
【０１３３】
図１８（Ｂ）の例では、９つの裏面ＬＥＤ識別情報８０それぞれは、該対向位置からず
れた位置に形成される。このように、裏面４１６Ｙに、裏面ＬＥＤ識別情報８０が形成さ
れることにより、搭載されているＬＥＤ５５の識別情報を、ＬＥＤ搭載面４１６Ｘからの
みならず、裏面４１６Ｙからも作業者等は特定することができる。
【０１３４】
また、ＬＥＤ搭載面４１６Ｘに形成された６つの抵抗位置情報６１に対応して、裏面４
１６Ｙにも６つの抵抗位置情報（以下、「裏面抵抗位置情報８６」という。）が形成され
る。６つの裏面抵抗位置情報８６それぞれは、ＬＥＤ搭載面４１６Ｘと、裏面４１６Ｙに
おいて、６つの抵抗位置情報６１それぞれに対向する対向位置、または該対向位置からず
れた位置に形成される。図１８（Ｂ）の例では、６つの裏面抵抗位置情報８６それぞれは
、該対向位置に形成される。このように、裏面４１６Ｙに、裏面抵抗位置情報８６が形成
されることにより、例えば、搭載工程において、搭載装置または作業者は、チップ抵抗６
０を搭載させる位置を裏面４１６Ｙからでも特定することができる。したがって、搭載工
程での処理の効率を向上させることができる。
【０１３５】
また、ＬＥＤ搭載面４１６Ｘに形成された６つの抵抗識別情報６８に対応して、裏面４
１６Ｙにも６つの抵抗識別情報（以下、「裏面抵抗識別情報８４」という。）が形成され
る。６つの裏面抵抗識別情報８４それぞれは、ＬＥＤ搭載面４１６Ｘと、裏面４１６Ｙに
おいて、６つの抵抗識別情報６８それぞれに対向する対向位置、または該対向位置からず
れた位置に形成される。図１８（Ｂ）の例では、６つの裏面抵抗識別情報８４それぞれは
、該対向位置に形成される。このように、裏面４１６Ｙに、裏面抵抗識別情報８４が形成
されることにより、搭載されているＬＥＤ５５の識別情報を、ＬＥＤ搭載面４１６Ｘから
のみならず、裏面４１６Ｙからも作業者等は特定することができる。
【０１３６】
また、ＬＥＤ搭載面４１６Ｘに形成された基板識別情報６２に対応して、裏面４１６Ｙ
にも６つの基板識別情報（以下、「裏面基板識別情報９０」という。）が形成される。裏
面基板識別情報９０は、ＬＥＤ搭載面４１６Ｘと、裏面４１６Ｙにおいて、基板識別情報
６２に対向する対向位置、または該対向位置からずれた位置に形成される。図１８（Ｂ）
の例では、裏面基板識別情報９０は、該対向位置に形成される。このように、裏面４１６
Ｙに、裏面抵抗位置情報８６が形成されることにより、ＬＥＤ基板４１６の識別情報をＬ
ＥＤ搭載面４１６Ｘからのみならず、裏面４１６Ｙからも作業者等は特定することができ
る。
【０１３７】
裏面４１６Ｙには、コネクタ挿入口８８が形成される。また、ＬＥＤ基板４１６には、
貫通穴６４と、切欠部７０とが形成される。
【０１３８】
また、本実施例では、裏面４１６Ｙには、ＬＥＤ位置情報８２、裏面ＬＥＤ識別情報８
０、裏面抵抗位置情報８６、及び裏面抵抗識別情報８４は、印刷文字（例えば、シルク印
刷文字）で形成される。つまり、ＬＥＤ位置情報８２、裏面ＬＥＤ識別情報８０、裏面抵
抗位置情報８６、及び裏面抵抗識別情報８４は、印刷工程で形成される。したがって、プ
リント配線が形成された領域に、これら印刷文字を形成することができる。図１８（Ｂ）
の例では、プリント配線９３が形成された領域に、ＬＥＤ識別情報がＬＥＤ５であるＬＥ
ＤについてのＬＥＤ位置情報８２が形成されている例を示す。また、裏面基板識別情報９
０は、エッチング文字（銅箔文字）で形成される。つまり、裏面基板識別情報９０は、エ
ッチング工程で形成される。
【０１３９】
尚、変形例として、ＬＥＤ位置情報８２、裏面ＬＥＤ識別情報８０、裏面抵抗位置情報
８６、及び裏面抵抗識別情報８４のうち少なくとも１つは、エッチング文字で形成される
ようにしても良い。また、変形例として、裏面基板識別情報９０は、印刷文字で形成され
るようにしても良い。
【０１４０】
図１８に示すように、ＬＥＤ５５の駆動に関する電子部品（例えば、チップ抵抗６０及
びはんだ部６５）は、ＬＥＤ搭載面４１６Ｘには実装されている一方、裏面４１６Ｙには
実装されていない。換言すれば、ＬＥＤ５５の駆動に関する電子部品は、ＬＥＤ搭載面４
１６Ｘのみに実装されている。
【０１４１】
また、取付状態において、裏面４１６Ｙには、リフレクタ４１７は取付けられないこと
から、裏面４１６Ｙに形成された情報（例えば、裏面基板識別情報９０）は露出した状態
となる。
【０１４２】
次に、図１９を用いて、左リールＬＥＤ基板、中リールＬＥＤ基板、右リールＬＥＤ基
板について説明する。左リールＬＥＤ基板は、左リールの上段、中段、下段それぞれを該
左リールの背面から照射するＬＥＤを搭載したＬＥＤ基板である。中リールＬＥＤ基板は
、中リールの上段、中段、下段それぞれを該中リールの背面から照射するＬＥＤを搭載し
たＬＥＤ基板である。右リールＬＥＤ基板は、右リールの上段、中段、下段それぞれを該
右リールの背面から照射するＬＥＤを搭載したＬＥＤ基板である。
【０１４３】
図１９（Ａ）〜図１９（Ｃ）はそれぞれ、左リールＬＥＤ基板、中リールＬＥＤ基板、
右リールＬＥＤ基板のＬＥＤ搭載面を簡略化した図である。図１９（Ａ）〜図１９（Ｃ）
では、基板識別情報６２を示し、他の情報、及び他の部材は省略している。図１９（Ａ）
〜図１９（Ｃ）それぞれに示すように、左リール２Ｌの基板識別情報６２、中リール２Ｃ
の基板識別情報６２、右リール２Ｒの基板識別情報６２のそれぞれは、左リールＬＥＤ基
板のＬＥＤ搭載面の全領域、中リールＬＥＤ基板のＬＥＤ搭載面の全領域、右リールＬＥ
Ｄ基板のＬＥＤ搭載面の全領域において、同一の座標で形成される。同一の座標とは、Ｘ
軸座標及びＹ軸座標のそれぞれにおいて同一であるということである。左リール２Ｌの基
板識別情報６２、中リール２Ｃの基板識別情報６２、右リール２Ｒの基板識別情報６２の
それぞれは、取付状態において、左リールの中穴４２０４、中リールの中穴４２０４、及
び右リールの中穴４２０４から露出される位置に形成される。
【０１４４】
また、図１９（Ａ）〜図１９（Ｃ）の例での基板識別情報６２は、ＬＥＤ基板であるこ
とのみならず、左リールＬＥＤ基板、中リールＬＥＤ基板、右リールＬＥＤ基板のいずれ
であるかをも作業者等は、特定できる情報となっている。図１９（Ａ）〜図１９（Ｃ）の
例では、左リールＬＥＤ基板の基板識別情報６２は、「ＡＢＣ１２３Ｌ」となっており、
中リールＬＥＤ基板の基板識別情報６２は、「ＡＢＣ１２３Ｃ」となっており、右リール
ＬＥＤ基板の基板識別情報６２は、「ＡＢＣ１２３Ｒ」となっている。
【０１４５】
［配線ケーブルについて］
次に、配線ケーブルについて、説明する。本実施例の遊技機には、遊技制御基板、演出
制御基板、電源基板が設けられており、遊技制御基板によって遊技状態が制御され、演出
制御基板によって遊技状態に応じた演出が制御され、電源基板によって遊技機を構成する
電気部品の駆動電源が生成され、各部に供給される。
【０１４６】
また、遊技機が備える電気部品はユニット化されているものもある。例えば、メダルを
使用する遊技機は、投入されたメダルを選別するメダルセレクタを備えている。メダルセ
レクタは、メダル流下流路の複数箇所においてメダルの通過を検出する複数のセンサや、
真正なメダルをホッパータンクに通過させ、偽メダルを排出口から排出させるブロッカー
などの部品をユニット化したものである。リールを有する遊技機は、１のリールを適切に
回転駆動させるリール駆動装置を備えている。リール駆動装置は、図３に示すように、リ
ールモータ３２Ｌやリールセンサ３３Ｌなどの部品をユニット化したものである。また、
例えば、遊技機が備える演出用の可動部材は、複数の可動部（モータ）や、演出用の複数
のＬＥＤなどの部品をユニット化したものである。遊技機が備えるその他の電気部品につ
いても同様に、複数の部品をユニット化したものもある。
【０１４７】
次に、遊技制御基板、演出制御基板、電源基板、外部出力基板等の各基板や、電気部品
などを電気的に接続する配線ケーブル（束配線）について説明する。図２０は、本実施例
に係る配線ケーブルＣ１（図３参照）の斜視図である。
【０１４８】
基板とユニット化された電気部品とを電気的に接続する際には、１本の配線ケーブルで
接続可能であれば接続作業を効率化することができる。また、上述したとおり、ユニット
化された電気部品は、複数の部品をユニット化したものである。よって、配線ケーブルＣ
１を複数に分岐させることで、基板とユニット化された電気部品とを１本の配線ケーブル
Ｃ１で接続することができ、かつ、ユニット化された電気部品を構成する複数の部品のそ
れぞれと基板とを電的に接続することができる。
【０１４９】
例えば、図２０に示すように、配線ケーブルＣ１が備える配線４５０は、配線４５２と
配線４５４とに分岐する。配線ケーブルＣ１が備える配線４５０のうち、基板側に接続す
る端には第１接続部７００を接続する。ユニット化されたリール駆動装置を構成する複数
（２つ）の部品（リールモータ３２Ｌ及びリールセンサ３３Ｌ）のそれぞれに接続する端
には第２接続部８００と、第３接続部９００とを接続する。図４及び図７に示すリールユ
ニット２の例では、リール中継基板とリールモータ３２Ｌ及びリールセンサ３３Ｌとを接
続する配線ケーブルＣａとして、配線ケーブルＣ１が用いられており、第１接続部７００
が、リール中継基板に接続され、第２接続部８００が、リールモータ３２Ｌに接続され、
第３接続部９００が、リールセンサ３３Ｌに接続される。この場合には、基板とユニット
化された電気部品とを１本の配線ケーブルＣ１で接続することができ、かつ、ユニット化
された電気部品を構成する２つの部品のそれぞれと基板とを電気的に接続することができ
る。
【０１５０】
このように、配線ケーブルＣ１のうち、例えば複数に分岐している側には、複数の接続
部が接続されている。尚、例えば、従来知られている配線ケーブルでは複数の接続部の判
別が難しく、接続部をいずれの箇所に接続するか判別し難い。そのため、従来知られてい
る配線ケーブルでは、本来接続すべき部品とは異なる部品に接続してしまう虞もある。ま
た、本来接続すべき部品とは異なる部品に接続すると、部品が正常に動作しない虞や、部
品が故障する虞もある。
【０１５１】
そこで、本実施例では、配線ケーブルＣ１が備える複数（７本）の配線４５０の色に特
徴を持たせ、第２接続部８００と、第３接続部９００との区別を容易に行うことができ、
いずれの箇所に接続するか判別しやすくしている。
【０１５２】
図２１は、本実施例に係る配線ケーブルＣ１の模式図である。配線ケーブルＣ１は、複
数の配線４５０を備える。図２１の例では、配線ケーブルＣ１は７本の配線４５０を備え
る。配線４５０の各色は、青色、橙色、橙色、橙色、橙色、橙色、桃色である。具体的に
は、配線４５０の各色は、７本の配線４５０のうち、１本目の配線の色が青色であり、２
本目〜６本目の配線の色が橙色であり、７本目の配線の色が桃色である。また、配線ケー
ブルＣ１は、７本の配線４５０の一方の端に接続される第１接続部７００と、７本の配線
の他方の端に接続される第２接続部８００と、第３接続部９００とを備える。
【０１５３】
具体的には、図２１に示すように、１本目〜７本目の配線４５０の一方の端は第１接続
部７００に接続し、他方の端（配線４５２の端）は第２接続部８００に接続している。つ
まり、青色、及び橙色の配線の一方の端は第１接続部７００に接続し、他方の端は第２接
続部８００に接続している。また、６本目、７本目の配線４５０の一方の端は第１接続部
７００に接続し、他方の端（配線４５４の端）は第３接続部９００に接続している。つま
り、橙色、及び桃色の配線の一方の端は第１接続部７００に接続し、他方の端は第３接続
部９００に接続している。
【０１５４】
次に、他の配線ケーブルＣ２について説明する。図２２は、配線ケーブルＣ２の斜視図
を示す図である。図２２に示すように、配線６００は、配線６０２と、配線６０４と、配
線６０６と、配線６０８とに分岐する。配線ケーブルＣ２が備える配線６００のうち、基
板側に接続する端には第１接続部１００を接続し、ユニット化された電気部品を構成する
複数の部品のそれぞれに接続する端には、配線６０２が接続される第２接続部２００と、
配線６０４が接続される第３接続部３００と、配線６０６が接続される第４接続部４００
と、配線６０８が接続される第５接続部５００とを接続する。この場合には、基板とユニ
ット化された電気部品とを１本の配線ケーブルＣ２で接続することができ、かつ、ユニッ
ト化された電気部品を構成する４つの部品のそれぞれと基板とを電気的に接続することが
できる。
【０１５５】
図２３は、本実施例に係る配線ケーブルＣ２の模式図である。配線ケーブルＣ２は、複
数の配線６００を備える。図示する例では配線ケーブルＣ２は１１本の配線６００を備え
る。配線６００の各色は、茶色、赤色、橙色、黄色、緑色、青色、紫色、灰色、白色、黒
色、桃色であり、各配線６００の色が全て異なっている。尚、配線６００の色はこれに限
らず、どのような色であっても良い。また、配線ケーブルＣ２は、１１本の配線６００の
一方の端に接続される第１接続部１００と、１１本の配線の他方の端に接続される第２接
続部２００と、第３接続部３００と、第４接続部４００、第５接続部５００とを備える。
【０１５６】
具体的には、茶色、赤色、橙色の配線６００の一方の端は第１接続部１００に接続し、
他方の端（配線６０２の端）は第２接続部２００に接続している。また、黄色、緑色、青
色の配線６００の一方の端は第１接続部１００に接続し、他方の端（配線６０４の端）は
第３接続部３００に接続している。また、紫色、灰色、白色の配線６００の一方の端は第
１接続部１００に接続し、他方の端（配線６０６の端）は第４接続部４００に接続してい
る。また、黒色、桃色の配線６００の一方の端は第１接続部１００に接続し、他方の端（
配線６０８の端）は第５接続部５００に接続している。このように、配線ケーブルＣ２は
４つに分岐している。また、第２接続部２００、第３接続部３００、第４接続部４００、
第５接続部５００に接続される複数の配線６００の色は全て異なっている。
【０１５７】
図２０及び図２１に示した第１接続部７００、第２接続部８００、第３接続部９００は
、それぞれ、基板に設けられた接続部（レセクタプル）と接続する。また、図２２及び図
２３に示した第１接続部１００、第２接続部２００、第３接続部３００、第４接続部４０
０、第５接続部５００は、それぞれ、基板に設けられた接続部（レセクタプル）と接続す
る。また、第１接続部７００、第２接続部８００、第３接続部９００、第１接続部１００
、第２接続部２００、第３接続部３００、第４接続部４００、第５接続部５００は、それ
ぞれ操作部を備える。操作部は、作業者や作業ロボットが第１接続部１００、第２接続部
２００、第３接続部３００、第４接続部４００、第５接続部５００を接続部（レセクタプ
ル）に取り付けたり取り外したりするために操作するものである。
【０１５８】
図２４は、配線ケーブルＣ２による接続例を示す図である。図２４において、第１接続
部１００は、第１基板７０１の接続部（レセクタプル）７１１に接続されている。また、
第２接続部２００は、第２基板７０２の接続部（レセクタプル）７１２に接続されている
。また、第３接続部３００は、第２基板７０２の接続部（レセクタプル）７１３に接続さ
れている。また、第４接続部４００は、第３基板７０３の接続部（レセクタプル）７１４
に接続されている。また、第５接続部５００は、第３基板７０３の接続部（レセクタプル
）７１５に接続されている。
【０１５９】
尚、接続部（レセクタプル）７１１には第１接続部１００を接続することを分かりやす
くし、接続部（レセクタプル）７１２には第２接続部２００を接続することを分かりやす
くし、接続部（レセクタプル）７１３には第３接続部３００を接続することを分かりやす
くし、接続部（レセクタプル）７１４には第４接続部４００を接続することを分かりやす
くし、接続部（レセクタプル）７１５には第５接続部５００を接続することを分かりやす
くすることが望ましい。例えば、接続する接続部１００、２００、３００、４００、５０
０を特定できるように、名称などを接続部（レセクタプル）７１１〜７１５に表示するよ
うにしても良い。
【０１６０】
これにより、第１接続部１００、第２接続部２００、第３接続部３００、第４接続部４
００、第５接続部５００をそれぞれ判別できれは、接続先の接続部（レセクタプル）７１
１〜７１５を容易に判別することができる。
【０１６１】
尚、第２接続部２００、第３接続部３００、第４接続部４００の形状は同一である。ま
た、第２接続部２００、第３接続部３００、第４接続部４００のそれぞれの形状と、第５
接続部５００の形状は類似している。
【０１６２】
そこで、本実施例では、第２接続部２００、第３接続部３００、第４接続部４００、第
５接続部５００をそれぞれ判別しやすくするため、第２接続部２００、第３接続部３００
、第４接続部４００、第５接続部５００に接続される配線の色に特徴を持たせている。
【０１６３】
具体的には、第２接続部２００に接続される３本の配線６０２には、少なくとも赤色（
特定色）の配線を含め、第３接続部３００に接続される３本の配線６０４には、赤色（特
定色）の配線６００を含めない。同様に、第４接続部４００に接続される３本の配線６０
６と、第５接続部５００に接続される２本の配線６０８にも、赤色（特定色）の配線を含
めない。これにより、赤色（特定色）の配線が接続されていることを確認することで、例
えば他の接続部と形状が同一もしくは類似していても、第２接続部２００を容易に判別す
ることができる。よって、本実施例においては、第２接続部２００を判別しやすくでき、
第２接続部２００をいずれの箇所に接続するか判別しやすくできる。
【０１６４】
また、第３接続部３００に接続される３本の配線６０４には、少なくとも青色（特別色
）の配線を含め、第２接続部２００に接続される３本の配線６０２には、青色（特別色）
の配線を含めない。同様に、第４接続部４００に接続される３本の配線６０６と、第５接
続部５００に接続される２本の配線６０８にも、青色（特別色）の配線を含めない。これ
により、青色（特別色）の配線が接続されていることを確認することで、例えば他の接続
部と形状が同一もしくは類似していても、第３接続部３００を容易に判別することができ
る。よって、本実施例においては、第３接続部３００を判別しやすくでき、第３接続部３
００をいずれの箇所に接続するか判別しやすくできる。
【０１６５】
また、第４接続部４００に接続される３本の配線６０６には、少なくとも紫色の配線を
含め、第２接続部２００に接続される３本の配線６０２には、紫色の配線を含めない。同
様に、第３接続部３００に接続される３本の配線６０４と、第５接続部５００に接続され
る２本の配線６０８にも、紫色の配線を含めない。これにより、紫色の配線が接続されて
いることを確認することで、例えば他の接続部と形状が同一もしくは類似していても、第
４接続部４００を容易に判別することができる。よって、本実施例においては、第４接続
部４００を判別しやすくでき、第４接続部４００をいずれの箇所に接続するか判別しやす
くできる。
【０１６６】
また、第５接続部５００に接続される２本の配線６０８には、少なくとも桃色の配線を
含め、第２接続部２００に接続される３本の配線６０２には、桃色の配線を含めない。同
様に、第３接続部３００に接続される３本の配線６０４と、第４接続部４００に接続され
る３本の配線６０６にも、桃色の配線を含めない。これにより、桃色の配線が接続されて
いることを確認することで、例えば他の接続部と形状が同一もしくは類似していても、第
５接続部５００を容易に判別することができる。よって、本実施例においては、第５接続
部５００を判別しやすくでき、第５接続部５００をいずれの箇所に接続するか判別しやす
くできる。
【０１６７】
また、図２３に示した例では、１１本の配線６００の色がそれぞれ異なっていたが、こ
れに限らない。例えば、第２接続部２００に接続される配線は、少なくとも特定色の配線
を含み、第３接続部に接続される配線は、特定色の配線を含まなければ、各配線６００の
色はどのような色であっても良い。
【０１６８】
例えば、第２接続部２００に接続される配線６００のうち、１本でも、第３接続部３０
０と第４接続部４００とのそれぞれに接続される配線６００と異なる色であれば、他の配
線６００の色はどのような色であっても良い。例えば、他の配線６００のうち、一部の配
線６００の色が同一であっても良い。
【０１６９】
同様に、第３接続部３００に接続される配線６００のうち、１本でも、第２接続部２０
０と第４接続部４００とのそれぞれに接続される配線６００と異なる色であれば、他の配
線６００の色はどのような色であっても良い。また、第４接続部４００に接続される配線
６００のうち、１本でも、第２接続部２００と第３接続部３００とのそれぞれに接続され
る配線６００と異なる色であれば、他の配線６００の色はどのような色であっても良い。
【０１７０】
図２５は、本実施例の他の例に係る配線ケーブルＣ２の模式図である。図示する例では
配線ケーブルＣ２は１１本の配線６００を備える。配線６００の各色は、赤色、黒色、黒
色、青色、黒色、黒色、黄色、黒色、黒色、緑色、黒色である。また、配線ケーブルＣ２
は、１１本の配線６００の一方の端に接続される第１接続部１００と、１１本の配線の他
方の端に接続される第２接続部２００と、第３接続部３００と、第４接続部４００とを備
える。
【０１７１】
具体的には、赤色、黒色、黒色の配線６００の一方の端は第１接続部１００に接続し、
他方の端（配線６０２の端）は第２接続部２００に接続している。また、青色、黒色、黒
色の配線６００の一方の端は第１接続部１００に接続し、他方の端（配線６０４の端）は
第３接続部３００に接続している。また、黄色、黒色、黒色の配線６００の一方の端は第
１接続部１００に接続し、他方の端（配線６０６の端）は第４接続部４００に接続してい
る。また、緑色、黒色の配線６００の一方の端は第１接続部１００に接続し、他方の端（
配線６０８の端）は第５接続部５００に接続している。このように、配線ケーブルＣ２は
４つに分岐している。
【０１７２】
図２５に示す例では、第２接続部２００に接続される３本の配線６０２には、少なくと
も赤色（特定色）の配線を含め、第３接続部３００に接続される３本の配線６０４には、
赤色（特定色）の配線を含めない。同様に、第４接続部４００に接続される３本の配線６
０６と、第５接続部５００に接続される２本の配線６０８にも、赤色（特定色）の配線を
含めない。これにより、赤色（特定色）の配線が接続されていることを確認することで、
例えば他の接続部と形状が同一もしくは類似しており、かつ、一部の配線の色が同一であ
っても、第２接続部２００を容易に判別することができる。よって、本実施例においては
、第２接続部２００を判別しやすくでき、第２接続部２００をいずれの箇所に接続するか
判別しやすくできる。
【０１７３】
また、第３接続部３００に接続される３本の配線６０４には、少なくとも青色（特別色
）の配線を含め、第２接続部２００に接続される３本の配線６０２には、青色（特別色）
の配線を含めない。同様に、第４接続部４００に接続される３本の配線６０６と、第５接
続部５００に接続される２本の配線６０８にも、青色（特別色）の配線を含めない。これ
により、青色（特別色）の配線が接続されていることを確認することで、例えば他の接続
部と形状が同一もしくは類似しており、かつ、一部の配線の色が同一であっても、第３接
続部３００を容易に判別することができる。よって、本実施例においては、第３接続部３
００を判別しやすくでき、第３接続部３００をいずれの箇所に接続するか判別しやすくで
きる。
【０１７４】
また、第４接続部４００に接続される３本の配線６０６には、少なくとも黄色の配線を
含め、第２接続部２００に接続される３本の配線６０２には、黄色の配線を含めない。同
様に、第３接続部３００に接続される３本の配線６０４と、第５接続部５００に接続され
る２本の配線６０８にも、黄色の配線を含めない。これにより、黄色の配線が接続されて
いることを確認することで、例えば他の接続部と形状が同一もしくは類似しており、かつ
、一部の配線の色が同一であっても、第４接続部４００を容易に判別することができる。
よって、本実施例においては、第４接続部４００を判別しやすくでき、第４接続部４００
をいずれの箇所に接続するか判別しやすくできる。
【０１７５】
また、第５接続部５００に接続される２本の配線６０８には、少なくとも緑色の配線を
含め、第２接続部２００に接続される３本の配線６０２には、緑色の配線を含めない。同
様に、第３接続部３００に接続される３本の配線６０４と、第４接続部４００に接続され
る２本の配線６０６にも、緑色の配線６００を含めない。これにより、緑色の配線が接続
されていることを確認することで、例えば他の接続部と形状が同一もしくは類似しており
、かつ、一部の配線６００の色が同一であっても、第５接続部５００を容易に判別するこ
とができる。よって、本実施例においては、第５接続部５００を判別しやすくでき、第５
接続部５００をいずれの箇所に接続するか判別しやすくできる。
【０１７６】
また、第２接続部８００の形状と、第３接続部９００の形状とは類似している。そこで
、本実施例では、第２接続部８００と、第３接続部９００とをそれぞれ判別しやすくする
ため、第２接続部８００、第３接続部９００に接続される配線の色に特徴を持たせている
。
【０１７７】
具体的には、第２接続部８００に接続される５本の配線４５２には、少なくとも青色（
特定色）の配線を含め、第３接続部９００に接続される２本の配線４５４には、青色（特
定色）の配線６００を含めない。これにより、青色（特定色）の配線が接続されているこ
とを確認することで、例えば他の接続部と形状が同一もしくは類似していても、第２接続
部８００を容易に判別することができる。また、第３接続部９００に接続される２本の配
線４５４には、少なくとも桃色（特別色）の配線を含め、第２接続部８００に接続される
５本の配線４５２には、桃色（特別色）の配線を含めない。よって、本実施例においては
、第２接続部８００を判別しやすくできるとともに、第３接続部９００を判別しやすくで
きる。したがって、第２接続部８００をいずれの箇所に接続するか、及び第３接続部９０
０をいずれの箇所に接続するか判別しやすくできる。
【０１７８】
尚、図２１の変形例として、第２接続部８００に接続される５本の配線４５２の青色を
橙色としても良い。つまり、第２接続部８００に接続される５本の配線４５２は、全て橙
色となる。このような場合であっても、第３接続部９００に接続される２本の配線４５４
には、桃色（特別色）の配線が含まれる。この桃色（特別色）の配線は第２接続部８００
に接続される５本の配線４５２には含まれない。したがって、このような変形例であって
も、第３接続部９００を判別しやすくできる。よって、第３接続部９００をいずれの箇所
に接続するか判別しやすくできる。尚、前述の特定色及び特別色の少なくとも一方は、他
の色としても良い。
【０１７９】
［メイン制御部が備えるパラレル出力ポートについて］
次に、スロットマシンのメイン制御部が備えるパラレル出力ポートにおける出力内容に
ついて説明する。図２６は、出力ポートにおける出力内容を示す図である。図２６に示す
ように、メイン制御部が備えるパラレル出力ポートは出力ポート０〜出力ポート９を備え
ている。また、メイン制御部が備えるパラレル出力ポートのうち、一部の出力ポートは、
遊技制御基板に設けられた接続部（レセクタプル）と接続されている。これにより、遊技
制御基板の接続部（レセクタプル）に配線ケーブルＣ２の一端を接続し、他の基板の接続
部（レセクタプル）に配線ケーブルＣ２の他端を接続することで、遊技制御基板に設けら
れた接続部（レセクタプル）と接続されているパラレル出力ポートから出力される信号を
、他の基板に送信することができる。尚、出力ポート０〜出力ポート９から出力される信
号の内容は図２６に示すとおりである。
【０１８０】
次に、メイン制御部が行う起動時の処理について、図２７に基づいて説明する。起動時
の処理は、遊技プログラムに含まれるサブルーチンである。メイン制御部は、スロットマ
シンへの電力供給が開始された際に、リセットの発生によりタイマ割込みが禁止に設定さ
れた状態で起動し、ＲＯＭに格納されているプログラムに従って各種処理を行う。起動し
た後は、メイン制御部は、まず、遊技プログラムに含まれる起動時設定処理を行う。
【０１８１】
図２７に示すように、起動時設定処理はタイマ割込みが禁止された状態で開始され、起
動時設定処理では、まず、メイン制御部が備えるパラレル出力ポートのうちリールモータ
の駆動信号が出力される出力ポート０を初期化する初期化命令により出力ポート０を初期
化し（Ｓｕ１）、リールの回転が停止した状態とする。
【０１８２】
次いで、パラレル出力ポートのうちリールモータの駆動信号が出力される出力ポート１
を初期化する初期化命令により出力ポート１を初期化するとともに、左・中・右停止有効
ＬＥＤ及び流路切替ソレノイドの制御信号が出力される出力ポート２を初期化する初期化
命令により出力ポート２を初期化する（Ｓｕ２）。これにより、リールの回転が停止した
状態とするとともに、流路切替ソレノイドへの制御信号の出力が停止した状態とする。
【０１８３】
次いで、パラレル出力ポートのうちホッパーモータの駆動信号等が出力される出力ポー
ト３を初期化する初期化命令により出力ポート３を初期化して出力状態をＯＦＦ状態にす
るとともに、クレジット表示器の制御信号等が出力される出力ポート４を初期化する初期
化命令により出力ポート４を初期化する（Ｓｕ３）。これにより、ホッパーユニットによ
りメダルの払い出しが停止した状態にするとともに、クレジット表示器への制御信号等の
出力が停止した状態とする。
【０１８４】
次いで、クレジット表示器の制御信号等が出力される出力ポート５を初期化する初期化
命令により出力ポート５を初期化するとともに、試験用信号を出力する出力ポート６を初
期化する初期化命令により出力ポート６を初期化する（Ｓｕ４）。これにより、クレジッ
ト表示器の制御信号等及び試験用信号の出力が停止した状態とする。
【０１８５】
次いで、外部出力信号を出力する出力ポート７を初期化する初期化命令により出力ポー
ト７を初期化する（Ｓｕ５）。これにより、外部出力信号の出力が停止した状態とする。
【０１８６】
次いで、サブ制御部に対してコマンドを送信する出力ポート８、９を初期化する初期化
命令により出力ポート８、９を初期化する（Ｓｕ６）。これにより、コマンドの送信を停
止した状態とする。
【０１８７】
以上のように、出力ポート０、出力ポート７については一の出力ポートのみを初期化す
る初期化命令（例えば、「Ａ」）により初期化を行うのに対し、出力ポート１及び出力ポ
ート２、出力ポート３及び出力ポート４、出力ポート５及び出力ポート６、出力ポート８
及び出力ポート９については複数の出力ポートを初期化する初期化命令（例えば、「ＨＬ
」）により初期化を行う。このように、出力ポートの出力内容に応じて複数の出力ポート
をまとめて初期化するので、全ての出力ポートを一の出力ポートのみを初期化する初期化
命令により初期化した場合に比べて初期化のためのプログラムの容量を削減することがで
きる。
【０１８８】
次に、メイン制御部４１が行う電断処理（メイン）の制御内容について、図２８に基づ
いて説明する。尚、電断処理（メイン）は、遊技プログラムに含まれるサブルーチンであ
る。メイン制御部は、タイマ割込処理（メイン）において電圧低下状態が所定時間継続し
たと判定される場合に電断処理（メイン）を実行する。
【０１８９】
図２８に示すように、電断処理（メイン）では、まず、すべての表レジスタと裏レジス
タを交換し（Ｓｋ１）、メイン制御部が備えるすべてのレジスタの値を、遊技ＲＡＭ領域
の遊技スタック領域に所定の順序で記憶させることで退避させ（Ｓｋ２）、スタックポイ
ンタＳＰにより示される遊技スタック領域の現在のアドレスを遊技ＲＡＭ領域の所定領域
に記憶させることで退避させる（Ｓｋ３）。尚、メイン制御部がレジスタの値を記憶させ
る遊技ＲＡＭ領域の遊技スタック領域やスタックポインタＳＰにより示されるアドレスの
値を記憶させる遊技ＲＡＭ領域の所定領域を含む遊技ＲＡＭ領域の所定領域は、バックア
ップ電源によりバックアップされており、スロットマシンへの電力供給が停止しても、バ
ックアップ電源により電力が供給される限り当該遊技ＲＡＭ領域の記憶内容が保存される
ようになっている。
【０１９０】
そして、まず、メイン制御部が備えるパラレル出力ポートのうちホッパーモータの駆動
信号等が出力される出力ポート３を初期化する初期化命令により出力ポート３を初期化し
て（Ｓｋ４）、出力状態をＯＦＦ状態にする。これにより、ホッパーユニットによりメダ
ルの払い出しが行われている場合には、メダルの払い出しをまず優先的に停止させる。そ
の後、パラレル出力ポートのうちリールモータの駆動信号が出力される出力ポート０、１
を初期化する初期化命令により出力ポート０、１を初期化して（Ｓｋ５）、リールが回転
制御されている場合には、リールの回転を停止させる。
【０１９１】
その後、パラレル出力ポートのうち左・中・右停止有効ＬＥＤ及び流路切替ソレノイド
の制御信号が出力される出力ポート２、クレジット表示器、遊技補助表示器の制御信号等
が出力される出力ポート４、５、試験用信号や外部出力信号を出力する出力ポート６、７
、サブ制御部に対してコマンドを送信する出力ポート８、９を順次初期化して（Ｓｋ６〜
Ｓｋ１１）、各種スイッチ類への制御信号等の出力を停止させる。
【０１９２】
Ｓｋ４〜Ｓｋ１１のステップにおいて出力ポート０〜９を初期化した後、ＲＡＭの所定
領域に破壊診断用データ（本実施例では、５Ａ（Ｈ））を設定し（Ｓｋ１２）、ＲＡＭの
所定領域に設定されているパリティ調整用データをクリアする（Ｓｋ１３）。そして、Ｒ
ＡＭのすべての格納領域（未使用領域及び未使用スタック領域を含む）の排他的論理和が
０になるように新たなＲＡＭのパリティ調整用データを計算して（Ｓｋ１４）、当該パリ
ティ調整用データをＲＡＭの所定領域に設定し（Ｓｋ１５）、ＲＡＭへのアクセスを禁止
に設定し（Ｓｋ１６）、ループ処理に入る。
【０１９３】
ループ処理では、電圧低下信号の出力状況を監視した状態で待機する。この状態で、電
圧低下信号が入力されなくなった場合に電圧の回復を判定し、起動処理（メイン）からプ
ログラムをスタートさせる。一方、電圧低下信号が入力されたまま電圧が低下すると内部
的に動作停止状態になる。
【０１９４】
以上の処理によって、ＡＣ１００Ｖの電力供給が停止される場合には、電断処理（メイ
ン）が実行され、電断前のレジスタの値が遊技ＲＡＭ領域の遊技スタック領域に退避され
るとともに、当該遊技スタック領域を含むＲＡＭの遊技ＲＡＭ領域の所定領域の内容もバ
ックアップ電源が供給されることで保持されるため、スロットマシンへの電力供給が再開
された際に実行される起動処理（メイン）において、電断前の制御状態に復帰させること
が可能となる。さらに電断前の制御状態において停止操作が有効であったか否も特定でき
るようになっている。
【０１９５】
以上のように、出力ポート２、出力ポート３、出力ポート４、出力ポート５、出力ポー
ト６、出力ポート７については一の出力ポートのみを初期化する初期化命令（例えば、「
Ａ」）により初期化を行うのに対し、出力ポート０及び出力ポート１、出力ポート８及び
出力ポート９については複数の出力ポートを初期化する初期化命令（例えば、「ＨＬ」）
により初期化を行う。このように、出力ポートの出力内容に応じて複数の出力ポートをま
とめて初期化するので、全ての出力ポートを一の出力ポートのみを初期化する初期化命令
により初期化した場合に比べて初期化のためのプログラムの容量を削減することができる
。
【０１９６】
また、起動時（図２７参照）と電断時とで出力ポート０〜９を異なる順序で初期化し、
電断時においては、最も優先すべき出力ポート３を優先的に初期化して、電断時に最も優
先すべき処理であるメダルの払い出しの停止を行うようになっている。上記したように、
出力ポート３からはホッパーモータの駆動信号が出力される。よって、電断時にホッパー
モータの駆動信号を停止しない場合には、スロットマシンが電断するにもかかわらずメダ
ルの払出しが行われてしまい、遊技店や遊技者の利益に対して直接的に影響してしまう。
一方、例えば、出力ポート４及び出力ポート５から出力される遊技補助表示器の制御信号
などは、該制御信号を停止するタイミングが遅れてもホッパーモータの駆動信号を停止す
るタイミングが遅れたときと比べて遊技店や遊技者の直接的な利益に大きく影響しない。
よって、本実施例では、電断時には出力ポート３を優先的に初期化させている。このよう
に、本実施例では、起動時の状況と電断時の状況とに応じた出力ポートを適切に初期化し
ている。尚、本実施例では、遊技者や遊技店の利益に応じて優先して初期化する出力ポー
トを設定しているが、不正が行われる可能性が高い装置を駆動する出力ポートを優先して
初期化するなど、異なる基準により優先して初期化する出力ポートを設定しても良い。
【０１９７】
尚、配線ケーブルＣ１及び配線ケーブルＣ２が備える配線のうち、特有の信号を入力ま
たは出力するための配線６００は特定色であっても良い。例えば、配線ケーブルＣ１では
、メイン制御部４１が、リールモータ３２Ｌを駆動させるための信号が伝送される配線の
色を、青色（特定色）としても良い。また、図２６の例において、例えば出力ポート８か
ら出力される「サブ制御部に対するコマンド」を入力または出力するための配線の色を、
赤色（特定色）としても良い。これにより、特有の信号を入力または出力するための配線
を容易に特定することができる。尚、特有の信号は、出力ポート８から出力される「サブ
制御部に対するコマンド」に限らず、どのような信号であっても良い。また、特有の信号
を入力または出力するための配線の色は、桃色、赤色に限らず、どのような色であっても
良い。
【０１９８】
［入賞役］
次に、スロットマシン１の入賞役について説明する。入賞役には、小役、及び再遊技役
が含まれる。小役は、メダルを付与する役である。再遊技役（リプレイ）は、再遊技を付
与する役である。ここで、再遊技とは、遊技者所有の遊技用価値（例えば、クレジット）
を用いることなく次の遊技を行うことが可能であることをいう。換言すると、再遊技とは
、遊技者所有の遊技用価値を用いることなくリールが変動可能となることであることをい
う。本実施例では、再遊技役が当選すると、ストップスイッチの操作タイミングに関わら
ず入賞する。尚変形例として、再遊技役は、当選したとしても、ストップスイッチの操作
タイミングによっては、入賞しない役（つまり、取りこぼしのある役）であっても良い。
【０１９９】
図２９を参照して、入賞役を説明する。図２９は、小役及び再遊技役を説明するための
図である。図２９の名称欄には、入賞役の名称が示され、図柄の組合せ欄には、その入賞
役が入賞となる図柄組合せが示されている。また、無効ラインに揃う図柄の組合せ欄には
、入賞となる図柄組合せが入賞ラインに停止したときに無効ラインＬＭ１〜ＬＭ４のうち
のいずれかのラインに停止する図柄組合せであって遊技者が認識しやすい図柄組合せが示
されており、図中の「／」は、「または」を意味する。付与欄には、入賞時に付与される
価値（メダル払出、再遊技付与など）が示されている。
【０２００】
図２９に示すように、入賞役のうちの小役には、右上がりチェリー、上段スイカ、中段
ベル及び上段ベル１〜８（以下、総じて「上段ベル」とも称す。）が含まれる。各小役は
、それぞれ図柄組合せが設定されている。
【０２０１】
ここで、中段ベルは、操作タイミングに関わらず導出可能な入賞役である。一方、上段
ベル１〜８のそれぞれを構成する中リール２Ｃの「白ＢＡＲ］や「黒ＢＡＲ」は、中リー
ル２Ｃにおいて５コマ以内に配置されていない。また、上段ベル１〜８のそれぞれを構成
する右リール２Ｒの「白ＢＡＲ］や「黒ＢＡＲ」は、右リール２Ｒにおいて５コマ以内に
配置されていない。このため、上段ベル１〜８が後述する内部抽選で当選しても、中リー
ル２Ｃや右リール２Ｒの停止操作を適正なタイミングで行わなければ、当選している上段
ベル１〜８を入賞させることができず、上段ベル１〜８の入賞を取りこぼすことになる。
尚、このときに導出される取りこぼし目は、遊技状態を移行させる図柄組合せであって、
移行出目ともいう。各小役に対応する図柄組合せが導出されると、小役の入賞が発生し、
予め決められた枚数分のメダルが払い出される。
【０２０２】
入賞役のうちの再遊技役には、通常リプレイ、転落リプレイ、昇格リプレイ、特殊リプ
レイ、及び制御用リプレイ１、２が含まれる。図２９に示す再遊技役は、すべて、操作タ
イミングに関わらず導出可能な入賞役である。尚、図２９に示す小役及び再遊技役は一例
であって、他の入賞役を備えていても良い。
【０２０３】
［抽選対象役］
次に、図３０を参照して、抽選対象役について説明する。図３０は、抽選対象役を説明
するための図である。抽選対象役は、スロットマシン１が実行する内部抽選の対象となる
役である。内部抽選は、メイン制御部４１によって実行され、導出を許容する図柄組合せ
（入賞役）を決定するための抽選である。尚、内部抽選によって図柄組合せの導出が許容
されたことを当選ともいう。
【０２０４】
図３０の抽選対象役欄には抽選対象役の名称を、組合わせ欄には抽選対象役に当選した
ときに導出が許容される入賞役の組合わせを示し、遊技状態欄にはＲＴの種類ごとに丸印
で抽選対象となる抽選対象役が示され、設定差欄には丸印で設定差の有無が示され、有利
区間移行欄には丸印で有利区間当選の有無が示されている。
【０２０５】
入賞役の組合わせ欄中の「＋」は、同時当選することを意味する。例えば、右ベル１に
当選した場合は、中段ベル、上段ベル１及び上段ベル２の入賞が許容される。換言すると
、内部抽選で右ベル１に当選したときには、中段ベル、上段ベル１及び上段ベル２に同時
当選したことになる。
【０２０６】
メイン制御部４１は、ＲＴ０〜４のうちのいずれかの遊技状態に制御し、制御している
ＲＴに応じて内部抽選を行う。例えば、ＲＴ３中、ＲＴ３の欄に丸印が付されている抽選
対象役が内部抽選の抽選対象であって、それ以外の抽選対象役には当選しないように、メ
イン制御部４１は内部抽選を行う。
【０２０７】
設定差の有無とは、設定値と呼ばれる遊技者にとっての有利度を示す値に応じて当選確
率の変化があるか否かを意味する。設定差「あり」の欄に丸印が付されている抽選対象役
は、設定値に応じて当選確率が変化する抽選対象役である。一方、設定差「なし」の欄に
丸印が付されている抽選対象役は、設定値に関わらず当選確率が変化しない抽選対象役で
ある。例えば、ベルは設定差のある抽選対象役である。一方、左ベル１〜４、中ベル１〜
４、右ベル１〜４のような押し順ベルは、設定差のない抽選対象役である。
【０２０８】
有利区間当選の有無とは、通常区間から通常区間よりも有利な有利区間に移行を決定す
る移行抽選に当選するか否かを意味する。尚、移行抽選に当選したことを有利区間当選と
もいう。有利区間当選「あり」の欄に丸印が付されている抽選対象役に当選すると、移行
抽選が行われ、当該移行抽選に当選した場合は、次ゲームから有利区間に制御（移行）さ
れる。尚、移行抽選の実行契機となる抽選対象役を移行対象役ともいう。
【０２０９】
図３０に示すように、設定差なしのカテゴリの役は移行対象役になり得るが、設定差あ
りのカテゴリの役は移行対象役にならない。例えば、チェリー及びスイカは、設定差なし
のカテゴリの役であり、移行対象役に定められている。一方、ベルは、設定差ありのカテ
ゴリの役であり、移行対象役に定められていない。
【０２１０】
また、移行抽選の当選確率は、設定値に応じて変化しない。移行対象役に設定差がなく
、移行抽選の当選確率も設定値に応じて変化しないため、設定値に関わらず、有利区間に
移行する確率は等しい。
【０２１１】
また、ＲＴ０〜ＲＴ３において、移行抽選の当選確率は変わらない。具体的には、ＲＴ
０〜ＲＴ３において、移行対象役に当選する確率は同一であって、かつ、各移行対象役に
当選したときの移行抽選の当選確率もＲＴ０〜ＲＴ３において等しい。例えば、チェリー
に当選する確率がＲＴ０〜３においては１％と等しく、かつ、チェリーに当選したときに
移行抽選に当選する確率もＲＴ０〜ＲＴ３においては６０％と等しい。
【０２１２】
［複数の入賞役が同時当選したときのリール制御］
図３１を参照して、複数の入賞役が同時当選したときのリール制御を説明する。図３１
は、押し順役当選時のリール制御を説明するための図である。
【０２１３】
図３１に示すように、当選役欄には、当選した抽選対象役を示す。押し順欄には、スト
ップスイッチを操作する順番を示す。例えば、「左第１停止」とは、左ストップスイッチ
８Ｌを最初に操作し、それ以降の操作手順は問わないことを意味する。停止する図柄組合
せ欄には、押し順欄に示す押し順で停止操作されたときに発生する入賞役を示す。
【０２１４】
図３１に示すように、押し順に応じて導出される表示結果が異なる役（押し順役）には
、左ベル１〜４、中ベル１〜４、右ベル１〜４、昇格リプ１〜３、維持転リプ１〜３、及
び特殊リプ１〜３が含まれる。
【０２１５】
例えば、左ベル１〜４のうちのいずれかに当選した場合に、押し順が左第１停止である
ときは、中段ベルが入賞するように中段ベルを構成する図柄組合せが導出される。左ベル
１〜４のうちのいずれかに当選した場合に、押し順が左第１停止以外であれば、上段ベル
が入賞するように上段ベルを構成する図柄組合せが導出されるか、あるいは移行出目が導
出される。移行出目は、上段ベルの入賞を取りこぼした場合に導出される取りこぼし目（
表示結果の組合わせ）であって、いずれの入賞も発生しない図柄組合せである。移行出目
は、左ベル１〜４、中ベル１〜４、右ベル１〜４のうちのいずれかに当選した場合にのみ
導出が許容される出目（表示結果の組合わせ）である。
【０２１６】
そのため、左ベル１〜４、中ベル１〜４、右ベル１〜４のような押し順ベルに当選した
場合に、中段ベルを導出するための操作手順でストップスイッチ８Ｌ、８Ｃ、８Ｒが操作
された場合は、操作タイミングに関わらずメダルの払出しが発生する中段ベルを入賞させ
ることができる。一方、中段ベルを導出するための操作手順とは異なる操作手順でストッ
プスイッチ８Ｌ、８Ｃ、８Ｒが操作された場合には、操作タイミングによってはメダルの
払出しが発生しない移行出目が導出される。
【０２１７】
尚、スロットマシン１が内部抽選においていずれの抽選対象役にも当選しなかった場合
には、いずれの入賞も発生しない図柄組合せであって、移行出目とは異なる出目が導出さ
れる。ここで、スロットマシン１が内部抽選において抽選対象役にも当選しなかったこと
を、内部抽選にハズレたともいう。
【０２１８】
また、昇格リプ１に当選した場合に、押し順が左第１停止であるときは、昇格リプレイ
が導出される。一方、昇格リプ１に当選した場合に、押し順が左第１停止以外であるとき
には、通常リプレイが導出される。
【０２１９】
尚、押し順としては、「左第１停止」、「中第１停止」、「右第１停止」に限るもので
はなく、「右ストップスイッチ８Ｒ、左ストップスイッチ８Ｌ、中ストップスイッチ８Ｃ
」の順で操作することなどを含んでも良い。
【０２２０】
図３１に示す押し順役は、操作順序または操作タイミングによって遊技者にとって有利
・不利が生じ得る役である。例えば、押し順ベルに当選した場合に、中段ベルを導出する
ことが可能な押し順でストップスイッチ８Ｌ、８Ｃ、８Ｒが操作された場合、中段ベルは
操作タイミングに関わらず入賞可能な役であるため、中段ベルが導出される。一方、中段
ベルを導出することが可能な押し順とは異なる押し順でストップスイッチ８Ｌ、８Ｃ、８
Ｒが操作された場合、上段ベルまたは移行出目が導出される。移行出目が導出された場合
、メダルの払出しが無く、かつ、遊技状態の移行が生じる（図３２参照）。
【０２２１】
つまり、中段ベルを構成する表示結果と移行出目とを比較すると、中段ベルを構成する
表示結果の方が遊技者にとって有利な表示結果であって、中段ベルを導出することが可能
な押し順が遊技者にとって有利な操作手順である。以下、遊技者にとって有利な操作手順
を正解手順ともいう。また、有利区間中に、押し順役のうち、操作順序または操作タイミ
ングによって遊技者にとって有利・不利が生じ得る役に当選した場合、正解手順が報知さ
れ、このような押し順役をナビ対象役ともいう。
【０２２２】
［遊技状態］
図３２は、遊技状態の遷移を説明するための図である。図３２に示すように、スロット
マシン１では、制御可能な遊技状態として、ＲＴ０、ＲＴ１、ＲＴ２、及びＲＴ３が設け
られている。ＲＴ２及びＲＴ３は、ＲＴ０及びＲＴ１よりもリプレイの当選確率が高い遊
技状態である。ＲＴ３は、ＲＴ２よりもリプレイの当選確率が高い遊技状態である。尚、
小役の当選確率は、ＲＴ０〜３で変わらないものとする。
【０２２３】
設定変更された後には、まずＲＴ０に制御される。ＲＴ０においては、押し順ベルが当
選したときに右下がりベルまたは上段ベルの入賞を取りこぼすと移行出目が導出され、当
該移行出目の導出を条件に、ＲＴ１に遊技状態が移行する。
【０２２４】
ＲＴ１においては、昇格リプレイが入賞すると、ＲＴ２に遊技状態が移行する。一方、
ＲＴ２においては、特殊リプレイが入賞すると、ＲＴ３に遊技状態が移行する。ＲＴ２に
おいては、転落リプレイの入賞または移行出目の導出を条件にＲＴ１に移行する。ＲＴ３
においては、移行出目の導出を条件にＲＴ１に移行する。
【０２２５】
遊技者は、ＲＴ０〜３のうち、ＲＴ０及びＲＴ１よりも有利なＲＴ２またはＲＴ３にで
きる限り滞在したいと考える。そのため、遊技者は、できる限り移行出目、転落リプレイ
を導出させることなく、昇格リプレイまたは特殊リプレイを導出させたいと考える。しか
し、移行出目、転落リプレイは、押し順や操作タイミングによって導出される虞があり、
昇格リプレイまたは特殊リプレイも、これらの役に対応する押し順で操作しなければ導出
されない（図３１参照）。つまり、現状の有利な遊技状態に留まることができるか、より
有利な状態へ移行できるか、あるいは不利な遊技状態へ転落するかが、ストップスイッチ
８Ｌ、８Ｃ、８Ｒの押し順によって決まる。
【０２２６】
［遊技区間］
メイン制御部４１は、遊技状態（ＲＴ状態）とは異なる状態の概念として、複数種類の
遊技区間に制御する。遊技区間には、通常区間及び有利区間が含まれる。尚、有利区間に
移行する権利を備えているものの、有利区間への移行を待機している待機区間を備えても
良い。
【０２２７】
（通常区間及び有利区間）
通常区間は、ナビ情報（正解手順）を報知不可能な区間である。有利区間は、ナビ情報
を報知可能な区間であり、ストップスイッチ８Ｌ、８Ｃ、８Ｒの操作態様を遊技者に指示
する指示機能に係る性能を持つ区間である。以下では、ナビ情報を報知することをナビ報
知ともいう。有利区間においては、最大払出枚数が得られる入賞が発生するナビ報知が少
なくとも１回実行される。具体的には、図３１に示す押し順ベルに当選したときに、正解
手順（有利操作態様）を報知するナビ報知が実行される。有利区間は、最大払出枚数が得
られる入賞が発生するナビ報知が少なくとも１回実行される点で、通常区間よりも遊技者
にとって有利な区間（状態）である。
【０２２８】
ナビ報知は、メイン制御部４１が実行するナビ報知と、サブ制御部９１が実行するナビ
報知とを含む。メイン制御部４１は、遊技補助表示器１２を用いてナビ報知を行う。具体
的には、遊技補助表示器１２に正解手順となる押し順に対応する数字などの記号を表示す
ることで、メイン制御部４１はナビ報知を行う。また、メイン制御部４１が正解手順を特
定可能な押し順コマンドをサブ制御部９１に送信することで、サブ制御部９１は液晶表示
器５１を用いてナビ報知を行う。例えば、サブ制御部９１は、ナビ報知の一例として、液
晶表示器５１に、左ストップスイッチ８Ｌ、中ストップスイッチ８Ｃ、右ストップスイッ
チ８Ｒの順で操作することを示す「１２３」の数字を表示する。
【０２２９】
メイン制御部４１は、設定変更後に、まずは通常区間に制御し、有利区間への移行が決
定されたことに基づいて有利区間に制御する。メイン制御部４１は、所定の条件が成立し
たときに有利区間への移行を決定する。本実施例においては、メイン制御部４１は、通常
区間中に移行対象役に当選したときに、通常区間から有利区間へ移行するか否かを決定す
る移行抽選を実行する。
【０２３０】
メイン制御部４１は、移行抽選で有利区間への移行を決定したときに、次の遊技から有
利区間に制御する。また、メイン制御部４１は、移行抽選に当選したゲームを開始してか
ら、次ゲームが開始されるまでに有利区間ランプ１９を点灯させることで、有利区間への
移行が確定したことを報知し、有利区間への制御を終了するまで有利区間ランプ１９を点
灯し続ける。
【０２３１】
有利区間へは、移行対象役（図３０のチェリー、スイカ）に当選したときに有利区間当
選した場合に移行する。有利区間は、少なくともＡＴ区間と、他の区間とを含む。有利区
間当選した場合に、有利区間のうち、ＡＴ区間か、あるいは他の区間に移行するかを決定
する抽選が行われる。他の区間は、例えば、ＡＴ区間への移行確率が高いＣＺ区間を含む
。ＡＴ区間は、他の区間よりも有利度合いが高い状態である。例えば、ＡＴ区間は、他の
区間よりもナビ報知が実行され得る期間が長く保障されている。あるいは、ＡＴ区間は、
他の区間よりもナビ報知が実行され得る回数が多く保障されている。このように、ＡＴ区
間は、他の区間よりもナビ報知の実行期間が長く保障されているため、例えば、押し順ベ
ル当選時に主役（純増枚数を増加させる役）を入賞させるゲームを増やすことができ、他
の区間よりも有利度合いが高くなる。
【０２３２】
また、ＡＴ区間中は、図３１に示すナビ対象役に当選した場合に、ナビ報知を必ず実行
しても良い。ＡＴ区間中に、ナビ対象役に当選した場合にナビ報知が必ずされると、昇格
リプ１〜３のうちのいずれかに当選した場合、昇格リプレイの導出に対応する操作態様が
報知され、維持転リプ１〜３のうちのいずれかに当選した場合、通常リプレイの導出に対
応する操作態様が報知され、特殊リプ１〜３のうちのいずれかに当選した場合、特殊リプ
レイの導出に対応する操作態様が報知される。そのため、ＡＴ区間中は、ナビ報知の示す
操作態様に従ってストップスイッチ８Ｌ、８Ｃ、８Ｒを操作している限り、他の遊技状態
よりもリプレイ確率が高いＲＴ３に制御され続けることになる。すなわち、ＡＴ区間は、
他の区間に比べて有利な状態である。
【０２３３】
［リールＬＥＤと表示領域］
図３３は、リールＬＥＤ、表示領域について説明するための図である。リール２Ｌ、２
Ｃ、２Ｒの内側には、リール２Ｌ、２Ｃ、２Ｒを背面から照射するリールＬＥＤ５５が設
けられている（図３など参照）。リールＬＥＤ５５は、リール２Ｌ、２Ｃ、２Ｒが停止し
たときに透視窓３を介して視認可能な９つの図柄をそれぞれ独立して照射可能である。具
体的には、図３３（ａ）に示すように、リールＬＥＤ５５は、リールＬＥＤ５５１〜５５
９を含む。
【０２３４】
例えば、リールＬＥＤ５５１は、左リールの上段の３つのＬＥＤ５５Ａ（図１７及び図
１８参照）であり、リールＬＥＤ５５２は、左リールの中段の３つのＬＥＤ５５Ｂであり
、リールＬＥＤ５５３は、左リールの下段の３つのＬＥＤ５５Ｃである。また、リールＬ
ＥＤ５５４は、中リールの上段の３つのＬＥＤ５５Ａであり、リールＬＥＤ５５５は、中
リールの中段の３つのＬＥＤ５５Ｂであり、リールＬＥＤ５５６は、中リールの下段の３
つのＬＥＤ５５Ｃである。また、リールＬＥＤ５５７は、右リールの上段の３つのＬＥＤ
５５Ａであり、リールＬＥＤ５５８は、右リールの中段の３つのＬＥＤ５５Ｂであり、リ
ールＬＥＤ５５９は、右リールの下段の３つのＬＥＤ５５Ｃである。
【０２３５】
サブ制御部９１は、各リールＬＥＤ５５１〜５５９を独立して点灯制御することができ
る。例えば、サブ制御部９１は、リールＬＥＤ５５１だけを点灯するように制御すること
で、左上段に停止した図柄が表示される領域の視認性だけを変化させることができる。
【０２３６】
ここで、メイン制御部４１は、入賞したか否かを、入賞ラインＬＮ上である特定位置に
導出された図柄の組合わせに基づいて判定する。尚、本実施例においては、リール２Ｌ、
２Ｃ、２Ｒを複数備えるスロットマシン１を例に挙げているが、１のリールのみを備える
スロットマシン１でも良く、１のリールのみを有する場合には、特定位置（入賞ラインＬ
Ｎ上）に導出された図柄に基づいて、メイン制御部４１は入賞したか否かを判定する。
【０２３７】
図３３（ｂ）に示すように、透視窓３を介して遊技者が視認することができる表示結果
が導出される表示領域は、入賞ラインＬＮ（特定位置）に対応する有効領域３Ａと、有効
領域３Ａ以外の無効領域３Ｂとを含む。図３３（ｂ）中の右斜め斜線で示した領域が有効
領域３Ａであって、左斜め斜線で示した領域が無効領域３Ｂである。
【０２３８】
［リール演出］
サブ制御部９１は、表示結果が導出されたとき、すなわち、リール２Ｌ、２Ｃ、２Ｒが
全て停止したときに、表示領域の視認性を変化させるリール演出を実行することができる
。リール演出は、導出された表示結果を報知する演出の一つである。サブ制御部９１は、
導出された表示結果に基づいてリール演出の態様を決定する。
【０２３９】
図３４は、導出された表示結果に応じて視認性を変化させる領域が異なるリール演出を
示す図である。図３５は、導出された表示結果に応じて視認性を変化させる回数が異なる
リール演出を示す図である。
【０２４０】
メイン制御部４１は、リール２Ｌ、２Ｃ、２Ｒを停止し、表示結果を導出したときに、
入賞ラインＬＮ上に停止した図柄に基づいて入賞したか否かを判定し、入賞の判定結果を
示すコマンドをサブ制御部９１に送信する。サブ制御部９１は、入賞の判定結果を示すコ
マンドに基づいてリール演出の実行及びリール演出の態様を決定する。
【０２４１】
例えば、図３４に示すように、メイン制御部４１は、通常リプに当選してストップスイ
ッチ８Ｌ、８Ｃ、８Ｒが操作されると、リプレイ図柄が入賞ラインＬＮ上に停止する表示
結果が導出されるように（通常リプレイが入賞するように）リール制御を行う。サブ制御
部は、通常リプレイが入賞したときは、有効領域３Ａの視認性だけを変化させるリール演
出を行う。すなわち無効領域３Ｂの視認性は変化させない。具体的には、サブ制御部９１
は、リールＬＥＤ５５２、５５５、５５８を点灯させ、残りのリールＬＥＤ５５１、５５
３、５５４、５５６、５５７、５５９は消灯させたままとする。１の図柄に対応する領域
を１マスとして、換言すると、有効領域３Ａである３つの有効マスの視認性は変化するも
のの、無効領域３Ｂである６つの無効マスの視認性は変化しない。換言すると、通常リプ
レイ入賞時において、視認性が変化する無効マスの個数をＡ個とすると、本実施例では、
Ａ＝０である。
【０２４２】
一方、メイン制御部４１は、スイカに当選して上段スイカに対応する表示結果を導出す
る操作態様でストップスイッチ８Ｌ、８Ｃ、８Ｒが操作されると、スイカ図柄が無効ライ
ンＬＭ１に停止する表示結果が導出されるように（上段スイカが入賞するように）リール
制御を行う。サブ制御部９１は、上段スイカが入賞したときは、有効領域３Ａに加えて無
効領域３Ｂ全体の視認性を変化させるリール演出を行う。すなわち、サブ制御部９１は、
リールＬＥＤ５５１〜５５９を点灯させる。換言すると、有効領域３Ａである３つの有効
マスの視認性を変化させるとともに、無効領域３Ｂである６つの無効マスの視認性も変化
させる。換言すると、上段スイカ入賞時において、視認性が変化する無効マスの個数をＢ
個とすると、Ｂ＞Ａとなり、本実施例では、Ｂ＝６である。
【０２４３】
通常リプレイが入賞した場合は再遊技が付与される。一方、上段スイカが入賞した場合
は５枚の払出しが生じることに加えて、有利区間の移行抽選が行われることになる。本実
施例においては、１ゲームの実行に最大３枚のメダルが必要であるから、再遊技が付与さ
れることは、多くとも３枚のメダルが付与されることに相当する。すなわち、通常リプレ
イと上段スイカとを比較した場合に、付与されるメダルという点から、上段スイカの方が
遊技者にとって有利な入賞役である。また、上段スイカが入賞した場合は、有利区間の移
行抽選が行われ有利区間に移行している可能性がある点で、上段スイカは、通常リプレイ
よりも遊技者にとって有利な入賞役である。
【０２４４】
尚、図３４には示していないものの、右上がりチェリーが入賞した場合にも、上段スイ
カが入賞した場合と同様、有効領域３Ａに加えて無効領域３Ｂ全体の視認性を変化させる
リール演出が行なわれる。右上がりチェリーが入賞したということは、チェリーに当選し
たことを意味する。すなわち、有利区間への移行抽選が行われたことを意味する。そのた
め、右上がりチェリーは、有利区間の移行抽選が行われ有利区間に移行している可能性が
ある点で、通常リプレイよりも遊技者にとって有利な入賞役である。
【０２４５】
また、サブ制御部９１は、押し順ベルに当選したときは、導出された表示結果に基づい
て異なる態様のリール演出を実行する。具体的には、メイン制御部４１は、押し順ベルに
当選し、正解手順でストップスイッチ８Ｌ、８Ｃ、８Ｒが操作されると中段ベルが入賞す
るようにリール制御を行う。中段ベルが入賞すると、８枚の払い出しが生じる。この場合
に、図３５に示すように、サブ制御部９１は、リールＬＥＤ５５を３回点滅させる。換言
すると、該中段ベル入賞時において、リールＬＥＤ５５を点滅させる回数をＣ回とすると
、本実施例では、Ｃ＝３である。
【０２４６】
一方、メイン制御部４１は、正解手順とは異なる手順でストップスイッチ８Ｌ、８Ｃ、
８Ｒが操作されると上段ベルが入賞するようにリール制御を行う。上段ベルが入賞すると
、３枚の払い出しが生じる。この場合に、図３５に示すように、サブ制御部９１は、リー
ルＬＥＤ５５を１回点滅させる。換言すると、該上段ベル入賞時において、リールＬＥＤ
５５を点滅させる回数をＤ回とすると、Ｃ＞Ｄとなり、本実施例では、Ｄ＝１である。
【０２４７】
ここで、１回の点滅とは、表示領域の視認性を１回変化させることを意味する。すなわ
ち、中段ベルが入賞したときの方が、上段ベルが入賞したときよりも、表示領域の視認性
が多く変化する。中段ベルと上段ベルとを比較すると、中段ベルの方が払出枚数が多い点
で上段ベルよりも有利である。
【０２４８】
また、図３５に示すように、複数回に亘って点滅する場合に、点灯してから消灯するま
での時間ｔ１と、消灯してから点灯するまでの時間ｔ１とは同じ時間となるように、サブ
制御部９１はリールＬＥＤ５５を点滅する。
【０２４９】
［作用効果１］
本実施例では、スロットマシン１が備える複数のリール２Ｌ、２Ｃ、２Ｒは、筐体１ａ
の内部に、左右方向に並設される。また、リール２Ｌ、２Ｃ、２Ｒの下方には、ホッパー
ユニット３４が配置されており、さらにホッパーユニットの上部には、メダルを貯留する
ホッパータンク３４ａが設けられ、その上部全体が開口部となっている。そして、複数の
リール２Ｌ、２Ｃ、２Ｒのうちリール２Ｌは、左側端部がホッパータンク３４ａの開口部
の上方に位置せず、右側端部がホッパータンク３４ａの開口部の上方に位置するように配
置され、リール２Ｃは、左側端部、右側端部がともにホッパータンク３４ａの開口部の上
方に位置するように配置され、リール２Ｒは、左側端部がホッパータンク３４ａの開口部
の上方に位置し、右側端部がホッパータンク３４ａの開口部の上方に位置しないように配
置されている。また、リール２Ｌ、２Ｃ、２Ｒの両側端部には開口が形成されており、リ
ール内に異物が侵入した場合には、リールの開口から異物がホッパータンク３４ａ内に落
下すると、ホッパーユニット３４の故障の原因となる。
【０２５０】
本実施例では、このような構成において、リール２Ｃ、２Ｒの右側端部の開口は、これ
らのリールが取り付けられるリール支持板３５０Ｃ、３５０Ｒによって閉塞され、左側端
部の開口は、これらのリールの左側に隣接するリール支持板３５０Ｌ、３５０Ｒによって
閉塞され、リール２Ｌの右側端部の開口は、当該リールが取り付けられるリール支持板３
５０Ｌによって閉塞されるとともに、リール２Ｌの左側端部の開口には、全周にわたり中
央に向けて突出する壁部４０１ｆが形成されることを特徴としている。
【０２５１】
このような構成によれば、リール２Ｃまたはリール２Ｒ内に部品が侵入しても当該リー
ルのリール支持板３５０Ｃ、３５０Ｒと隣接リールのリール支持板３５０Ｌ、３５０Ｃと
によって侵入した部品のホッパータンク３４ａへの落下が防止され、リール２Ｌ内に部品
が侵入しても当該リールのリール支持板３５０Ｌと当該リールの開口に形成された壁部４
０１ｆによって侵入した部品のホッパータンク３４ａへの落下が防止されるので、ホッパ
ータンク３４ａへの部品の落下によるホッパーユニット３４の破損を防止することができ
る。
【０２５２】
また、本実施例では、リール２Ｌ内に落下する可能性のあるネジのネジ頭の高さ、すな
わちこれらのネジが傾倒した状態の最大高の１／２の高さＬ２よりも高くなるように壁部
４０１ｆが形成されているので、リール２Ｌ内に落下する可能性の高いネジがリール２Ｌ
の左側端部の開口から落下することを効果的に防止できる。
【０２５３】
尚、本実施例では、３つのリール２Ｌ、２Ｃ、２Ｒが左右方向に並設され、そのうち最
も左側のリール２Ｌの左側端部がホッパータンク３４ａの開口部の上方に位置せず、右側
端部がホッパータンク３４ａの開口部の上方に位置するように配置され、双方が他のリー
ルに挟まれたリール２Ｃは、左側端部、右側端部がともにホッパータンク３４ａの開口部
の上方に位置するように配置され、最も右側のリール２Ｒは、左側端部がホッパータンク
３４ａの開口部の上方に位置し、右側端部がホッパータンク３４ａの開口部の上方に位置
しないように配置される構成であるが、４つ以上のリールが並設され、３つ以上のリール
がホッパータンク３４ａの上方に配置された構成において、ホッパータンク３４ａの上方
に配置された３つ以上のリールのうち左側にリールが隣接するリールについては、その右
側端部の開口が、これらのリールが取り付けられるリール支持板によって閉塞され、左側
端部の開口が、これらのリールの左側に隣接するリール支持板によって閉塞され、左側に
リールが隣接しないリールについては、その右側端部の開口が、当該リールが取り付けら
れるリール支持板によって閉塞されるとともに、当該リールの左側端部の開口には、全周
にわたり中央に向けて突出する壁部４０１ｆが形成される構成であれば、上記と同様の効
果を得られる。
【０２５４】
また、本実施例では、リールが当該リールの右側に位置するリール支持板に取り付けら
れる構成であるが、リールが当該リールの左側に位置するリール支持板に取り付けられる
構成であっても良く、このような構成においては、３つ以上のリールがホッパータンク３
４ａの上方に配置された構成において、ホッパータンク３４ａの上方に配置された３つ以
上のリールのうち右側にリールが隣接するリールについては、その左側端部の開口が、こ
れらのリールが取り付けられるリール支持板によって閉塞され、右側端部の開口が、これ
らのリールの右側に隣接するリール支持板によって閉塞され、右側にリールが隣接しない
リールについては、その左側端部の開口が、当該リールが取り付けられるリール支持板に
よって閉塞されるとともに、当該リールの右側端部の開口には、全周にわたり中央に向け
て突出する壁部が形成される構成であれば、上記と同様の効果を得られる。
【０２５５】
本実施例では、リール支持板３５０Ｌ、３５０Ｃ、３５０Ｒに、当該リール支持板に取
り付けられたリールの内周に沿って当該リールと重なるように突出する内周側突条部４２
２ａ及び当該リール支持板に取り付けられたリールの外周に沿って当該リールと重なるよ
うに突出する外周側突条部４２２ｂが形成されていることを特徴としている。このような
構成によれば、当該リール支持板に取り付けられたリールの内周に沿って当該リールと重
なるように突出する内周側突条部４２２ａ及び当該リール支持板に取り付けられたリール
の外周に沿って当該リールと重なるように突出する外周側突条部４２２ｂによって、リー
ル内に侵入した部品のホッパータンク３４ａへの落下が防止される。
【０２５６】
また、本実施例では、リール２Ｌ、２Ｃ、２Ｒを設置した状態において、リール２Ｌ、
２Ｃ、２Ｒと内周側突条部４２２ａ、外周側突条部４２２ｂとの隙間が、リール２Ｌ、２
Ｃ、２Ｒ内に落下する可能性のあるネジの大きさよりも狭くなるように配置されるため、
リール内に落下する可能性の高いネジがリールと当該リールが取り付けられるリール支持
板との隙間から落下することを効果的に防止できる。
【０２５７】
尚、本実施例では、リール支持板３５０Ｌ、３５０Ｃ、３５０Ｒに、内周側突条部４２
２ａ及び外周側突条部４２２ｂの双方が形成される構成であるが、内周側突条部４２２ａ
及び外周側突条部４２２ｂのうち少なくとも一方が形成される構成であっても、リール内
に侵入した部品のホッパータンク３４ａへの落下が防止される。
【０２５８】
本実施例では、リール支持板３５０Ｌ、３５０Ｃ、３５０Ｒに、隣接するリールの内周
に沿って当該リールと重なるように突出する内周側突条部４２３ａ及び隣接するリールの
外周に沿って当該リールと重なるように突出する外周側突条部４２３ｂが形成されている
ことを特徴としている。このような構成によれば、隣接するリールの内周に沿って当該リ
ールと重なるように突出する内周側突条部４２３ａ及び隣接するリールの外周に沿って当
該リールと重なるように突出する外周側突条部４２３ｂによって、隣接するリール内に侵
入した部品のホッパータンク３４ａへの落下が防止される。
【０２５９】
また、本実施例では、リール２Ｌ、２Ｃ、２Ｒを設置した状態において、リール２Ｌ、
２Ｃ、２Ｒと内周側突条部４２３ａ、外周側突条部４２３ｂとの隙間が、リール２Ｌ、２
Ｃ、２Ｒ内に落下する可能性のあるネジの大きさよりも狭くなるように配置されるため、
隣接するリール内に落下する可能性の高いネジがリール支持板と隣接するリールとの隙間
から落下することを効果的に防止できる。
【０２６０】
尚、本実施例では、リール支持板３５０Ｌ、３５０Ｃ、３５０Ｒに、内周側突条部４２
３ａ及び外周側突条部４２３ｂの双方が形成される構成であるが、内周側突条部４２２ａ
及び外周側突条部４２２ｂのうち少なくとも一方が形成される構成であっても、隣接する
リール内に侵入した部品のホッパータンク３４ａへの落下が防止される。
【０２６１】
本実施例では、リール２Ｌ、２Ｃ、２Ｒの全てに、これらリールの左右側の開口それぞ
れに全周にわたり中央に向けて突出する壁部４０１ｆ、４０１ｇが形成されることを特徴
としている。このような構成によれば、リールにおける左右側の開口それぞれに全周にわ
たり形成された壁部によってリール内に侵入した部品のホッパータンク３４ａへの落下が
防止されるとともに、部品の共通化を図ることができる。
【０２６２】
尚、本実施例では、リール２Ｌ、２Ｃ、２Ｒの全てに、これらリールの左右側の開口そ
れぞれに全周にわたり中央に向けて突出する壁部４０１ｆ、４０１ｇが形成される構成で
あるが、少なくとも隣接するリールのリール支持板によって一方側の端部の開口が閉塞さ
れないリールについて、リール支持板によって閉塞されない一方側の端部の開口に全周に
わたり中央に向けて突出する壁部が形成される構成であれば良く、リール支持板によって
閉塞されない一方側の端部の開口に全周にわたり中央に向けて突出する壁部が形成され、
他方側の端部の開口に壁部が形成されない構成としたり、両側の開口がリール支持板によ
って閉塞されるリールについては、壁部を設けない構成としても良い。
【０２６３】
本実施例では、リール内の空間に電気部品（リールモータ３２Ｌ、３２Ｃ、３２Ｒ、リ
ールセンサ３３Ｌ、３３Ｃ、３３Ｒ、ＬＥＤユニット５５Ｌ、５５Ｃ、５５Ｒ）が配置さ
れるとともに、リール支持板には、電気部品に接続される配線Ｃａ、Ｃｂを案内する配線
孔４２０がリール支持板の上下方向における中央よりも上側に設けられることを特徴とし
ている。このような構成によれば、配線孔はリール支持板の上下方向における中央よりも
上側に設けられるので、配線孔を介しての部品のホッパータンク３４ａへの落下が防止さ
れる。
【０２６４】
本実施例では、電気部品のうちＬＥＤユニット５５Ｌ、５５Ｃ、５５Ｒを含むリフレク
タ４１７が、ネジ等の取付部品を用いずに取り付けられることを特徴としている。このよ
うな構成によれば、ネジ等の取付部品を用いずに電気部品がリール支持板に対して取り付
けられるので取付部品のホッパータンク３４ａへの落下が防止される。
【０２６５】
本実施例では、リールが、一対の左環状部４０１ｂ、右環状部４０１ｄの間にリールテ
ープ４０２を巻き回すことにより形成されており、左環状部４０１ｂ、右環状部４０１ｄ
が、光を透過する透過部材により形成されていることを特徴としている。このような構成
によれば、リールテープ４０２に左環状部４０１ｂ、右環状部４０１ｄの影が透けること
が防止されるため、リールの視認性を高めることができる。
【０２６６】
本実施例では、リールが、一対の左環状部４０１ｂ、右環状部４０１ｄの間にリールテ
ープ４０２を巻き回すことにより形成されており、右環状部４０１ｄと左環状部４０１ｂ
とは、連結部４０１ｅにより連結されるとともに、リールテープ４０２の内側の継ぎ目が
連結部４０１ｅにより被覆されることを特徴としている。このような構成によれば、リー
ル内に侵入した部品によってリールテープ４０２が剥がれることを防止できる。
【０２６７】
さらに本実施例では、リールテープ４０２の一方の端部４０２ａと他方の端部４０２ｂ
とが、１図柄分の幅にわたり重ねて接着されることを特徴としている。このような構成に
よれば、リールテープ４０２の一方の端部４０２ａと他方の端部４０２ｂとが重なって接
着されるため、しっかり接着できるとともに、継ぎ目が図柄を跨ぐことがないため、継ぎ
目を目立たなくできる。
【０２６８】
さらに本実施例では、リールが、遊技の進行に伴う変動表示中に特定方向へ回動し、リ
ールテープ４０２の端部のうち特定方向と逆方向を向く一方の端部４０２ａを他方の端部
４０２ｂの外側に重ねて接着されることを特徴としている。このような構成によれば、リ
ールテープ４０２の外側に重なる端部４０２ａが遊技の進行に伴うリールの回動方向と逆
向きとなるため、リールテープ４０２の端部４０２ａをリール外の障害物に引っかかりに
くくできる。
【０２６９】
一方、このような構成では、リールテープ４０２の端部４０２ｂがリールの内側におい
て遊技の進行に伴うリールの回動方向と同じ向きとなるが、前述のようにリールテープ４
０２の内側の継ぎ目が連結部４０１ｅにより被覆されるため、リールテープ４０２の端部
４０２ｂがリールの内側において遊技の進行に伴うリールの回動方向と同じ向きとなって
も、リール内に侵入した部品によってリールテープ４０２が剥がれることが防止される。
【０２７０】
本実施例では、左環状部４０１ｂに、中央から放射状に延びるスポーク４０１ｃが形成
されており、スポーク４０１ｃは、当該スポーク４０１ｃの中央部が連結部４０１ｅの中
央部と一致しないように配置されることを特徴としている。このような構成によれば、保
持枠４０１の重量が一部に偏らないため、リールを安定して回動させることができる。
【０２７１】
本実施例では、連結部４０１ｅが、光を透過する透過部材により形成されていることを
特徴としている。このような構成によれば、リールテープ４０２に連結部４０１ｅの影が
透けることが防止されるため、リールの視認性を高めることができる。
【０２７２】
本実施例では、リールを回転駆動するモータを備え、モータは、リール支持板に取り付
けられ、リールは、リールモータのロータ３２ａに固定されたリール取付盤４０５を介し
てリール支持板に取り付けられ、リールモータをリール支持板に取り付けるネジ４１５ａ
は、リール支持板側からリールモータに向かって右方向から挿入され、リールをリール取
付盤４０５に取り付けるネジ４０５ｃは、リール側からリールモータに向かって左方向か
ら挿入されることを特徴としている。このような構成によれば、リール支持板及びリール
の双方がリールモータまたはリールモータのロータ３２ａに固定されたリール取付盤４０
５とネジ頭に挟持されるため、リール支持板とリールモータ、リールモータのロータ３２
ａとリールをそれぞれ強固に固定することができる。
【０２７３】
特に、本実施例では、リールモータは、外郭が金属製であり、ネジ４１５ａは、金属製
の外郭に形成されたネジ穴に螺入されることによりリールモータは、リール支持板に取り
付けられるとともに、リール取付盤４０５も金属製であり、ネジ４０５ｃは、金属製のリ
ール取付盤４０５に形成されたネジ穴に螺入されることによりリールは、リールモータを
介してリール支持板に取り付けられるため、樹脂製のリール支持板にリールモータを取り
付ける場合にも、樹脂製のリールをリールモータを介してリール支持板に取り付ける場合
にも、ネジの頭と金属製の部材に挟持された状態で取り付けられるため、より強固に固定
することができる。
【０２７４】
尚、本実施例では、リールが、リールモータのロータ３２ａに固定されたリール取付盤
４０５に対してネジ４０５ｃで取り付けられる構成であるが、リールが、リールモータの
ロータ３２ａにネジ４０５ｃにて直接固定される構成としても良い。
【０２７５】
本実施例では、リールが、リールモータのロータ３２ａに固定されたリール取付盤４０
５に対して３本以上のネジ４０５ｃで取り付けられることを特徴としている。このような
構成によれば、１本のネジ４０５ｃが脱落しても２本以上のネジ４０５ｃでリールがリー
ルモータに取り付けられた状態となるため、リールの離脱を防止できる。
【０２７６】
尚、本実施例では、リールが、リールモータのロータ３２ａに固定されたリール取付盤
４０５に対して４本のネジ４０５ｃで取り付けられる構成であるが、少なくとも３本のネ
ジ４０５ｃで取り付けられる構成であれば、上記の効果が得られる。
【０２７７】
本実施例では、リールモータが、リール支持板に対して３本以上のネジ４１５ａで取り
付けられることを特徴としている。このような構成によれば、１本のネジ４１５ａが脱落
しても２本のネジ４１５ａでリールモータがリール支持板に取り付けられた状態となるた
め、リールモータの離脱を防止できる。
【０２７８】
尚、本実施例では、リールモータが、リール支持板に対して４本のネジ４１５ａで取り
付けられる構成であるが、少なくとも３本のネジ４１５ａで取り付けられる構成であれば
、上記の効果が得られる。
【０２７９】
本実施例では、複数のリール２Ｌ、２Ｃ、２Ｒは、前面が開口するリールボックス３５
１に収容された状態で設置され、リールボックス３５１内側の底面におけるリール２Ｌ、
２Ｃ、２Ｒに対応する箇所に隆起部３５６Ｌ、３５６Ｃ、３５６Ｒが形成されていること
を特徴としている。このような構成によれば、複数のリール２Ｌ、２Ｃ、２Ｒが収容され
るリールボックス３５１内側の底面においてリールに対応する箇所に隆起部３５６Ｌ、３
５６Ｃ、３５６Ｒが形成されることで、リール２Ｌ、２Ｃ、２Ｒとリールボックス３５１
内側の底面との隙間が狭くなるため、落下した部品がリールボックス３５１の奥に侵入し
てしまうことを防止できる。
【０２８０】
本実施例では、複数のリール２Ｌ、２Ｃ、２Ｒは、リールボックス３５１内側の上面と
リールとの隙間が、リールボックス３５１内側の底面（隆起部３５６Ｌ、３５６Ｃ、３５
６Ｒの上面）とリールとの隙間よりも狭くなるように設置されることを特徴としている。
このような構成によれば、リールボックス４５１内側の底面とリールとの隙間は、リール
の重さによる若干の下降を考慮して広くとる一方で、リールボックス３５１内側の上面と
リールとの隙間はそれよりも狭くすることで、リールボックス３５１のサイズを小型化す
ることができる。
【０２８１】
本実施例では、隆起部３５６Ｌ、３５６Ｃ、３５６Ｒが、複数のリール２Ｌ、２Ｃ、２
Ｒに対してそれぞれ形成されており、隆起部同士の間隙がリール支持板のガイドとして用
いられることを特徴としている。このような構成によれば、隆起部同士の間隙を利用して
リール支持板がガイドされるため、リール支持板をリールボックス３５１に簡単に取り付
けることができる。
【０２８２】
本実施例では、隆起部３５６Ｌ、３５６Ｃ、３５６Ｒが、リールボックス３５１の開口
部の端縁よりも所定距離奥まった位置に形成されることを特徴としている。このような構
成によれば、リールボックス３５１の開口部が広くなるため、リールボックス３５１への
リールの収容が容易となる。
【０２８３】
本実施例では、隆起部３５６Ｌ、３５６Ｃ、３５６Ｒが、リールボックス３５１の奥方
から開口部に向かって下るように傾斜することを特徴としている。このような構成によれ
ば、リールボックス３５１内に落下した異物がリールボックス３５１の奥方に侵入し難く
できる。
【０２８４】
［リールユニットの変形例］
次に、リールユニットの変形例について説明する。図３６に示すように、変形例におけ
るリールユニットは、リールモータ３２’をリール支持板３５０’に取り付けるネジ４１
５ａ’として、その長さＬ３が、当該リール支持板３５０’の右側面と、隣接するリール
２’の取付板４０１ａ’との離間幅Ｌ５よりも長いものが用いられている。
【０２８５】
このため、複数のリールが設置された状態において、ネジ４１５ａ’が緩んでもリール
モータ３２’のリール支持板３５０’からの離脱が規制されるようになっており、リール
モータ３２’の離脱によって大きく破損することを防止できる。
【０２８６】
また、図３６に示すように、変形例におけるリールユニットは、リール２’の取付板４
０１’をリールモータ３２’のロータに固定するためのリール取付盤４０５’に取り付け
るネジ４０５ｃ’として、その長さＬ４が、当該リール２’の取付板４０１ａ’と、隣接
するリール支持板３５０’の左側面との離間幅Ｌ５よりも長いものが用いられている。
【０２８７】
このため、複数のリールが設置された状態において、ネジ４０５ｃ’が緩んでもリール
２’のリールモータ３２’からの離脱が規制されるので、リール２’の離脱によって大き
く破損することを防止できる。
【０２８８】
［作用効果２］
本実施例の遊技機は、
遊技を行う遊技機（例えば、スロットマシン１）であって、
第１装飾部（例えば、左リールの上段）と、第２装飾部（例えば、左リールの中段）と
を含む装飾手段と、
前記第１装飾部に対応する第１発光部（例えば、図１８に示すＬＥＤ５５Ａ）と前記第
２装飾部に対応する第２発光部（例えば、図１８に示すＬＥＤ５５Ｂ）とが搭載され、か
つ前記装飾手段の背面に設置される（例えば、図３に示すように、ＬＥＤ基板４１６は、
リールテープ４０２の背面側に設置される）発光基板（例えば、ＬＥＤ基板４１６）と、
前記第１発光部と前記第２発光部とが搭載されている前記発光基板の搭載面（例えば、
図１８（Ａ）に示すＬＥＤ搭載面４１６Ｘ）に取り付けられた取付状態（例えば、図１７
（Ｂ）に示す取付状態）で該第１発光部と該第２発光部との間を仕切る（例えば、上段の
ＬＥＤ５５Ａと中段のＬＥＤ５５Ｂとの間を仕切る）仕切部材（例えば、リフレクタ４１
７）と、
を備え、
前記搭載面（例えば、図１８（Ａ）に示すＬＥＤ搭載面４１６Ｘ）は、前記第１発光部
からの光及び前記第２発光部からの光が反射可能に構成される（例えば、ＬＥＤ搭載面４
１６Ｘに白色のレジストが塗布される）と共に、前記第１発光部の駆動と前記第２発光部
の駆動とに関する電子部品（例えば、チップ抵抗６０）が搭載され、
前記電子部品は、前記取付状態で前記仕切部材が重畳する位置に搭載されている（例え
ば、図１８（Ａ）に示すように、チップ抵抗６０は、リフレクタ４１７と重畳される重畳
領域Ｐに搭載されている）。
【０２８９】
このような構成によれば、第１発光部と第２発光部との反射効率を高めるためのレジス
トが塗布されており、仕切部材が発光基板の搭載面に取付けられている取付状態において
、電子部品は仕切部材により隠蔽されることから、第１発光部と第２発光部の反射効率が
電子部品に基づいて損なわれることを防止できる。よって、発光基板の反射効率を高める
ことができる。
【０２９０】
本実施例では、各ＬＥＤ５５の反射効率を高めるためのレジストが塗布されている。一
方で、電部部品としては、チップ抵抗６０と、はんだ部６５とがＬＥＤ搭載面４１６Ｘに
搭載されている。仮に、リフレクタ４１７がＬＥＤ基板４１６に取付けられた取付状態で
、この電子部品が露出している場合には、チップ抵抗６０と、はんだ部６５の存在により
凹凸が形成されることになる。そうすると、反射効率を高めるためのレジストが塗布され
ているにもかかわらず、ＬＥＤ５５で出力された光が、該凹凸で反射し、ＬＥＤ５５の
反射効率が低減してしまう。また、この電子部品の色が、反射効率を低下させる色である
場合（例えば、チップ抵抗６０が黒色である場合）にも、ＬＥＤ５５の反射効率が低減し
てしまう。
【０２９１】
そこで、本実施例では、リフレクタ４１７がＬＥＤ基板４１６のＬＥＤ搭載面４１６Ｘ
に取付けられている取付状態において、電子部品がリフレクタ４１７により隠蔽されるよ
うに、取付状態でリフレクタ４１７が重畳する位置（重畳領域Ｐ）に電子部品を搭載させ
た。これにより、取付状態では、電子部品を隠蔽させることができる。したがって、ＬＥ
Ｄ５５Ａ及びＬＥＤ５５Ｂを含む各ＬＥＤ５５の反射効率が電子部品に基づいて損なわれ
ることを防止できる。よって、ＬＥＤ基板の反射効率を高めることができる。
【０２９２】
本実施例の遊技機は、前記電子部品は、前記搭載面に搭載されている一方、前記搭載面
とは反対側の面には搭載されていない（例えば、図１８に示すように、ＬＥＤ５５の駆動
に関する電子部品は、ＬＥＤ搭載面４１６Ｘには搭載されている一方、裏面４１６Ｙには
搭載されていない）。
【０２９３】
このような構成によれば、搭載面と搭載面と反対側の面との双方に電子部品が搭載され
ている遊技機と比較して、電子部品の実装コストを低減できる。
【０２９４】
本実施例では、ＬＥＤ５５の駆動に関する電子部品（例えば、チップ抵抗６０）は、Ｌ
ＥＤ搭載面４１６Ｘには搭載されている一方、裏面４１６Ｙには搭載されていない。つま
り、ＬＥＤ搭載面４１６Ｘには、電子部品（チップ抵抗６０）とＬＥＤ５５とが搭載され
ることになる。
【０２９５】
仮に、ＬＥＤ搭載面４１６ＸにＬＥＤ５５を搭載させる一方、裏面４１６Ｙにチップ抵
抗を搭載する遊技機も考えられる。しかしながら、このような遊技機では、ＬＥＤ基板の
製造工程のうちの搭載工程において、ＬＥＤをＬＥＤ搭載面に搭載した後に、チップ抵抗
を裏面に搭載するために、例えば、該ＬＥＤが搭載された基板を裏返す処理が必要となる
。そうすると、搭載工程の処理が増加することになる。
【０２９６】
本実施例のように、ＬＥＤ搭載面４１６Ｘに、電子部品（チップ抵抗６０）とＬＥＤ５
５とを搭載させることにより、搭載工程においてＬＥＤが搭載された基板を裏返す処理が
必要ないことから、搭載工程の処理を軽減できる。
【０２９７】
本実施例の遊技機は、
前記発光基板（例えば、ＬＥＤ基板４１６）には、前記第１発光部の種別を特定可能な
第１発光部識別情報（例えば、図１８に示すように、ＬＥＤ９という文字であるＬＥＤ識
別情報７６）及び前記第２発光部の種別を特定可能な第２発光部識別情報（例えば、図１
８に示すように、ＬＥＤ６という文字であるＬＥＤ識別情報７６）が、前記仕切部材が重
畳する位置とは異なる位置（例えば、図１８に示すように、リフレクタ４１７が重畳する
重畳領域Ｐとは異なる位置）に形成されており、
前記電子部品の種別を特定可能な電子部品識別情報（例えば、図１８（Ａ）に示すよう
に、抵抗識別情報６８）は、前記仕切部材が重畳する位置に形成されている（例えば、図
１８（Ａ）に示すように、抵抗識別情報６８は、重畳領域Ｐに形成されている）
【０２９８】
このような構成によれば、電子部品と共に、電子部品の識別情報も仕切部材が重畳する
位置に記載されることから、仕切部材により電子部品は隠蔽される一方電子部品の識別情
報は露出するといった状況になることを防止できる。
【０２９９】
本実施例では、ＬＥＤ識別情報７６は、重畳領域Ｐとは異なる箇所に形成されている。
したがって、リフレクタ４１７をＬＥＤ基板４１６に取付けた取付状態において、ＬＥＤ
識別情報７６は、隠蔽されないことから、該取付状態においても、作業者等は、ＬＥＤ識
別情報７６を認識できる。
【０３００】
一方、抵抗識別情報６８は、重畳領域Ｐに形成されている。したがって、リフレクタ４
１７をＬＥＤ基板４１６に取付けた取付状態において、抵抗識別情報６８は、隠蔽される
。よって、「チップ抵抗６０は隠蔽される一方抵抗識別情報６８は露出する（隠蔽されな
い）」という特殊な状況を生じさせないようにすることができる。
【０３０１】
本実施例の遊技機は、前記搭載面（例えば、ＬＥＤ搭載面４１６Ｘ）には、前記第１発
光部及び前記第２発光部に関する情報（例えば、ＬＥＤ識別情報７６、電極情報７５）、
及び前記電子部品に関する情報（例えば、抵抗識別情報６８、抵抗位置情報６１）が、エ
ッチング加工により形成されている（例えば、図１８（Ａ）に示すように、ＬＥＤ識別情
報７６、電極情報７５、抵抗識別情報６８、抵抗位置情報６１、及び基板識別情報６２は
、全て、エッチング文字（銅箔文字）で形成される）。
【０３０２】
このような構成によれば、第１発光部及び第２発光部に関する情報、及び電子部品に関
する情報の視認性を担保しつつ、第１発光部と第２発光部との反射効率を妨げないように
することができる。
【０３０３】
本実施例では、ＬＥＤ識別情報７６、電極情報７５、抵抗識別情報６８、抵抗位置情報
６１、及び基板識別情報６２は、全て、エッチング文字（銅箔文字）で形成される。した
がって、作業者等によるこれらの情報への視認性を高めることができる。また、取付状態
において、抵抗識別情報６８、及び抵抗位置情報６１は、リフレクタ４１７により隠蔽さ
れることにより、抵抗識別情報６８、及び抵抗位置情報６１に基づくＬＥＤ５５の反射効
率が損なわれることを防止できる。
【０３０４】
本実施例の遊技機は、前記搭載面とは反対側の面（例えば、図１８（Ｂ）に示す裏面４
１６Ｙ）には、前記第１発光部及び前記第２発光部に関する情報（例えば、図１８（Ｂ）
に示すように、ＬＥＤ位置情報８２、及び裏面ＬＥＤ識別情報８０）、及び前記電子部品
に関する情報（例えば、図１８（Ｂ）に示すように、裏面抵抗位置情報８６、及び裏面抵
抗識別情報８４）が、印刷により形成されている（例えば、ＬＥＤ位置情報８２、裏面Ｌ
ＥＤ識別情報８０、裏面抵抗位置情報８６、及び裏面抵抗識別情報８４は、印刷文字（例
えば、シルク印刷文字）で形成される）。
【０３０５】
このような構成によれば、印刷される面が一面のみであるため、印刷コストを低減でき
る。
【０３０６】
本実施例では、ＬＥＤ搭載面４１６Ｘには、印刷文字で形成される情報はなく、裏面４
１６ＹにＬＥＤ位置情報８２、裏面ＬＥＤ識別情報８０、裏面抵抗位置情報８６、及び裏
面抵抗識別情報８４が印刷文字で形成される。仮に、ＬＥＤ搭載面４１６Ｘ及び裏面４１
６Ｙの双方で印刷文字で情報が形成される遊技機では、印刷工程において、ＬＥＤ搭載面
に印刷文字を形成した後に、裏面に印刷文字を形成するために、ＬＥＤ搭載面に印刷文字
が形成された基板を裏返す処理が必要となる。そうすると、印刷工程の処理が増加するこ
とになる。本実施例のように、印刷文字で情報を形成する面を裏面４１６Ｙのみとするこ
とにより、印刷工程では、基板を裏返す処理が必要ないことから、印刷工程の処理を軽減
できる。
【０３０７】
本実施例の遊技機は、前記発光基板の前記搭載面（例えば、図１８に示すＬＥＤ搭載面
４１６Ｘ）及び前記搭載面とは反対側の面（例えば、図１８に示す裏面４１６Ｙ）の双方
に、該発光基板の種別を特定可能な発光基板識別情報（例えば、基板識別情報６２、及び
裏面基板識別情報９０）は形成されている。
【０３０８】
このような構成によれば、発光基板識別情報を、発光基板の両面から認識することがで
きる。
【０３０９】
本実施例では、ＬＥＤ搭載面４１６Ｘに基板識別情報６２が形成され、裏面４１６Ｙに
裏面基板識別情報９０が形成されていることから、ＬＥＤ基板４１６の両面から作業者等
は基板識別情報を認識できる。
【０３１０】
本実施例の遊技機は、
前記発光基板の前記搭載面（例えば、図１８に示すＬＥＤ搭載面４１６Ｘ）とは反対側
の面（例えば、図１８に示す裏面４１６Ｙ）に、該発光基板の種別を特定可能な発光基板
識別情報（例えば、基板識別情報６２、及び裏面基板識別情報９０）が形成されており、
前記仕切部材が、前記取付状態において、前記搭載面とは反対側の面に形成された前記
発光基板識別情報は露出している（例えば、図１８（Ｂ）に示すように、取付状態におい
て、裏面４１６Ｙには、リフレクタ４１７は取付けられないことから、裏面基板識別情報
９０は露出した状態となる）。
【０３１１】
このような構成によれば、発光基板に、仕切部材が取付けられた状態であっても、発光
基板識別情報を視認できる。
【０３１２】
本実施例では、取付状態において、裏面４１６Ｙには、リフレクタ４１７は取付けられ
ないことから、裏面基板識別情報９０は露出した状態となる。
【０３１３】
本実施例の遊技機は、
前記発光基板の前記搭載面（例えば、図１８に示すＬＥＤ搭載面４１６Ｘ）に、該発光
基板の種別を特定可能な発光基板識別情報（例えば、基板識別情報６２）が形成されてお
り、
前記仕切部材が、前記発光基板に取付けられた状態において、前記搭載面に形成された
前記発光基板識別情報は露出している（例えば、図１８（Ａ）に示すように、基板識別情
報６２は、重畳領域Ｐに形成されることから、取付状態において、基板識別情報６２は、
中穴４２０４から露出する）。
【０３１４】
このような構成によれば、発光基板に、仕切部材が取付けられた状態であっても、発光
基板識別情報を視認できる。
【０３１５】
本実施例では、図１８（Ａ）に示すように、基板識別情報６２は、重畳領域Ｐに形成さ
れることから、取付状態において、基板識別情報６２は、中穴４２０４から露出している
。
【０３１６】
本実施例の遊技機は、
前記発光基板の前記搭載面（例えば、図１８に示すＬＥＤ搭載面４１６Ｘ）及び前記搭
載面とは反対側の面（例えば、図１８に示す裏面４１６Ｙ）の双方に、該発光基板の種別
を特定可能な発光基板識別情報（例えば、基板識別情報６２、及び裏面基板識別情報９０
）は形成されており、
前記発光基板の前記搭載面の所定位置（例えば、図１８（Ａ）に示すように、基板識別
情報６２が形成されている位置）と、前記搭載面とは反対側の面の、該所定位置と対向す
る位置に、前記発光基板識別情報は形成されている（例えば、図１８（Ｂ）に示すように
、基板識別情報６２が形成されている位置と対向する対向位置に、裏面基板識別情報９０
は形成されている）。
【０３１７】
このような構成によれば、搭載面に形成されている発光基板識別情報、及び搭載面とは
反対側の面に形成されている発光基板識別情報が、エッチング文字で形成されているとき
には、搭載面及び裏側の面において発光基板識別情報が形成されている位置には、配線パ
ターンは形成されない。したがって、配線パターンなどにより生じるノイズなどの影響を
低減できる。
【０３１８】
本実施例では、基板識別情報６２及び裏面基板識別情報９０は共にエッチング文字で形
成される。基板識別情報６２が形成されている領域及び裏面基板識別情報９０が形成され
ている領域には、共に、配線パターンは形成されない。
【０３１９】
仮に、基板識別情報６２及び裏面基板識別情報９０が互いに対向していなければ、例え
ば、基板識別情報６２と対向する位置に配線パターンαが形成され得る。そうすると、エ
ッチング文字で形成された基板識別情報６２に電荷がたまると、該電荷が、配線パターン
αに対してノイズなどの影響を及ぼす場合がある。
【０３２０】
本実施例では、基板識別情報６２と裏面基板識別情報９０とでは、互いに対向している
。したがって、仮に、基板識別情報６２に電荷がたまったとしても、該基板識別情報６２
に対向する位置には裏面基板識別情報９０が形成され、配線パターンは形成されないこと
から、該電荷が配線パターンに対して及ぼすノイズなどの影響を低減できる。また、基板
識別情報６２と裏面基板識別情報９０とでは、互いに対向していることから、配線パター
ンが互いに対向する領域を減少させることができる、換言すれば、配線パターンが互いに
対向しない領域を増加させることができる。したがって、本実施例であれば、配線パター
ンに対して及ぼすノイズなどの影響を低減できる。
【０３２１】
本実施例の遊技機は、前記発光基板に、該発光基板の種別を特定可能な発光基板識別情
報がエッチング加工により形成される（ＬＥＤ基板４１６のＬＥＤ搭載面４１６Ｘには、
エッチング文字により基板識別情報６２が形成されるとともに、ＬＥＤ基板４１６の裏面
４１６Ｙには、エッチング文字により裏面基板識別情報９０が形成される）。
【０３２２】
このような構成によれば、発光基板の改ざんを困難とさせることができる。本実施例で
は、ＬＥＤ基板４１６のＬＥＤ搭載面４１６Ｘには、エッチング文字により基板識別情報
６２が形成されるとともに、ＬＥＤ基板４１６の裏面４１６Ｙには、エッチング文字によ
り裏面基板識別情報９０が形成される。したがって、基板識別情報６２及び裏面基板識別
情報９０の改ざんを困難とさせることができ、結果として、ＬＥＤ基板４１６の改ざんを
困難とさせることができる。
【０３２３】
本実施例の遊技機は、前記発光基板に、前記第１発光部の種別を特定可能な第１発光部
識別情報、前記第２発光部の種別を特定可能な第２発光部識別情報、及び前記電子部品の
種別を特定可能な電子部品識別情報の各々は印刷により形成されている（例えば、裏面４
１６Ｙには、ＬＥＤ位置情報８２、裏面ＬＥＤ識別情報８０、裏面抵抗位置情報８６、及
び裏面抵抗識別情報８４は、印刷文字で形成される）。
【０３２４】
このような構成によれば、第１発光部識別情報、第２発光部識別情報、及び電子部品識
別情報の箇所には、配線パターンを形成しても良いことから、第１発光部識別情報、第２
発光部識別情報、及び電子部品識別情報がそれぞれエッチング加工により形成されている
遊技機と比較して、配線パターンの形成の制約を緩和できる。
【０３２５】
本実施例では、裏面４１６Ｙには、ＬＥＤ位置情報８２、裏面ＬＥＤ識別情報８０、裏
面抵抗位置情報８６、及び裏面抵抗識別情報８４は、印刷文字で形成される。したがって
、図１８（Ｂ）に示すように、裏面４１６Ｙにおいて、ＬＥＤ識別情報がＬＥＤ５である
ＬＥＤについてのＬＥＤ位置情報８２が形成される領域にプリント配線９３を形成させる
ことが可能となる。仮に、該ＬＥＤ位置情報８２がエッチング文字により形成される場合
には、該ＬＥＤ位置情報８２が形成されている領域に、プリント配線９３を形成させるこ
とはできない。したがって、配線パターンの形成の制約を緩和できる。
【０３２６】
本実施例の遊技機は、
前記遊技機は、複数の前記装飾手段（例えば、左リール、中リール、及び右リール）を
備え、
前記複数の装飾手段において、該複数の装飾手段それぞれの所定の（同一の）装飾部（
例えば、図２３に示すように、左リール、中リール、及び右リールそれぞれの中段）に、
前記発光基板の種別を特定可能な電子基板識別情報が形成されている（例えば、図１９に
示すように、左リール２Ｌの基板識別情報６２、中リール２Ｃの基板識別情報６２、右リ
ール２Ｒの基板識別情報６２のそれぞれは、取付状態において、左リールの中穴４２０４
、中リールの中穴４２０４、及び右リールの中穴４２０４から露出される位置に形成され
る）。
【０３２７】
このような構成によれば、電子基板識別情報が形成されている箇所を遊技者の管理者な
どに分かり易くすることができる。
【０３２８】
本実施例では、図１９に示すように、左リール２Ｌの基板識別情報６２、中リール２Ｃ
の基板識別情報６２、右リール２Ｒの基板識別情報６２のそれぞれは、取付状態において
、左リールの中穴４２０４、中リールの中穴４２０４、及び右リールの中穴４２０４から
露出される位置に形成される。したがって、作業者などは、左リールＬＥＤ基板、中リー
ルＬＥＤ基板、右リールＬＥＤ基板のいずれにおいても、同一の箇所を視認することによ
り、基板識別情報を認識することができる。
【０３２９】
また、図１９の例では、左リールＬＥＤ基板の基板識別情報６２は、「ＡＢＣ１２３Ｌ
」となっており、中リールＬＥＤ基板の基板識別情報６２は、「ＡＢＣ１２３Ｃ」となっ
ており、右リールＬＥＤ基板の基板識別情報６２は、「ＡＢＣ１２３Ｒ」となっている。
【０３３０】
したがって、管理者等は、基板識別情報６２を視認することにより、ＬＥＤ基板である
ことのみならず、左リールＬＥＤ基板、中リールＬＥＤ基板、右リールＬＥＤ基板のいず
れであるかをも特定できる。
【０３３１】
［作用効果３］
遊技機が備える基板を接続する配線として、一端を１つのコネクタに接続し、他端を複
数のコネクタに接続する配線が知られている（例えば、特開２０１３−１６９４４０号公
報参照）。
【０３３２】
しかしながら、この文献に記載の遊技機では、複数のコネクタの判別が難しく、コネク
タをいずれの箇所に接続するか判別し難いという問題がある。
【０３３３】
本実施例の発明は、かかる実情に鑑み考え出されたものであり、その目的は、複数の接
続部を判別しやすくでき、接続部をいずれの箇所に接続するか判別しやすくできる遊技機
を提供することを目的とする。
【０３３４】
本実施例の遊技機は、
遊技を行う遊技機（例えば、スロットマシン１）であって、
遊技機に設けられた遊技部品を電気的に接続するための束配線（例えば、図２０、及び
図２２に示す配線ケーブルＣ１、Ｃ２）を備え、
前記束配線は、
複数の配線（例えば、図２０の例では、配線４５０）と、
前記複数の配線の一方の端に接続される第１接続部（例えば、第１接続部７００）と
、
前記複数の配線のうち一部の配線の他方の端に接続される第２接続部（例えば、第２
接続部８００）と、前記複数の配線のうち前記第２接続部に接続されない配線の他方の端
に接続される第３接続部（例えば、第３接続部９００）とを備え、
前記第２接続部に接続される配線は、少なくとも特定色（例えば、図２１の例では、青
色）の配線を含み、
前記第３接続部に接続される配線は、前記特定色の配線を含まない（例えば、図２１の
例では、配線４５２は、青色の配線を含まない）。
【０３３５】
このような構成によれば、第２接続部に接続される配線と、第３接続部に接続される配
線の区別を容易に行うことができるため、第２接続部と第３接続部の区別も容易に行うこ
とができ、接続部をいずれの箇所に接続するか判別しやすくできる。
【０３３６】
本実施例では、スロットマシンやパチンコ遊技機などの遊技機は、遊技機に設けられた
遊技部品を電気的に接続するための配線ケーブルＣ１、Ｃ２（束配線）を備えている。例
えば、図２０に示すように、配線ケーブルＣ１は７本の配線４５０（複数の配線）と、７
本の配線４５０の一方の端に接続される第１接続部７００と、７本の配線４５０のうち、
５本の配線４５２の他方の端に接続される第２接続部８００と、第２接続部８００に接続
されない２本の配線４５４の他方の端に接続される第３接続部９００と、を備えている。
また、図２１に示すように、第２接続部８００に接続される配線４５２は、少なくとも青
色（特定色）の配線を含み、第３接続部９００に接続される配線４５４は、青色の配線を
含まない。
【０３３７】
したがって、第２接続部８００に接続される配線４５２と、第３接続部９００に接続さ
れる配線４５４の区別を容易に行うことができるため、第２接続部８００と第３接続部９
００の区別も容易に行うことができ、第２接続部８００をいずれの箇所に接続するか判別
しやすくできる。
【０３３８】
また、図２２に示すように、配線ケーブルＣ２は１１本の配線６００（複数の配線）と
、１１本の配線６００の一方の端に接続される第１接続部１００と、１１本の配線６００
のうち、３本の配線６０２の他方の端に接続される第２接続部２００と、第２接続部２０
０に接続されない３本の配線６０４の他方の端に接続される第３接続部３００とを備えて
いる。また、第２接続部２００に接続される配線６０２は、少なくとも赤色（特定色）の
配線を含み、第３接続部３００に接続される配線６０４は、赤色の配線を含まない。
【０３３９】
このような構成によれば、第２接続部２００に接続される配線６０２と、第３接続部３
００に接続される配線６０４の区別を容易に行うことができるため、第２接続部２００と
第３接続部３００の区別も容易に行うことができ、第２接続部２００をいずれの箇所に接
続するか判別しやすくできる。
【０３４０】
本実施例の遊技機は、前記第２接続部の形状と、前記第３接続部の形状は同一の形状で
ある（例えば、図２２に示す第２接続部２００の形状と、第３接続部３００の形状とは同
一である）。
【０３４１】
このような構成によれば、第２接続部の形状と、第３接続部の形状が同一の形状であっ
ても、第２接続部に接続される配線と、第３接続部に接続される配線の区別を容易に行う
ことができるため、第２接続部と第３接続部の区別も容易に行うことができ、接続部をい
ずれの箇所に接続するか判別しやすくできる。
【０３４２】
本実施例では、例えば、図２２に示すように、第２接続部２００の形状と、第３接続部
３００の形状が同一の形状であっても、第２接続部２００に接続される配線６０２と、第
３接続部３００に接続される配線６０４の区別を容易に行うことができるため、第２接続
部２００と第３接続部３００の区別も容易に行うことができ、第２接続部２００をいずれ
の箇所に接続するか判別しやすくできる。
【０３４３】
本実施例の遊技機は、特有の信号（配線ケーブルＣ１ではリールセンサが検出した基準
位置に係る信号であり、配線ケーブルＣ２ではサブ制御部に対するコマンドに係る信号）
を入力または出力するための配線は特定色（例えば、配線ケーブルＣ１では青色、配線ケ
ーブルＣ２では赤色）である。
【０３４４】
このような構成によれば、特有の信号を入力または出力するための配線を容易に特定す
ることができる。
【０３４５】
本実施例では、配線ケーブルＣ１ではリールセンサが検出した基準位置に係る信号が伝
送される信号の色が青色であることから、該信号を入力または出力するための配線を容易
に特定することができる。
【０３４６】
本実施例の遊技機は、前記第２接続部に接続される複数の配線と、前記第３接続部に接
続される複数の配線のそれぞれの色は、全て異なる（例えば、図２３に示すように、第２
接続部２００に接続される３本の配線６０２と、第３接続部３００に接続される３本の配
線６０４のそれぞれの色は異なる）。
【０３４７】
このような構成によれば、第２接続部に接続される配線と、第３接続部に接続される配
線の区別を容易に行うことができるため、第２接続部と第３接続部の区別も容易に行うこ
とができ、接続部をいずれの箇所に接続するか判別しやすくできる。
【０３４８】
本実施例では、第２接続部２００に接続される３本の配線６０２は、茶、赤、橙であり
、第３接続部３００に接続される３本の配線６０４は、黄、緑、青であり、第２接続部２
００に接続される３本の配線６０２と、第３接続部３００に接続される３本の配線６０４
のそれぞれの色は異なる。したがって、第２接続部２００に接続される配線と、第３接続
部３００に接続される配線の区別を容易に行うことができるため、第２接続部と第３接続
部の区別も容易に行うことができ、接続部をいずれの箇所に接続するか判別しやすくでき
る。
【０３４９】
本実施例の遊技機は、
前記第３接続部に接続される配線は、少なくとも特別色（例えば、図２１に示すように
配線ケーブルＣ１では桃色であり、例えば、図２３に示すように配線ケーブルＣ２では青
色で）の配線を含み、
前記第２接続部に接続される配線は、前記特別色の配線を含まない（例えば、図２１に
示すように配線ケーブルＣ１では、配線４５２は桃色の配線を含まず、図２３に示すよう
に配線ケーブルＣ２では、配線６０２は青色の配線を含まない）。
【０３５０】
このような構成によれば、第２接続部に接続される配線と、第３接続部に接続される配
線の区別を容易に行うことができるため、第２接続部と第３接続部の区別も容易に行うこ
とができ、接続部をいずれの箇所に接続するか判別しやすくできる。
【０３５１】
本実施例の遊技機は、
遊技を行う遊技機（例えば、スロットマシン、パチンコ遊技機）において、
信号を出力するための複数の出力ポート（例えば、出力ポート０〜出力ポート９）と、
複数の出力ポートを初期化する初期化手段（例えば、メイン制御部）と、
を備え、
前記初期化手段は、所定条件が成立したときに（例えば、起動時、電断時）、複数の出
力ポートのうち第１出力ポートについては一の出力ポートのみを初期化する初期化命令に
より初期化し、複数の出力ポートのうち第２出力ポート及び第３出力ポートについては複
数の出力ポートを初期化する初期化命令により初期化する（例えば、図２７の処理を行う
部分、図２８のＳｋ４〜Ｓｋ１１の処理を行う部分）。
【０３５２】
このような構成によれば、出力ポートから出力される出力情報の内容に応じて適切に出
力ポートの初期化することができる。
【０３５３】
本実施例の遊技機は、
遊技を行う遊技機（例えば、スロットマシン、パチンコ遊技機）において、
信号を出力するための複数の出力ポート（例えば、出力ポート０〜出力ポート９）と、
複数の出力ポートを初期化する初期化手段（例えば、メイン制御部）と、
を備え、
前記初期化手段は、第１所定条件の成立（例えば、電断時）により複数の出力ポートを
初期化するときと第２所定条件の成立（例えば、起動時）により複数の出力ポートを初期
化するときとにおいて複数の出力ポートを異なる順序により初期化する（例えば、図２７
の処理を行う部分、図２８のＳｋ４〜Ｓｋ１１の処理を行う部分）。
【０３５４】
このような構成によれば、初期化するときの状況に応じて適切に出力ポートの初期化を
実行することができる。
【０３５５】
［作用効果４］
スロットマシンとして、特別図柄表示装置に３行３列のマトリクス状の表示領域が構成
された遊技機において、有効ラインが可変表示ごとに変更され、有効ラインがバックライ
ト（ランプ）の点灯によって示されるものがあった（例えば、特開２００２−４５４９３
号公報）。
【０３５６】
しかし、この文献に記載のスロットマシンにおいては、入賞の判定対象となる有効ライ
ンに対応する表示領域に対する演出は考慮されているものの、他の表示領域も対応する表
示領域に対する演出が考慮されていなかった。
【０３５７】
本実施例の発明は、かかる実情に鑑み考え出されたものであり、その目的は、入賞の判
定対象となる位置に対応する表示領域以外の表示領域も好適に用いて演出を行なうことが
できるスロットマシンを提供することを目的とする。
【０３５８】
本実施例のスロットマシンは、
各々が識別可能な複数種類の識別情報を変動表示可能な可変表示部を備え、
前記可変表示部を変動表示した後、前記可変表示部の変動表示を停止することで表示結
果を導出し、該表示結果に応じて入賞が発生可能なスロットマシンにおいて、
所定表示結果（例えば、通常リプレイ入賞時の表示結果）と該所定表示結果よりも有利
な特定表示結果（例えば、上段スイカ入賞時の表示結果）を含む複数の表示結果のうちの
いずれかの表示結果を導出する導出制御手段（例えば、リール制御を行うメイン制御部４
１）と、
導出された表示結果を構成する識別情報のうち、特定位置に導出された識別情報に基づ
いて入賞が発生したか否かを判定する入賞判定手段（例えば、入賞判定を行うメイン制御
部４１）と、
遊技者が表示結果を視認可能な表示領域の視認性を変化させる変化手段（例えば、リー
ルＬＥＤ５５を制御するサブ制御部９１）と、
を備え、
前記表示領域は、前記特定位置に対応する有効領域（例えば、有効領域３Ａ）と、該有
効領域と異なる無効領域（例えば、無効領域３Ｂ）とを含み、
前記変化手段は、前記特定表示結果が導出される場合に、前記所定表示結果が導出され
る場合よりも広く前記無効領域の視認性を変化させる（例えば、図３４に示すように、通
常リプレイよりも有利な上段スイカに対応する表示結果が導出されたときに広範囲で無効
領域３Ｂの視認性が変化する）。
【０３５９】
本実施例では、図３４及び図３５に示すように、サブ制御部９１は、有効領域３Ａだけ
でなく無効領域３Ｂの視認性を変化させるリール演出を実行可能である。そのため、入賞
ラインＬＮに対応する有効領域３Ａ以外の無効領域３Ｂを用いて好適に演出を行なうこと
ができる。
【０３６０】
また、図３４に示すように、通常リプレイに対応する表示結果が導出されたときと、通
常リプレイよりも有利な上段スイカに対応する表示結果が導出されたときとで、上段スイ
カに対応する表示結果が導出されたときの方が、広い範囲で無効領域３Ｂの視認性が変化
する（視認性が変化する無効マスの数が多い）。そのため、より有利な表示結果が導出さ
れたときに、表示領域内の広範囲の領域に対して視認性を変化させることができ、有利な
表示結果である場合の演出を盛り上げることができる。
【０３６１】
本実施例のスロットマシンは、
各々が識別可能な複数種類の識別情報を変動表示可能な可変表示部を備え、
前記可変表示部を変動表示した後、前記可変表示部の変動表示を停止することで表示結
果を導出し、該表示結果に応じて入賞が発生可能なスロットマシンにおいて、
所定表示結果（例えば、上段ベル入賞時の表示結果）と該所定表示結果よりも有利も特
定表示結果（例えば、中段ベル入賞時の表示結果）を含む複数の表示結果のうちのいずれ
かの表示結果を導出する導出制御手段（例えば、リール制御を行うメイン制御部４１）と
、
導出された表示結果を構成する識別情報のうち、特定位置に導出された識別情報に基づ
いて入賞が発生したか否かを判定する入賞判定手段（例えば、入賞判定を行うメイン制御
部４１）と、
遊技者が表示結果を視認可能な表示領域の視認性を所定回数変化させる変化手段（例え
ば、リールＬＥＤ５５を制御するサブ制御部９１）と、
を備え、
前記表示領域は、前記特定位置に対応する有効領域（例えば、有効領域３Ａ）と、該有
効領域と異なる無効領域（例えば、無効領域３Ｂ）と、を含み、
前記変化手段は、前記特定表示結果が導出される場合に、前記所定表示結果が導出され
る場合よりも前記無効領域の視認性を変化させる回数を増やす（例えば、図３５に示すよ
うに、上段ベルよりも有利な中段ベルに対応する表示結果が導出されたときに多く点滅す
る）。
【０３６２】
本実施例では、図３５に示すように、上段ベルに対応する表示結果が導出されたときと
、上段ベルよりも有利な中段ベルに対応する表示結果が導出されたときとで、中段ベルに
対応する表示結果が導出されたときの方が、無効領域３Ｂの視認性が変化する回数が多い
。そのため、より有利な表示結果が導出されたときに、視認性の変化する回数が多く設定
されるため、有利な表示結果である場合の演出を盛り上げることができる。
【０３６３】
本実施例のスロットマシンは、
前記可変表示部を複数備えるとともに、複数の可変表示部の表示結果の組合せである表
示結果組合せに応じて入賞が発生可能であり、
前記入賞判定手段は、導出された表示結果組合せのうち、前記有効領域に跨る所定ライ
ン（例えば、入賞ラインＬＮ）上の識別情報の組合せに基づいて入賞判定を行い、
前記所定表示結果及び前記特定表示結果は、いずれも表示結果組合せであって、
前記所定表示結果及び前記特定表示結果のうち、一方の表示結果組合せは、前記所定ラ
イン上に同一または類似する識別情報が揃う表示結果組合せであって、他方の表示結果組
合せは、前記所定ラインとは異なるライン（例えば、無効ラインＬＭ）上に同一または類
似する識別情報が揃う表示結果組合せである。
【０３６４】
本実施例では、図３４に示すように、通常リプレイ及び上段スイカに対応する表示結果
は、一方の表示結果は入賞ラインＬＮに同一の図柄が並ぶ表示結果であって、他方の表示
結果は無効ラインＬＭに同一の図柄が並ぶ表示結果である。具体的には、通常リプレイに
対応する表示結果は、入賞ラインＬＮ上にリプレイ図柄が揃う表示結果である。一方、上
段スイカは、無効ラインＬＭ上にスイカ図柄が揃う表示結果である。
【０３６５】
また、図３５に示すように、中段ベル及び上段ベルに対応する表示結果は、一方の表示
結果は入賞ラインＬＮに同一の図柄が並ぶ表示結果であって、他方の表示結果は無効ライ
ンＬＭに同一の図柄が並ぶ表示結果である。具体的には、中段ベルに対応する表示結果は
、入賞ラインＬＮ上にベル図柄が揃う表示結果である。一方、上段ベルは、無効ラインＬ
Ｍ上にベル図柄が揃う表示結果である。
【０３６６】
つまり、所定のライン上に同様の図柄が揃う表示結果となるため、入賞が分かりやすい
。尚、本実施例においては、所定のライン上に同じ図柄が揃う表示結果を例に挙げたが、
類似の図柄が揃う表示結果でも良く、また、同一の図柄と類似の図柄とが揃う表示結果で
あっても良い。
【０３６７】
本実施例のスロットマシンは、
導出を許容する表示結果を決定する事前決定手段（例えば、内部抽選を行うメイン制御
部４１）と、
表示結果を導出させるために操作される導出操作手段（例えば、ストップスイッチ８Ｌ
、８Ｃ、８Ｒ）と、
をさらに備え、
前記事前決定手段の決定結果は、前記特定表示結果（例えば、中段ベルに対応する表示
結果）及び前記所定表示結果（例えば、上段ベルに対応する表示結果）の導出を許容する
特定決定結果（例えば、押し順ベルの当選）を含み、
前記導出制御手段は、
前記事前決定手段の決定結果が前記特定決定結果でありかつ特定態様（例えば、正解
手順）で前記導出操作手段が操作されたときには前記特定表示結果を導出し、
前記事前決定手段の決定結果が特定決定結果でありかつ前記特定態様とは異なる所定
態様（例えば、正解手順とは異なる手順）で前記導出操作手段が操作されたときには前記
所定表示結果を導出する。
【０３６８】
本実施例では、上段ベル及び中段ベルは、いずれも、押し順ベルに当選したときに導出
される表示結果である。中段ベルは、正解手順でストップスイッチ８Ｌ、８Ｃ、８Ｒが操
作されたときに入賞する一方、上段ベルは、正解手順とは異なる手順でストップスイッチ
８Ｌ、８Ｃ、８Ｒが操作されたときに入賞する。このように、操作手順によって、導出さ
れる表示結果が異なり、かつ、導出されたときのリール演出の態様も異なるため、遊技の
興趣が向上する。
【０３６９】
本実施例のスロットマシンは、
導出を許容する表示結果を決定する事前決定手段（例えば、内部抽選を行うメイン制御
部４１）と、
通常状態（例えば、通常区間）及び該通常状態よりも有利な有利状態（例えば、有利区
間）に制御する制御手段（例えば、有利区間に制御するメイン制御部４１）と、
前記有利状態に制御するか否かを決定する決定手段（例えば、移行抽選を行うメイン制
御部４１）と、
を備え、
前記決定手段は、前記事前決定手段が前記特定表示結果の導出を許容した場合に前記有
利状態に制御するか否かの決定を行う（例えば、メイン制御部４１は、上段スイカまたは
中段スイカに当選したときに移行抽選を行う）。
【０３７０】
本実施例では、上段スイカは、上段スイカに対応する表示結果が、有利区間への移行抽
選が行われたことを示す表示結果である点で通常リプレイよりも有利な表示結果である。
そのため、遊技者は、上段スイカに対応する表示結果が導出され、通常リプレイが導出さ
れたときよりも盛り上がる演出（表示領域の視認性が広範囲で変化する演出）が行なわれ
ることで、有利区間に移行したことに期待できる。
【０３７１】
本実施例のスロットマシンは、
前記変化手段は、
前記表示領域が点灯していない非点灯状態から該表示領域が点灯している点灯状態に
変化させることで、該表示領域の視認性を変化させ（例えば、図３５に示すように、リー
ルＬＥＤを消灯状態から点灯状態に制御させ）、
前記表示領域の視認性を変化させる際に、前記点灯状態から前記非点灯状態に変化す
るまでの期間と、前記非点灯状態から前記点灯状態に変化するまでの期間とが等しくなる
ように前記点灯状態から前記非点灯状態への変化を繰り返す（例えば、図３５に示すよう
に、サブ制御部９１は、リールＬＥＤ５５を点滅する場合に、点灯してから消灯するまで
の時間と、消灯してから点灯するまでの時間が等しくなるようにリール演出を実行する）
。
【０３７２】
本実施例では、図３５に示すように、サブ制御部９１は、リールＬＥＤ５５を点滅する
場合に、点灯してから消灯するまでの時間と、消灯してから点灯するまでの時間が等しく
なるようにリール演出を実行する。
【０３７３】
そのため、点滅の間隔が一定であるため、リール演出が分かりやすい。尚、図３４に示
す例においても、リールＬＥＤ５５を点滅させるリール演出を行なっても良く、この場合
においても、点滅の間隔を一定にすることで分かり易いリール演出を遊技者に提供するこ
とができる。
【０３７４】
［リール演出について］
本実施例においては、リール演出の一例として、有効領域３Ａの視認性だけを変化させ
るパターンと、有効領域３Ａ及び無効領域３Ｂの視認性を変化させるパターンを例に挙げ
た。しかし、他の態様であっても良い。
【０３７５】
図３７は、他の表示結果に対するリール演出を示す図である。例えば、図３７（ａ）は
、再遊技役に、左斜め下向きの無効ラインＬＭ４上にリプレイ図柄が揃う入賞役が含まれ
ており、当該入賞役が入賞したときのリール演出の一例である。図３７（ａ）に示すよう
に、リール演出は、左斜め下向きの無効ラインＬＭ４上に位置する領域（有効領域３Ａの
一部と、無効領域３Ｂの一部）の視認性を変化させる演出である。
【０３７６】
図３７（ｂ）は、小役に、入賞ラインＬＮ上にスイカ図柄が揃う入賞役（中段スイカ）
が含まれており、中段スイカに当選したときに有利状態への移行抽選が行われる場合に、
中段スイカが入賞したときのリール演出の一例である。図３７（ｂ）に示すように、リー
ル演出は、表示領域全体の視認性を変化させる演出が行なわれる。
【０３７７】
図３７に示す例においても、中段スイカの入賞が、再遊技役の入賞に比べて有利状態に
移行する可能性がある点で有利であり、有利な中段スイカが入賞した場合に、広範囲の無
効領域３Ｂの視認性が変化するため、上記に示した効果と同じ効果を得られる。
【０３７８】
また、入賞ラインＬＮ上にスイカ図柄が揃う入賞役が入賞した場合に、有利状態への移
行抽選に当選している確率に応じてリール演出の態様を変化させても良い。
【０３７９】
また、遊技者にとっての有利度合いに応じて、無効マスの点灯個数、及び無効マスの点
灯回数の少なくとも一方を異ならせるようにしても良い。図３８は、有利状態への移行抽
選に当選している確率に応じてリール演出の態様を変化させる例を示す図である。図３８
に示す例では、有利状態への移行抽選に当選している確率に応じて、視認性を変化させる
無効領域３Ｂの範囲が異なる例を挙げており、また、有利状態としてＡＴ区間を例に挙げ
ている。
【０３８０】
ＡＴ区間に移行している可能性が高い場合（ＡＴ当選期待度大）は、図３８（ａ）に示
すように、無効領域３Ｂに対応するリールＬＥＤ５５が１つ点灯するリール演出が行なわ
れる。ＡＴ区間に移行している可能性が高くも低くもない場合（ＡＴ当選期待度中）は、
図３８（ｂ）に示すように、無効領域３Ｂに対応するリールＬＥＤ５５は３つ点灯するリ
ール演出が行なわれる。ＡＴ区間に移行している可能性が低い場合（ＡＴ当選期待度低）
は、図３８（ｃ）に示すように、無効領域３Ｂに対応するリールＬＥＤ５５は６つ点灯す
るリール演出が行なわれる。
【０３８１】
図３９は、演出態様決定テーブルである。図３９に示すように、ＡＴ当選している場合
には、ＡＴ当選していない場合（非当選）に比べて、無効マスの点灯個数（無効領域３Ｂ
に対応するリールＬＥＤ５５を点灯させる個数）が少なくなるように、リール演出の態様
は決定される。すなわち、無効領域３Ｂに対応するリールＬＥＤ５５のうち、点灯してい
るＬＥＤの数が多いほど、ＡＴ当選している可能性が高いことを意味する。
【０３８２】
尚、変形例として、ＡＴ当選している場合には、ＡＴ当選していない場合（非当選）に
比べて、無効マスの点灯個数（無効領域３Ｂに対応するリールＬＥＤ５５を点灯させる個
数）が多くなるように、リール演出の態様は決定されるようにしても良い。
【０３８３】
図４０は、有利状態への移行抽選に当選している確率に応じてリール演出の態様を変化
させる例を示す図である。図４０に示す例では、有利状態への移行抽選に当選している確
率に応じて視認性を変化させる回数が異なる例であって、有利状態としてＡＴ区間を例に
挙げている。尚、図４０に示す例では、点灯とは、リールＬＥＤ５５が全て点灯している
ことを意味する。
【０３８４】
ＡＴ区間に移行している可能性が高い場合（ＡＴ当選期待度大）は、図４０（ａ）に示
すように、視認性を３回変化させるリール演出が行なわれる。ＡＴ区間に移行している可
能性が高くも低くもない場合（ＡＴ当選期待度中）は、図４０（ｂ）に示すように、視認
性を５回変化させるリール演出が行なわれる。ＡＴ区間に移行している可能性が低い場合
（ＡＴ当選期待度低）は、図４０（ｃ）に示すように、視認性を７回変化させるリール演
出が行なわれる。
【０３８５】
図４１は、演出態様決定テーブルである。図４１に示すように、ＡＴ当選している場合
には、ＡＴ当選していない場合（非当選）に比べて、無効マスの点灯回数（視認性を変化
させる回数）が少なくなるように、リール演出の態様は決定される。すなわち、視認性を
変化させる回数が多いほど、ＡＴ当選している可能性が高いことを意味する。
【０３８６】
尚、変形例として、ＡＴ当選している場合には、ＡＴ当選していない場合（非当選）に
比べて、無効マスの点灯回数（視認性を変化させる回数）が多くなるように、リール演出
の態様は決定されるようにしても良い。
【０３８７】
このように、変化手段は、前記特定表示結果（例えば、中段スイカ）が導出された場合
に、前記決定手段が前記有利状態への制御を決定したか否かに応じて、視認性に変化させ
るときの変化態様を異ならせる（例えば、サブ制御部９１は、移行抽選に当選している確
率に応じてリール演出の態様を変化させる）。
【０３８８】
本実施例では、図３９及び図４１に示すように、遊技者の有利度合いに応じて（ＡＴ当
選の確率に応じて）、無効マスの点滅個数、及び無効マスの点灯回数を異ならせている。
したがって、視認性を変化させる態様のパターンが複数あるため、演出パターンが増え、
遊技の興趣が向上する。また、有利状態への移行確率に応じて演出パターンを変えること
で、演出パターンへの注目度を上げることができる。
【０３８９】
［有利状態について］
本実施例においては、有利状態の一例として、有利区間を例に挙げた。尚、有利区間で
はなく、有利区間のうちのＡＴ区間を有利状態とし、ＡＴ区間以外の他の区間は有利状態
とみなさなくとも良い。また、有利状態は、ナビ報知が行われる有利区間に限らず、小役
に入賞する確率が通常状態に比べて高い、いわゆるボーナス状態であっても良く、また、
有利な状態へ移行する確率が通常状態に比べて高い状態であっても良い。
【０３９０】
［表示結果について］
本実施例において、有利な表示結果とは、（１）有利な状態への移行抽選が行われる点
、（２）払出枚数が多い点で有利である。例えば、昇格リプレイなど、リプレイ確率が高
い有利な状態に移行する契機となる点で有利なものを、有利な表示結果としても良い。ま
た、有利な状態に制御するための有利量が付与される点で有利なものを有利な表示結果と
しても良い。
【０３９１】
また、一の表示結果及び、当該一の表示結果よりも有利な表示結果は、いずれも、入賞
ラインＬＮまたは無効ラインＬＭのうちのいずれか一方に同一または類似の図柄が揃う表
示結果であることが好ましいものの、同一または類似の図柄が揃わなくとも良い。尚、本
実施例においては、上段の無効ラインＬＭ１に同一または類似の図柄が揃う表示結果を例
に挙げたが、下段の無効ラインＬＭ２、斜め左上向きの無効ラインＬＭ３、斜め左下向き
の無効ラインＬＭ４に同一または類似の図柄が揃う表示結果であっても良い。尚、ライン
上に揃う図柄が一致している必要はなく、一見して類似していると認識できる図柄がライ
ン上に揃っていれば良い。
【０３９２】
［視認性を変化させる範囲と回数について］
本実施例においては、通常リプレイ入賞時と上段スイカ入賞時とで視認性が変化させる
例を示した。すなわち、一の表示結果と、一の表示結果よりも有利な状態への移行抽選が
行われる点で有利な表示結果とで、有利な表示結果の方が広範囲の無効領域３Ｂの視認性
が変化する例を示した。尚、一の表示結果と、一の表示結果よりも有利な状態への移行抽
選が行われる点で有利な表示結果とで、有利な表示結果の方が視認性が変化する回数が多
くなるように構成しても良い。
【０３９３】
また、本実施例においては、正解手順で操作されて中段ベルが入賞した時と、正解手順
とは異なる手順で操作されて上段ベルが入賞した時とで、正解手順で操作されて中段ベル
が入賞した時の方が視認性が変化する回数が多くなる例を示した。尚、正解手順で操作さ
れて中段ベルが入賞した時の方が広範囲の無効領域３Ｂの視認性を変化させるように構成
しても良い。
【０３９４】
尚、一の表示結果よりも有利な表示結果が導出されたときに、有利な表示結果が導出さ
れたときの方が、視認性が変化する回数が多く、かつ、広範囲の無効領域３Ｂの視認性が
変化するように構成しても良い。この場合に、点滅が行なわれる間隔は等しく、点灯して
から消灯するまでと、消灯してから点灯するまでの期間が等しくなるように点滅は行われ
る。
【０３９５】
また、視認性を変化させる回数は、上記例に挙げた回数に限らず、１回以上であれば良
く、例えば、次ゲームを開始させるための操作が行なわれるまで継続するようにしても良
く、所定の回数であれば良い。
【０３９６】
［視認性の変化について］
本実施例においては、視認性を変化させる方法の一例として、リールＬＥＤ５５を点灯
させる例を挙げた。尚、他の方法で表示領域（透視窓３を介した表示結果）の視認性を変
化させても良い。例えば、透視窓３を透明液晶により構成し、透明液晶に所定の画像を表
示することで、表示領域の視認性を変化させても良い。例えば、透明液晶に流れ星の画像
を表示したり、透明液晶に導出された表示結果と同一の図柄を示す画像を表示したりして
も良い。
【０３９７】
また、透視窓３の前方、あるいは、透視窓３とリール２Ｌ、２Ｃ、２Ｒとの間にシャッ
ターを設け、通常時はシャッターを開いた状態にし、リール２Ｌ、２Ｃ、２Ｒの変動及び
停止を確認できるように構成し、リール演出時にシャッターを閉めることで表示領域の視
認性を変化させるように構成しても良い。
【０３９８】
［リール演出の実行条件について］
リール演出は遊技状態及び遊技区間に応じて実行するか否かを決定しても良い。例えば
、押し順ベルに対する操作手順が報知されたときは、リール演出を行ない、操作手順が報
知されていないときはリール演出を行なわないようにしても良い。操作手順が報知されて
いる期間は、遊技者はストップスイッチ８Ｌ、８Ｃ、８Ｒの操作手順を意識する。そのよ
うな場合に、リール演出が行なわれると、遊技者は自身の操作により導出された表示結果
に対する注目度がさらに上がり、遊技の興趣が向上する。また、操作手順が報知されてい
る期間は、遊技者にとって有利な期間であるため、有利な期間中の演出が派手になり、遊
技の興趣が向上する。
【０３９９】
［配線ケーブルについて］
例えば、上述した実施例では、配線ケーブルＣ１は７本の配線を備え、配線ケーブルＣ
２は１１本の配線を備えているとして説明した。しかしながら、配線ケーブルＣ１、及び
配線ケーブルＣ２の少なくとも１つの配線ケーブルは、これに限らず、２本以上であれば
どのような本数の配線を備えていても良い。また、上述した実施例では、配線ケーブルＣ
１は、配線ケーブル１は２つに分岐しており、配線ケーブルＣ２は、配線ケーブル１は４
つに分岐しているが、これに限らず、２分岐以上であればどのような分岐数であっても良
い。
【０４００】
また、配線ケーブルＣ１については、配線ケーブルＣ１が備える配線４５０の一端に第
１接続部１００が接続され、他端に第２接続部８００、第３接続部９００が接続されてい
る。また、配線ケーブルＣ２については、配線ケーブルＣ１が備える配線６００の一端に
第１接続部１００が接続され、他端に第２接続部２００、第３接続部３００、第４接続部
４００、第５接続部５００が接続されている。しかしながら、これに限らず、配線６００
には分岐数にあわせた数の接続部が接続されていても良い。
【０４０１】
また、上述した例では、配線ケーブル１が備える配線６００の一端に一つの接続部（第
１接続部１００）が接続され、他端に複数の接続部（第２接続部２００、第３接続部３０
０、第４接続部４００、第５接続部５００）が接続されているが、これに限らない。例え
ば、配線６００の一端に複数の接続部を接続し、他端にも複数の接続部を接続しても良い
。
【０４０２】
［ＬＥＤ基板について］
本実施例では、図１８に示したように、基板識別情報６２は、非重畳領域に形成される
、つまり、取付状態において、基板識別情報６２は、隠蔽されるとして説明した。しかし
ながら、基板識別情報６２は、重畳領域Ｐに形成される、つまり、取付状態において、基
板識別情報６２は、隠蔽されないようにしても良い。このような構成の場合には、取付状
態であるとき及び取付状態ではないときのいずれであっても、作業者等は、基板識別情報
６２を視認できる。また、本実施例では、電極情報７５及びＬＥＤ識別情報７６の双方が
、非重畳領域に形成されるとして説明した。しかしながら、電極情報７５及びＬＥＤ識別
情報７６の少なくとも一方が、重畳領域Ｐに形成されるようにしても良い。また、ＬＥＤ
搭載面４１６Ｘと裏面４１６Ｙとにおいて、配線パターンが形成される領域の面積は、Ｌ
ＥＤ搭載面４１６Ｘよりも裏面４１６Ｙの方が大きいとしても良い。これにより、ＬＥＤ
搭載面４１６Ｘでの配線パターンが形成される領域の面積を少なくすることができること
から、ＬＥＤ５５の反射効率を高めることができる。
【０４０３】
本実施例では、図１９に示すように、左リールＬＥＤ基板、中リールＬＥＤ基板、及び
右リールＬＥＤ基板それぞれの基板識別情報６２が異なるとして説明した。しかしながら
、左リールＬＥＤ基板、中リールＬＥＤ基板、及び右リールＬＥＤ基板それぞれの基板識
別情報６２は同一であるとしても良い。このような構成によれば、左リールＬＥＤ基板、
中リールＬＥＤ基板、及び右リールＬＥＤ基板それぞれにおいて、基板識別情報６２を統
一化できる。したがって、左リールＬＥＤ基板、中リールＬＥＤ基板、及び右リールＬＥ
Ｄ基板それぞれにおける基板識別情報６２の形成工程の負担を軽減できる。
【０４０４】
本実施例では、第１装飾部として左リールの上段を例示し、第２装飾部として左リール
の中段を例示した。しかしながら、第１装飾部と第２装飾部とは、他の箇所としても良い
。また、第１装飾部に対応する発光部（ＬＥＤ）と第２装飾部に対応する発光部（ＬＥＤ
）とは、リフレクタなどの仕切部材で仕切られることが好ましい。
【０４０５】
第１装飾部及び第２装飾部は、遊技機（例えば、スロットマシン、パチンコ遊技機など
）の「１のリール（左リール、中リール、右リール）の上段及び中段」、または、「１の
リール（左リール、中リール、右リール）の中段及び下段」としても良い。また、第１装
飾部及び第２装飾部は、遊技機（例えば、スロットマシン、パチンコ遊技機など）の所定
箇所における、１の段、及び該１の段と仕切部材で仕切られる他の段としても良い。所定
箇所は、例えば、遊技機のパネル（下パネルなど）としても良い。
【０４０６】
以上、本発明の実施例を図面により説明してきたが、本発明はこの実施例に限定される
ものではなく、本発明の主旨を逸脱しない範囲における変更や追加があっても本発明に含
まれることは言うまでもない。
【０４０７】
前記実施例では、本発明の遊技機の一例として、スロットマシン１を適用したが、本発
明はこれに限定されるものではなく、パチンコ遊技機等にも適用可能である。
【符号の説明】
【０４０８】
１  スロットマシン
２  リールユニット
２Ｌ、２Ｃ、２Ｒ  リール
４１  メイン制御部
９１  サブ制御部
４０１ｆ、４０１ｇ  壁部
【図１】
2020058579.tif 000003
【図２】
2020058579.tif 000004
【図３】
2020058579.tif 000005
【図４】
2020058579.tif 000006
【図５】
2020058579.tif 000007
【図６】
2020058579.tif 000008
【図７】
2020058579.tif 000009
【図８】
2020058579.tif 000010
【図９】
2020058579.tif 000011
【図１０】
2020058579.tif 000012
【図１１】
2020058579.tif 000013
【図１２】
2020058579.tif 000014
【図１３】
2020058579.tif 000015
【図１４】
2020058579.tif 000016
【図１５】
2020058579.tif 000017
【図１６】
2020058579.tif 000018
【図１７】
2020058579.tif 000019
【図１８】
2020058579.tif 000020
【図１９】
2020058579.tif 000021
【図２０】
2020058579.tif 000022
【図２１】
2020058579.tif 000023
【図２２】
2020058579.tif 000024
【図２３】
2020058579.tif 000025
【図２４】
2020058579.tif 000026
【図２５】
2020058579.tif 000027
【図２６】
2020058579.tif 000028
【図２７】
2020058579.tif 000029
【図２８】
2020058579.tif 000030
【図２９】
2020058579.tif 000031
【図３０】
2020058579.tif 000032
【図３１】
2020058579.tif 000033
【図３２】
2020058579.tif 000034
【図３３】
2020058579.tif 000035
【図３４】
2020058579.tif 000036
【図３５】
2020058579.tif 000037
【図３６】
2020058579.tif 000038
【図３７】
2020058579.tif 000039
【図３８】
2020058579.tif 000040
【図３９】
2020058579.tif 000041
【図４０】
2020058579.tif 000042
【図４１】
2020058579.tif 000043